(57)【要約】【課題】【解決手段】親イオンの電子移動解離フラグメンテーションによって生成された高電荷のフラグメントイオンの電荷状態が、当該フラグメントイオンをオクタヒドロピリミドールアゼピンなどの中性超強塩基試薬ガスと反応させることによってプロトン移動反応セル３５内で低減される質量分析計が開示される。【選択図】図１
2011522385.tif 000002
【特許請求の範囲】
【請求項１】
第１のイオンを１つ以上の中性、非イオン性または非荷電の超強塩基試薬ガスまたは超強塩基試薬蒸気と反応させて、前記第１のイオンの電荷状態を低減するように構成および適合される第１のデバイスであって、複数の電極を含む第１のイオンガイドを含む第１のデバイス
を含む質量分析計。
【請求項２】
前記第１のデバイスがプロトン移動反応デバイスを含む、請求項１に記載の質量分析計。
【請求項３】
使用時に、（ｉ）前記第１のイオンの少なくともいくつかから、前記１つ以上の中性、非イオン性または非荷電の超強塩基試薬ガスまたは超強塩基試薬蒸気にプロトンが移動するか、あるいは（ｉｉ）１つ以上の多価分析種カチオンまたは正電荷イオンを含む前記第１のイオンのうちの少なくともいくつかから、前記１つ以上の中性、非イオン性または非荷電の超強塩基試薬ガスまたは超強塩基試薬蒸気にプロトンが移動し、この時に、前記多価分析種カチオンまたは正電荷イオンのうちの少なくともいくつかの電荷状態が低減される、
のいずれかである、請求項１または２に記載の質量分析計。
【請求項４】
前記１つ以上の中性、非イオン性または非荷電の超強塩基試薬ガスまたは超強塩基蒸気が、（ｉ）１，１，３，３−テトラメチルグアニジン（「ＴＭＧ」）、（ｉｉ）２，３，４，６，７，８，９，１０−オクタヒドロピリミドール［１，２−ａ］アゼピン｛別名：１，８−ジアザビシクロ［５．４．０］ウンデカ−７−エン（「ＤＢＵ」）｝、および（ｉｉｉ）７−メチル−１，５，７−トリアザビシクロ［４．４．０］デカ−５−エン（「ＭＴＢＤ」）｛別名：１，３，４，６，７，８−ヘキサヒドロ−１−メチル−２Ｈ−ピリミド［１，２−ａ］ピリミジン｝からなる群から選択される、請求項１、２または３に記載の質量分析計。
【請求項５】
前記第１のイオンが、１つ以上の（ｉ）多価イオン、（ｉｉ）２価イオン、（ｉｉｉ）３価イオン、（ｉｖ）４価イオン、（ｖ）５個の電荷を有するイオン、（ｖｉ）６個の電荷を有するイオン、（ｖｉｉ）７個の電荷を有するイオン、（ｖｉｉｉ）８個の電荷を有するイオン、（ｉｘ）９個の電荷を有するイオン、（ｘ）１０個の電荷を有するイオン、または（ｘｉ）１０個を超える電荷を有するイオンを含むか、または主に含む、先行する請求項のいずれかに記載の質量分析計。
【請求項６】
前記第１のイオンが、電子移動解離による親イオンまたは分析種イオンのフラグメンテーションから生成されたプロダクトイオンまたはフラグメントイオンを含み、前記プロダクトイオンまたはフラグメントイオンが、大多数のｃ−タイプのプロダクトイオンもしくはフラグメントイオンおよび／またはｚ−タイプのプロダクトイオンもしくはフラグメントイオンを含む、先行する請求項のいずれかに記載の質量分析計。
【請求項７】
電子移動解離の過程において、
（ａ）前記親イオンまたは分析種イオンが、試薬イオンとの相互作用時にフラグメンテーションされるかまたは解離するように誘導されて、前記プロダクトイオンまたはフラグメントイオンを形成し、かつ／あるいは
（ｂ）電子が、１つ以上の試薬アニオンまたは負電荷イオンから１つ以上の多価分析種カチオンまたは正電荷イオンに移動し、この時に、前記多価分析種カチオンまたは正電荷イオンの少なくともいくつかが、解離するように誘導されて、前記プロダクトイオンまたはフラグメントイオンを形成し、かつ／あるいは
（ｃ）前記親イオンまたは分析種イオンが、中性試薬ガス分子もしくは中性試薬ガス原子または非イオン性試薬ガスとの相互作用時にフラグメンテーションされるかまたは解離するように誘導されて、前記プロダクトイオンまたはフラグメントイオンを形成し、かつ／あるいは
（ｄ）電子が、１つ以上の中性、非イオン性または非荷電の塩基ガスまたは塩基蒸気から１つ以上の多価分析種カチオンまたは正電荷イオンに移動し、この時に、前記多価分析種カチオンまたは正電荷イオンの少なくともいくつかが、解離するように誘導されて、前記プロダクトイオンまたはフラグメントイオンを形成し、かつ／あるいは
（ｅ）電子が、１つ以上の中性、非イオン性または非荷電の超強塩基試薬ガスまたは超強塩基試薬蒸気から１つ以上の多価分析種カチオンまたは正電荷イオンに移動し、この時に、前記多価分析種カチオンまたは正電荷イオンの少なくともいくつかが、解離するように誘導されて、前記プロダクトイオンまたはフラグメントイオンを形成し、かつ／あるいは
（ｆ）電子が、１つ以上の中性、非イオン性または非荷電のアルカリ金属ガスまたはアルカリ金属蒸気から１つ以上の多価分析種カチオンまたは正電荷イオンに移動し、この時に、前記多価分析種カチオンまたは正電荷イオンの少なくともいくつかが、解離するように誘導されて、前記プロダクトイオンまたはフラグメントイオンを形成し、かつ／あるいは
（ｇ）電子が、１つ以上の中性、非イオン性または非荷電のガス、蒸気または原子から１つ以上の多価分析種カチオンまたは正電荷イオンに移動し、この時に、前記多価分析種カチオンまたは正電荷イオンの少なくともいくつかが、解離するように誘導されて、前記プロダクトイオンまたはフラグメントイオンを形成し、前記１つ以上の中性、非イオン性または非荷電のガス、蒸気または原子は、（ｉ）ナトリウム蒸気またはナトリウム原子、（ｉｉ）リチウム蒸気またはリチウム原子、（ｉｉｉ）カリウム蒸気またはカリウム原子、（ｉｖ）ルビジウム蒸気またはルビジウム原子、（ｖ）セシウム蒸気またはセシウム原子、（ｖｉ）フランシウム蒸気またはフランシウム原子、（ｖｉｉ）Ｃ60蒸気またはＣ60原子、および（ｖｉｉｉ）マグネシウム蒸気またはマグネシウム原子からなる群から選択される、
のいずれかである、請求項６に記載の質量分析計。
【請求項８】
（ａ）前記試薬アニオンまたは負電荷イオンが、ポリ芳香族炭化水素または置換ポリ芳香族炭化水素から得られ、かつ／あるいは
（ｂ）前記試薬アニオンまたは負電荷イオンが、（ｉ）アントラセン、（ｉｉ）９，１０ジフェニル−アントラセン、（ｉｉｉ）ナフタレン、（ｉｖ）フッ素、（ｖ）フェナントレン、（ｖｉ）ピレン、（ｖｉｉ）フルオランテン、（ｖｉｉｉ）クリセン、（ｉｘ）トリフェニレン、（ｘ）ペリレン、（ｘｉ）アクリジン、（ｘｉｉ）２，２’ジピリジル、（ｘｉｉｉ）２，２’ビキノリン、（ｘｉｖ）９−アントラセンカルボニトリル、（ｘｖ）ジベンゾチオフェン、（ｘｖｉ）１，１０’−フェナントロリン、（ｘｖｉｉ）９’アントラセンカルボニトリル、および（ｘｖｉｉｉ）アントラキノンからなる群から得られ、かつ／あるいは
（ｃ）前記試薬イオンまたは負電荷イオンが、アゾベンゼンアニオンまたはアゾベンゼンラジカルアニオンを含む、
のいずれかである、請求項７に記載の質量分析計。
【請求項９】
前記多価分析種カチオンまたは正電荷イオンが、ペプチド、ポリペプチド、タンパク質または生体分子を含む、請求項７または８に記載の質量分析計。
【請求項１０】
前記第１のイオンが、衝突誘起解離、電子捕獲解離または表面誘起解離による親イオンまたは分析種イオンのフラグメンテーションから生成されたプロダクトイオンまたはフラグメントイオンを含み、前記プロダクトイオンまたはフラグメントイオンが、大多数のｂ−タイプのプロダクトイオンもしくはフラグメントイオンおよび／またはｙ−タイプのプロダクトイオンもしくはフラグメントイオンを含む、先行する請求項のいずれかに記載の質量分析計。
【請求項１１】
前記第１のイオンが、親イオンまたは分析種イオンと中性のアルカリ金属蒸気またはセシウム蒸気との相互作用による前記親イオンまたは分析種イオンのフラグメンテーションから生成されたプロダクトイオンまたはフラグメントイオンを含む、先行する請求項のいずれかに記載の質量分析計。
【請求項１２】
前記第１のイオンが、負電荷の親イオンまたは分析種イオンに電子を照射して前記親イオンまたは分析種イオンをフラグメンテーションする電子脱離解離による前記親イオンまたは分析種イオンのフラグメンテーションから生成されたプロダクトイオンまたはフラグメントイオンを含む、先行する請求項のいずれかに記載の質量分析計。
【請求項１３】
前記第１のイオンが多価の親イオンまたは分析種イオンを含み、前記親イオンまたは分析種イオンの大多数が、前記質量分析計の真空チャンバ内での電子移動解離、衝突誘起解離、電子捕獲解離または表面誘起解離によるフラグメンテーションを受けていない、請求項１から５のいずれかに記載の質量分析計。
【請求項１４】
前記第１のデバイスの上流に配置される電子移動解離デバイスをさらに含み、前記電子移動解離デバイスが、複数の電極を含む第２のイオンガイドを含む、先行する請求項のいずれかに記載の質量分析計。
【請求項１５】
使用時に、少なくともいくつかの親イオンまたは分析種イオンが、前記親イオンまたは分析種イオンが前記第２のイオンガイドを通って移送される際に前記電子移動解離デバイスにおいてフラグメンテーションされるように配置され、前記親イオンまたは分析種イオンが、カチオンまたは正電荷イオンを含む、請求項１４に記載の質量分析計。
【請求項１６】
前記電子移動解離デバイスが、一動作モードにおいて、前記分析種イオンまたは親イオンが前記第２のイオンガイドを通過する際に前記親イオンまたは分析種イオンのフラグメンテーションを最適化および／または最大化するように構成および適合される制御システムをさらに含む、請求項１５に記載の質量分析計。
【請求項１７】
前記第１のデバイスの上流かつ前記電子移動解離デバイスの下流に配置されるイオン移動度分光計またはイオン移動度セパレータをさらに含み、前記イオン移動度分光計またはイオン移動度セパレータが、複数の電極を含む第３のイオンガイドを含む、請求項１４、１５または１６のいずれかに記載の質量分析計。
【請求項１８】
１つ以上の第１の過渡ＤＣ電圧もしくは過渡ＤＣ電位または１つ以上の第１の過渡ＤＣ電圧波形もしくは過渡ＤＣ電位波形を、前記第１のイオンガイドおよび／または前記第２のイオンガイドおよび／または前記第３のイオンガイドを含む前記複数の電極の少なくともいくつかに印加して、少なくともいくつかのイオンを前記第１のイオンガイドおよび／または前記第２のイオンガイドおよび／または前記第３のイオンガイドの軸方向長さの少なくとも一部に沿っておよび／またはこれを通って駆動または推進するように構成および適合されるＤＣ電圧デバイスをさらに含む、先行する請求項のいずれかに記載の質量分析計。
【請求項１９】
第１の周波数および第１の振幅を有する第１のＡＣ電圧またはＲＦ電圧を、前記第１のイオンガイドおよび／または前記第２のイオンガイドおよび／または前記第３のイオンガイドの前記複数の電極の少なくともいくつかに印加して、使用時にイオンが前記第１のイオンガイドおよび／または前記第２のイオンガイドおよび／または前記第３のイオンガイド内に半径方向に閉じ込められるように構成および適合されるＲＦ電圧デバイスをさらに含み、
（ａ）前記第１の周波数が、（ｉ）＜１００ｋＨｚ、（ｉｉ）１００〜２００ｋＨｚ、（ｉｉｉ）２００〜３００ｋＨｚ、（ｉｖ）３００〜４００ｋＨｚ、（ｖ）４００〜５００ｋＨｚ、（ｖｉ）０．５〜１．０ＭＨｚ、（ｖｉｉ）１．０〜１．５ＭＨｚ、（ｖｉｉｉ）１．５〜２．０ＭＨｚ、（ｉｘ）２．０〜２．５ＭＨｚ、（ｘ）２．５〜３．０ＭＨｚ、（ｘｉ）３．０〜３．５ＭＨｚ、（ｘｉｉ）３．５〜４．０ＭＨｚ、（ｘｉｉｉ）４．０〜４．５ＭＨｚ、（ｘｉｖ）４．５〜５．０ＭＨｚ、（ｘｖ）５．０〜５．５ＭＨｚ、（ｘｖｉ）５．５〜６．０ＭＨｚ、（ｘｖｉｉ）６．０〜６．５ＭＨｚ、（ｘｖｉｉｉ）６．５〜７．０ＭＨｚ、（ｘｉｘ）７．０〜７．５ＭＨｚ、（ｘｘ）７．５〜８．０ＭＨｚ、（ｘｘｉ）８．０〜８．５ＭＨｚ、（ｘｘｉｉ）８．５〜９．０ＭＨｚ、（ｘｘｉｉｉ）９．０〜９．５ＭＨｚ、（ｘｘｉｖ）９．５〜１０．０ＭＨｚ、および（ｘｘｖ）＞１０．０ＭＨｚからなる群から選択され、かつ／あるいは
（ｂ）前記第１の振幅が、（ｉ）＜５０Ｖピーク・トゥ・ピーク、（ｉｉ）５０〜１００Ｖピーク・トゥ・ピーク、（ｉｉｉ）１００〜１５０Ｖピーク・トゥ・ピーク、（ｉｖ）１５０〜２００Ｖピーク・トゥ・ピーク、（ｖ）２００〜２５０Ｖピーク・トゥ・ピーク、（ｖｉ）２５０〜３００Ｖピーク・トゥ・ピーク、（ｖｉｉ）３００〜３５０Ｖピーク・トゥ・ピーク、（ｖｉｉｉ）３５０〜４００Ｖピーク・トゥ・ピーク、（ｉｘ）４００〜４５０Ｖピーク・トゥ・ピーク、（ｘ）４５０〜５００Ｖピーク・トゥ・ピーク、および（ｘｉ）＞５００Ｖピーク・トゥ・ピークからなる群から選択され、かつ／あるいは
（ｃ）一動作モードにおいて、隣接または近接する電極には、反対の位相の前記第１のＡＣ電圧またはＲＦ電圧が供給され、かつ／あるいは
（ｄ）前記第１のイオンガイドおよび／または前記第２のイオンガイドおよび／または前記第３のイオンガイドが、１〜１０、１０〜２０、２０〜３０、３０〜４０、４０〜５０、５０〜６０、６０〜７０、７０〜８０、８０〜９０、９０〜１００または＞１００グループの電極を含み、各グループの電極が、少なくとも１、２、３、４、５、６、７、８、９、１０、１１、１２、１３、１４、１５、１６、１７、１８、１９または２０個の電極を含み、かつ各グループにおける少なくとも１、２、３、４、５、６、７、８、９、１０、１１、１２、１３、１４、１５、１６、１７、１８、１９または２０個の電極には、同じ位相の前記第１のＡＣ電圧またはＲＦ電圧が供給される、
のいずれかである、先行する請求項のいずれかに記載の質量分析計。
【請求項２０】
前記第１のイオンガイドおよび／または前記第２のイオンガイドおよび／または前記第３のイオンガイドが、使用時にイオンが移送される少なくとも１つの開口を有する複数の電極を含み、
（ａ）前記電極のうちの少なくとも１％、５％、１０％、２０％、３０％、４０％、５０％、６０％、７０％、８０％、９０％、９５％または１００％が、実質的に円形、矩形、正方形または楕円形の開口を有し、かつ／あるいは
（ｂ）前記電極のうちの少なくとも１％、５％、１０％、２０％、３０％、４０％、５０％、６０％、７０％、８０％、９０％、９５％または１００％が、実質的に同じ第１のサイズを有するか、または実質的に同じ第１の面積を有する開口を有し、かつ／または前記電極のうちの少なくとも１％、５％、１０％、２０％、３０％、４０％、５０％、６０％、７０％、８０％、９０％、９５％または１００％が、実質的に同じ第２の異なるサイズを有するか、または実質的に同じ第２の異なる面積を有する開口を有し、かつ／あるいは
（ｃ）前記電極のうちの少なくとも１％、５％、１０％、２０％、３０％、４０％、５０％、６０％、７０％、８０％、９０％、９５％または１００％が、サイズまたは面積が前記イオンガイドの軸に沿った方向へいくにつれ順次より大きくおよび／またはより小さくなる開口を有し、かつ／あるいは
（ｄ）前記電極のうちの少なくとも１％、５％、１０％、２０％、３０％、４０％、５０％、６０％、７０％、８０％、９０％、９５％または１００％が、（ｉ）≦１．０ｍｍ、（ｉｉ）≦２．０ｍｍ、（ｉｉｉ）≦３．０ｍｍ、（ｉｖ）≦４．０ｍｍ、（ｖ）≦５．０ｍｍ、（ｖｉ）≦６．０ｍｍ、（ｖｉｉ）≦７．０ｍｍ、（ｖｉｉｉ）≦８．０ｍｍ、（ｉｘ）≦９．０ｍｍ、（ｘ）≦１０．０ｍｍ、および（ｘｉ）＞１０．０ｍｍからなる群から選択される内径または内寸法を有する開口を有し、かつ／あるいは
（ｅ）前記電極のうちの少なくとも１％、５％、１０％、２０％、３０％、４０％、５０％、６０％、７０％、８０％、９０％、９５％または１００％が、（ｉ）５ｍｍ以下、（ｉｉ）４．５ｍｍ以下、（ｉｉｉ）４ｍｍ以下、（ｉｖ）３．５ｍｍ以下、（ｖ）３ｍｍ以下、（ｖｉ）２．５ｍｍ以下、（ｖｉｉ）２ｍｍ以下、（ｖｉｉｉ）１．５ｍｍ以下、（ｉｘ）１ｍｍ以下、（ｘ）０．８ｍｍ以下、（ｘｉ）０．６ｍｍ以下、（ｘｉｉ）０．４ｍｍ以下、（ｘｉｉｉ）０．２ｍｍ以下、（ｘｉｖ）０．１ｍｍ以下、および（ｘｖ）０．２５ｍｍ以下からなる群から選択される軸方向距離だけ互いに離間し、かつ／あるいは
（ｆ）前記複数の電極のうちの少なくともいくつかが、開口を含み、かつ前記開口の内径または内寸法の隣接する電極間の中心−中心軸方向間隔に対する比が、（ｉ）＜１．０、（ｉｉ）１．０〜１．２、（ｉｉｉ）１．２〜１．４、（ｉｖ）１．４〜１．６、（ｖ）１．６〜１．８、（ｖｉ）１．８〜２．０、（ｖｉｉ）２．０〜２．２、（ｖｉｉｉ）２．２〜２．４、（ｉｘ）２．４〜２．６、（ｘ）２．６〜２．８、（ｘｉ）２．８〜３．０、（ｘｉｉ）３．０〜３．２、（ｘｉｉｉ）３．２〜３．４、（ｘｉｖ）３．４〜３．６、（ｘｖ）３．６〜３．８、（ｘｖｉ）３．８〜４．０、（ｘｖｉｉ）４．０〜４．２、（ｘｖｉｉｉ）４．２〜４．４、（ｘｉｘ）４．４〜４．６、（ｘｘ）４．６〜４．８、（ｘｘｉ）４．８〜５．０、および（ｘｘｉｉ）＞５．０からなる群から選択され、かつ／あるいは
（ｇ）前記複数の電極の開口の内径が、前記第１のイオンガイドおよび／または前記第２のイオンガイドおよび／または前記第３のイオンガイドの長軸に沿って１回以上順次増大または低減し、そして次いで順次低減または増大し、かつ／あるいは
（ｈ）前記複数の電極が、幾何体積を規定し、前記幾何体積は、（ｉ）１つ以上の球、（ｉｉ）１つ以上の扁平楕円体、（ｉｉｉ）１つ以上の扁長楕円体、（ｉｖ）１つ以上の楕円体、および（ｖ）１つ以上の不等辺楕円体からなる群から選択され、かつ／あるいは
（ｉ）前記第１のイオンガイドおよび／または前記第２のイオンガイドおよび／または前記第３のイオンガイドが、（ｉ）＜２０ｍｍ、（ｉｉ）２０〜４０ｍｍ、（ｉｉｉ）４０〜６０ｍｍ、（ｉｖ）６０〜８０ｍｍ、（ｖ）８０〜１００ｍｍ、（ｖｉ）１００〜１２０ｍｍ、（ｖｉｉ）１２０〜１４０ｍｍ、（ｖｉｉｉ）１４０〜１６０ｍｍ、（ｉｘ）１６０〜１８０ｍｍ、（ｘ）１８０〜２００ｍｍ、および（ｘｉ）＞２００ｍｍからなる群から選択される長さを有し、かつ／あるいは
（ｊ）前記第１のイオンガイドおよび／または前記第２のイオンガイドおよび／または前記第３のイオンガイドが、少なくとも（ｉ）１〜１０個の電極、（ｉｉ）１０〜２０個の電極、（ｉｉｉ）２０〜３０個の電極、（ｉｖ）３０〜４０個の電極、（ｖ）４０〜５０個の電極、（ｖｉ）５０〜６０個の電極、（ｖｉｉ）６０〜７０個の電極、（ｖｉｉｉ）７０〜８０個の電極、（ｉｘ）８０〜９０個の電極、（ｘ）９０〜１００個の電極、（ｘｉ）１００〜１１０個の電極、（ｘｉｉ）１１０〜１２０個の電極、（ｘｉｉｉ）１２０〜１３０個の電極、（ｘｉｖ）１３０〜１４０個の電極、（ｘｖ）１４０〜１５０個の電極、（ｘｖｉ）１５０〜１６０個の電極、（ｘｖｉｉ）１６０〜１７０個の電極、（ｘｖｉｉｉ）１７０〜１８０個の電極、（ｘｉｘ）１８０〜１９０個の電極、（ｘｘ）１９０〜２００個の電極、および（ｘｘｉ）＞２００個の電極を含み、かつ／あるいは
（ｋ）前記複数の電極のうちの少なくとも１％、５％、１０％、２０％、３０％、４０％、５０％、６０％、７０％、８０％、９０％、９５％または１００％が、（ｉ）５ｍｍ以下、（ｉｉ）４．５ｍｍ以下、（ｉｉｉ）４ｍｍ以下、（ｉｖ）３．５ｍｍ以下、（ｖ）３ｍｍ以下、（ｖｉ）２．５ｍｍ以下、（ｖｉｉ）２ｍｍ以下、（ｖｉｉｉ）１．５ｍｍ以下、（ｉｘ）１ｍｍ以下、（ｘ）０．８ｍｍ以下、（ｘｉ）０．６ｍｍ以下、（ｘｉｉ）０．４ｍｍ以下、（ｘｉｉｉ）０．２ｍｍ以下、（ｘｉｖ）０．１ｍｍ以下、および（ｘｖ）０．２５ｍｍ以下からなる群から選択される厚さまたは軸方向長さを有し、かつ／あるいは
（ｌ）前記複数の電極のピッチまたは軸方向間隔が、前記第１のイオンガイドおよび／または前記第２のイオンガイドおよび／または前記第３のイオンガイドの長軸に沿って１回以上順次低減または増大する、
のいずれかである、先行する請求項のいずれかに記載の質量分析計。
【請求項２１】
前記第１のイオンガイドおよび／または前記第２のイオンガイドおよび／または前記第３のイオンガイドが、
（ａ）複数のセグメント化ロッド電極、または
（ｂ）１つ以上の第１の電極、１つ以上の第２の電極、および使用時にイオンが進行する平面に配置される１つ以上の層の中間電極であって、前記１つ以上の層の中間電極は前記１つ以上の第１の電極と前記１つ以上の第２の電極との間に配置され、前記１つ以上の層の中間電極は１つ以上の層の平面電極またはプレート電極を含み、前記１つ以上の第１の電極は最上部の電極であり、前記１つ以上の第２の電極は最下部の電極である、１つ以上の第１の電極、１つ以上の第２の電極、および１つ以上の層の中間電極
のいずれかを含む、請求項１〜１９のいずれかに記載の質量分析計。
【請求項２２】
（ａ）静的なイオン−中性ガス反応領域またはイオン−中性ガス反応体積が前記第１のイオンガイドにおいて形成または生成されるか、あるいは
（ｂ）動的なまたは時変のイオン−中性ガス反応領域またはイオン−中性ガス反応体積が前記第１のイオンガイドにおいて形成または生成される、先行する請求項のいずれかに記載の質量分析計。
【請求項２３】
（ａ）前記第１のイオンガイドおよび／または前記第２のイオンガイドおよび／または前記第３のイオンガイドを、一動作モードにおいて、（ｉ）＜１００ｍｂａｒ、（ｉｉ）＜１０ｍｂａｒ、（ｉｉｉ）＜１ｍｂａｒ、（ｉｖ）＜０．１ｍｂａｒ、（ｖ）＜０．０１ｍｂａｒ、（ｖｉ）＜０．００１ｍｂａｒ、（ｖｉｉ）＜０．０００１ｍｂａｒ、および（ｖｉｉｉ）＜０．００００１ｍｂａｒからなる群から選択される圧力に維持し、かつ／あるいは
（ｂ）前記第１のイオンガイドおよび／または前記第２のイオンガイドおよび／または前記第３のイオンガイドを、一動作モードにおいて、（ｉ）＞１００ｍｂａｒ、（ｉｉ）＞１０ｍｂａｒ、（ｉｉｉ）＞１ｍｂａｒ、（ｉｖ）＞０．１ｍｂａｒ、（ｖ）＞０．０１ｍｂａｒ、（ｖｉ）＞０．００１ｍｂａｒ、および（ｖｉｉ）＞０．０００１ｍｂａｒからなる群から選択される圧力に維持し、かつ／あるいは
（ｃ）前記第１のイオンガイドおよび／または前記第２のイオンガイドおよび／または前記第３のイオンガイドを、一動作モードにおいて、（ｉ）０．０００１〜０．００１ｍｂａｒ、（ｉｉ）０．００１〜０．０１ｍｂａｒ、（ｉｉｉ）０．０１〜０．１ｍｂａｒ、（ｉｖ）０．１〜１ｍｂａｒ、（ｖ）１〜１０ｍｂａｒ、（ｖｉ）１０〜１００ｍｂａｒ、および（ｖｉｉ）１００〜１０００ｍｂａｒからなる群から選択される圧力に維持する
のいずれかに構成および適合されるデバイスをさらに含む、先行する請求項のいずれかに記載の質量分析計。
【請求項２４】
（ａ）前記第１のイオンガイドおよび／または前記第２のイオンガイドおよび／または前記第３のイオンガイド内のイオンのうちの少なくとも１％、５％、１０％、２０％、３０％、４０％、５０％、６０％、７０％、８０％、９０％、９５％または１００％についての滞留時間、過渡時間または反応時間が、（ｉ）＜１ｍｓ、（ｉｉ）１〜５ｍｓ、（ｉｉｉ）５〜１０ｍｓ、（ｉｖ）１０〜１５ｍｓ、（ｖ）１５〜２０ｍｓ、（ｖｉ）２０〜２５ｍｓ、（ｖｉｉ）２５〜３０ｍｓ、（ｖｉｉｉ）３０〜３５ｍｓ、（ｉｘ）３５〜４０ｍｓ、（ｘ）４０〜４５ｍｓ、（ｘｉ）４５〜５０ｍｓ、（ｘｉｉ）５０〜５５ｍｓ、（ｘｉｉｉ）５５〜６０ｍｓ、（ｘｉｖ）６０〜６５ｍｓ、（ｘｖ）６５〜７０ｍｓ、（ｘｖｉ）７０〜７５ｍｓ、（ｘｖｉｉ）７５〜８０ｍｓ、（ｘｖｉｉｉ）８０〜８５ｍｓ、（ｘｉｘ）８５〜９０ｍｓ、（ｘｘ）９０〜９５ｍｓ、（ｘｘｉ）９５〜１００ｍｓ、（ｘｘｉｉ）１００〜１０５ｍｓ、（ｘｘｉｉｉ）１０５〜１１０ｍｓ、（ｘｘｉｖ）１１０〜１１５ｍｓ、（ｘｘｖ）１１５〜１２０ｍｓ、（ｘｘｖｉ）１２０〜１２５ｍｓ、（ｘｘｖｉｉ）１２５〜１３０ｍｓ、（ｘｘｖｉｉｉ）１３０〜１３５ｍｓ、（ｘｘｉｘ）１３５〜１４０ｍｓ、（ｘｘｘ）１４０〜１４５ｍｓ、（ｘｘｘｉ）１４５〜１５０ｍｓ、（ｘｘｘｉｉ）１５０〜１５５ｍｓ、（ｘｘｘｉｉｉ）１５５〜１６０ｍｓ、（ｘｘｘｉｖ）１６０〜１６５ｍｓ、（ｘｘｘｖ）１６５〜１７０ｍｓ、（ｘｘｘｖｉ）１７０〜１７５ｍｓ、（ｘｘｘｖｉｉ）１７５〜１８０ｍｓ、（ｘｘｘｖｉｉｉ）１８０〜１８５ｍｓ、（ｘｘｘｉｘ）１８５〜１９０ｍｓ、（ｘｌ）１９０〜１９５ｍｓ、（ｘｌｉ）１９５〜２００ｍｓ、および（ｘｌｉｉ）＞２００ｍｓからなる群から選択され、かつ／あるいは
（ｂ）前記第２のイオンガイド内で生成または形成されたプロダクトイオンまたはフラグメントイオンのうちの少なくとも１％、５％、１０％、２０％、３０％、４０％、５０％、６０％、７０％、８０％、９０％、９５％または１００％についての滞留時間、過渡時間または反応時間が、（ｉ）＜１ｍｓ、（ｉｉ）１〜５ｍｓ、（ｉｉｉ）５〜１０ｍｓ、（ｉｖ）１０〜１５ｍｓ、（ｖ）１５〜２０ｍｓ、（ｖｉ）２０〜２５ｍｓ、（ｖｉｉ）２５〜３０ｍｓ、（ｖｉｉｉ）３０〜３５ｍｓ、（ｉｘ）３５〜４０ｍｓ、（ｘ）４０〜４５ｍｓ、（ｘｉ）４５〜５０ｍｓ、（ｘｉｉ）５０〜５５ｍｓ、（ｘｉｉｉ）５５〜６０ｍｓ、（ｘｉｖ）６０〜６５ｍｓ、（ｘｖ）６５〜７０ｍｓ、（ｘｖｉ）７０〜７５ｍｓ、（ｘｖｉｉ）７５〜８０ｍｓ、（ｘｖｉｉｉ）８０〜８５ｍｓ、（ｘｉｘ）８５〜９０ｍｓ、（ｘｘ）９０〜９５ｍｓ、（ｘｘｉ）９５〜１００ｍｓ、（ｘｘｉｉ）１００〜１０５ｍｓ、（ｘｘｉｉｉ）１０５〜１１０ｍｓ、（ｘｘｉｖ）１１０〜１１５ｍｓ、（ｘｘｖ）１１５〜１２０ｍｓ、（ｘｘｖｉ）１２０〜１２５ｍｓ、（ｘｘｖｉｉ）１２５〜１３０ｍｓ、（ｘｘｖｉｉｉ）１３０〜１３５ｍｓ、（ｘｘｉｘ）１３５〜１４０ｍｓ、（ｘｘｘ）１４０〜１４５ｍｓ、（ｘｘｘｉ）１４５〜１５０ｍｓ、（ｘｘｘｉｉ）１５０〜１５５ｍｓ、（ｘｘｘｉｉｉ）１５５〜１６０ｍｓ、（ｘｘｘｉｖ）１６０〜１６５ｍｓ、（ｘｘｘｖ）１６５〜１７０ｍｓ、（ｘｘｘｖｉ）１７０〜１７５ｍｓ、（ｘｘｘｖｉｉ）１７５〜１８０ｍｓ、（ｘｘｘｖｉｉｉ）１８０〜１８５ｍｓ、（ｘｘｘｉｘ）１８５〜１９０ｍｓ、（ｘｌ）１９０〜１９５ｍｓ、（ｘｌｉ）１９５〜２００ｍｓ、および（ｘｌｉｉ）＞２００ｍｓからなる群から選択され、かつ／あるいは
（ｃ）前記第１のイオンガイドおよび／または前記第２のイオンガイドおよび／または前記第３のイオンガイドが、（ｉ）＜１ｍｓ、（ｉｉ）１〜１０ｍｓ、（ｉｉｉ）１０〜２０ｍｓ、（ｉｖ）２０〜３０ｍｓ、（ｖ）３０〜４０ｍｓ、（ｖｉ）４０〜５０ｍｓ、（ｖｉｉ）５０〜６０ｍｓ、（ｖｉｉｉ）６０〜７０ｍｓ、（ｉｘ）７０〜８０ｍｓ、（ｘ）８０〜９０ｍｓ、（ｘｉ）９０〜１００ｍｓ、（ｘｉｉ）１００〜２００ｍｓ、（ｘｉｉｉ）２００〜３００ｍｓ、（ｘｉｖ）３００〜４００ｍｓ、（ｘｖ）４００〜５００ｍｓ、（ｘｖｉ）５００〜６００ｍｓ、（ｘｖｉｉ）６００〜７００ｍｓ、（ｘｖｉｉｉ）７００〜８００ｍｓ、（ｘｉｘ）８００〜９００ｍｓ、（ｘｘ）９００〜１０００ｍｓ、（ｘｘｉ）１〜２ｓ、（ｘｘｉｉ）２〜３ｓ、（ｘｘｉｉｉ）３〜４ｓ、（ｘｘｉｖ）４〜５ｓ、および（ｘｘｖ）＞５ｓからなる群から選択されるサイクル時間を有する、先行する請求項のいずれかに記載の質量分析計。
【請求項２５】
（ａ）一動作モードにおいて、イオンは、前記第１のイオンガイドおよび／または前記第２のイオンガイドおよび／または前記第３のイオンガイド内でトラップされるが、実質的にフラグメンテーションおよび／または反応および／または電荷減少がされないように配置および適合され、かつ／あるいは
（ｂ）一動作モードにおいて、イオンは、前記第１のイオンガイドおよび／または前記第２のイオンガイドおよび／または前記第３のイオンガイド内で衝突により冷却されるか、または実質的に熱化されるように配置および適合され、かつ／あるいは
（ｃ）一動作モードにおいて、イオンは、前記第１のイオンガイドおよび／または前記第２のイオンガイドおよび／または前記第３のイオンガイド内で実質的にフラグメンテーションおよび／または反応および／または電荷減少がされるように配置および適合され、かつ／あるいは
（ｄ）一動作モードにおいて、イオンは、前記第１のイオンガイドおよび／または前記第２のイオンガイドおよび／または前記第３のイオンガイドの入口および／または出口に配置される１つ以上の電極によって前記第１のイオンガイドおよび／または前記第２のイオンガイドおよび／または前記第３のイオンガイド中へおよび／またはそこからパルスとして入射および／または出射されるように配置および適合される、先行する請求項のいずれかに記載の質量分析計。
【請求項２６】
（ａ）前記第１のデバイスの上流に配置されるイオン源であって、前記イオン源が、（ｉ）エレクトロスプレーイオン化（「ＥＳＩ」）イオン源、（ｉｉ）大気圧光イオン化（「ＡＰＰＩ」）イオン源、（ｉｉｉ）大気圧化学イオン化（「ＡＰＣＩ」）イオン源、（ｉｖ）マトリックス支援レーザ脱離イオン化（「ＭＡＬＤＩ」）イオン源、（ｖ）レーザ脱離イオン化（「ＬＤＩ」）イオン源、（ｖｉ）大気圧イオン化（「ＡＰＩ」）イオン源、（ｖｉｉ）シリコン上脱離イオン化（「ＤＩＯＳ」）イオン源、（ｖｉｉｉ）電子衝突（「ＥＩ」）イオン源、（ｉｘ）化学イオン化（「ＣＩ」）イオン源、（ｘ）電界イオン化（「ＦＩ」）イオン源、（ｘｉ）電界脱離（「ＦＤ」）イオン源、（ｘｉｉ）誘導結合プラズマ（「ＩＣＰ」）イオン源、（ｘｉｉｉ）高速原子衝撃（「ＦＡＢ」）イオン源、（ｘｉｖ）液体二次イオン質量分析（「ＬＳＩＭＳ」）イオン源、（ｘｖ）脱離エレクトロスプレーイオン化（「ＤＥＳＩ」）イオン源、（ｘｖｉ）ニッケル−６３放射性イオン源、（ｘｖｉｉ）大気圧マトリックス支援レーザ脱離イオン化イオン源、（ｘｖｉｉｉ）熱スプレーイオン源、（ｘｉｘ）大気サンプリンググロー放電イオン化（「ＡＳＧＤＩ」）イオン源、および（ｘｘ）グロー放電（「ＧＤ」）イオン源からなる群から選択されるイオン源、ならびに／あるいは
（ｂ）１つ以上の連続イオン源またはパルスイオン源、ならびに／あるいは
（ｃ）前記第１のデバイスの上流および／または下流に配置される１つ以上のイオンガイド、ならびに／あるいは
（ｄ）前記第１のデバイスの上流および／または下流に配置される１つ以上のイオン移動度分離デバイスおよび／または１つ以上の電界非対称イオン移動度分光計デバイス、ならびに／あるいは
（ｅ）前記第１のデバイスの上流および／または下流に配置される１つ以上のイオントラップまたは１つ以上のイオントラッピング領域、ならびに／あるいは
（ｆ）前記第１のデバイスの上流および／または下流に配置される１つ以上の衝突セル、フラグメンテーションセルまたは反応セルであって、前記１つ以上の衝突セル、フラグメンテーションセルまたは反応セルが、（ｉ）衝突誘起解離（「ＣＩＤ」）フラグメンテーションデバイス、（ｉｉ）表面誘起解離（「ＳＩＤ」）フラグメンテーションデバイス、（ｉｉｉ）電子移動解離（「ＥＴＤ」）フラグメンテーションデバイス、（ｉｖ）電子捕獲解離（「ＥＣＤ」）フラグメンテーションデバイス、（ｖ）電子衝突または衝撃解離フラグメンテーションデバイス、（ｖｉ）光誘起解離（「ＰＩＤ」）フラグメンテーションデバイス、（ｖｉｉ）レーザ誘起解離フラグメンテーションデバイス、（ｖｉｉｉ）赤外放射誘起解離デバイス、（ｉｘ）紫外放射誘起解離デバイス、（ｘ）ノズル−スキマ間インターフェースフラグメンテーションデバイス、（ｘｉ）インソースフラグメンテーションデバイス、（ｘｉｉ）インソース衝突誘起解離フラグメンテーションデバイス、（ｘｉｉｉ）熱または温度源フラグメンテーションデバイス、（ｘｉｖ）電界誘起フラグメンテーションデバイス、（ｘｖ）磁場誘起フラグメンテーションデバイス、（ｘｖｉ）酵素消化または酵素分解フラグメンテーションデバイス、（ｘｖｉｉ）イオン−イオン反応フラグメンテーションデバイス、（ｘｖｉｉｉ）イオン−分子反応フラグメンテーションデバイス、（ｘｉｘ）イオン−原子反応フラグメンテーションデバイス、（ｘｘ）イオン−準安定イオン反応フラグメンテーションデバイス、（ｘｘｉ）イオン−準安定分子反応フラグメンテーションデバイス、（ｘｘｉｉ）イオン−準安定原子反応フラグメンテーションデバイス、（ｘｘｉｉｉ）イオンを反応させて付加イオンまたはプロダクトイオンを形成するためのイオン−イオン反応デバイス、（ｘｘｉｖ）イオンを反応させて付加イオンまたはプロダクトイオンを形成するためのイオン−分子反応デバイス、（ｘｘｖ）イオンを反応させて付加イオンまたはプロダクトイオンを形成するためのイオン−原子反応デバイス、（ｘｘｖｉ）イオンを反応させて付加イオンまたはプロダクトイオンを形成するためのイオン−準安定イオン反応デバイス、（ｘｘｖｉｉ）イオンを反応させて付加イオンまたはプロダクトイオンを形成するためのイオン−準安定分子反応デバイス、（ｘｘｖｉｉｉ）イオンを反応させて付加イオンまたはプロダクトイオンを形成するためのイオン−準安定原子反応デバイス、および（ｘｘｉｘ）電子イオン化解離（「ＥＩＤ」）フラグメンテーションデバイスからなる群から選択される１つ以上の衝突セル、フラグメンテーションセルまたは反応セル、ならびに／あるいは
（ｇ）質量分析部であって、（ｉ）四重極質量分析部、（ｉｉ）二次元またはリニア四重極質量分析部、（ｉｉｉ）ポールまたは三次元四重極質量分析部、（ｉｖ）ペニングトラップ質量分析部、（ｖ）イオントラップ質量分析部、（ｖｉ）磁場型質量分析部、（ｖｉｉ）イオンサイクロトロン共鳴（「ＩＣＲ」）質量分析部、（ｖｉｉｉ）フーリエ変換イオンサイクロトロン共鳴（「ＦＴＩＣＲ」）質量分析部、（ｉｘ）静電またはオービトラップ質量分析部、（ｘ）フーリエ変換静電またはオービトラップ質量分析部、（ｘｉ）フーリエ変換質量分析部、（ｘｉｉ）飛行時間質量分析部、（ｘｉｉｉ）直交加速式飛行時間質量分析部、および（ｘｉｖ）直線加速式飛行時間質量分析部からなる群から選択される質量分析部、ならびに／あるいは
（ｈ）前記第１のデバイスの上流および／または下流に配置される１つ以上のエネルギー分析部または静電エネルギー分析部、ならびに／あるいは
（ｉ）前記第１のデバイスの上流および／または下流に配置される１つ以上のイオン検出器、ならびに／あるいは
（ｊ）前記第１のデバイスの上流および／または下流に配置される１つ以上の質量フィルタであって、前記１つ以上の質量フィルタが、（ｉ）四重極質量フィルタ、（ｉｉ）二次元またはリニア四重極イオントラップ、（ｉｉｉ）ポールまたは三次元四重極イオントラップ、（ｉｖ）ペニングイオントラップ、（ｖ）イオントラップ、（ｖｉ）磁場型質量フィルタ、（ｖｉｉ）飛行時間質量フィルタ、および（ｖｉｉｉ）ウィーンフィルタからなる群から選択される１つ以上の質量フィルタ、ならびに／あるいは
（ｋ）イオンをパルスにして前記第１のデバイスへ入力するためのデバイスまたはイオンゲート、ならびに／あるいは
（ｌ）実質的に連続なイオンビームをパルスイオンビームに変換するためのデバイス
のいずれかをさらに含む、先行する請求項のいずれかに記載の質量分析計。
【請求項２７】
（ａ）分析種イオンおよび／または試薬イオンを生成するための１つ以上の大気圧イオン源、ならびに／あるいは
（ｂ）分析種イオンおよび／または試薬イオンを生成するための１つ以上のエレクトロスプレーイオン源、ならびに／あるいは
（ｃ）分析種イオンおよび／または試薬イオンを生成するための１つ以上の大気圧化学イオン源、ならびに／あるいは
（ｄ）分析種イオンおよび／または試薬イオンを生成するための１つ以上のグロー放電イオン源をさらに含む、先行する請求項のいずれかに記載の質量分析計。
【請求項２８】
分析種イオンおよび／または試薬イオンを生成するための１つ以上のグロー放電イオン源が前記質量分析計の１つ以上の真空チャンバに設けられる、先行する請求項のいずれかに記載の質量分析計。
【請求項２９】
前記質量分析計が、
Ｃ−トラップと、
外側樽状電極および同心の内側紡錘状電極を含むオービトラップ質量分析部と
をさらに含み、
第１の動作モードにおいて、イオンが、前記Ｃ−トラップへ移送され、そして次いで前記オービトラップ質量分析部中へ注入され、かつ
第２の動作モードにおいて、イオンが、前記Ｃ−トラップへ移送され、そして次いで衝突セルまたは電子移動解離デバイスへ移送され、少なくともいくつかのイオンが、フラグメントイオンへフラグメンテーションされ、そして次いで前記フラグメントイオンが、前記Ｃ−トラップへ移送され、その後前記オービトラップ質量分析部中へ注入される、先行する請求項のいずれかに記載の質量分析計。
【請求項３０】
前記質量分析計が、
使用時にイオンが移送される開口を有する複数の電極を含む積層リングイオンガイドであって、前記電極の間隔が、イオン経路の長さに沿って増大し、かつ前記イオンガイドの上流部分における前記電極中の開口は、第１の直径を有し、前記イオンガイドの下流部分における前記電極中の開口は、前記第１の直径よりも小さな第２の直径を有し、かつ使用時に反対の位相のＡＣ電圧またはＲＦ電圧が連続した電極に印加される積層リングイオンガイドを含む、先行する請求項のいずれかに記載の質量分析計。
【請求項３１】
複数の電極を含む第１のイオンガイドを含む第１のデバイスを含む質量分析計の制御システムによって実行可能なコンピュータプログラムであって、前記コンピュータプログラムが、前記制御システムに
第１のイオンを前記第１のイオンガイド内で１つ以上の中性、非イオン性または非荷電の超強塩基試薬ガスまたは超強塩基試薬蒸気と反応させて、前記第１のイオンの電荷状態を低減させるように構成されるコンピュータプログラム。
【請求項３２】
コンピュータによって実行可能な命令が格納されたコンピュータ読み取り可能な媒体であって、前記命令が、複数の電極を含む第１のイオンガイドを含む第１のデバイスを含む質量分析計の制御システムによって実行可能に構成され、前記コンピュータプログラムが、前記制御システムに
第１のイオンを前記第１のイオンガイド内で１つ以上の中性、非イオン性または非荷電の超強塩基試薬ガスまたは超強塩基試薬蒸気と反応させて、前記第１のイオンの電荷状態を低減するように構成されるコンピュータ読み取り可能な媒体。
【請求項３３】
前記コンピュ−タ読み取り可能な媒体は、（ｉ）ＲＯＭ、（ｉｉ）ＥＡＲＯＭ、（ｉｉｉ）ＥＰＲＯＭ、（ｉｖ）ＥＥＰＲＯＭ、（ｖ）フラッシュメモリ、（ｖｉ）光学ディスク、（ｖｉｉ）ＲＡＭ、および（ｖｉｉｉ）ハードディスクドライブからなる群から選択される、請求項３２に記載のコンピュ−タ読み取り可能な媒体。
【請求項３４】
複数の電極を含む第１のイオンガイドを含む第１のデバイスを準備する工程、および
第１のイオンを１つ以上の中性、非イオン性または非荷電の超強塩基試薬ガスまたは超強塩基試薬蒸気と反応させて、前記第１のイオンの電荷状態を低減する工程
を含む質量分析の方法。
【請求項３５】
親イオンまたは分析種イオンを１つ以上の中性、非イオン性または非荷電の試薬ガスまたは試薬蒸気と反応させて、前記親イオンまたは分析種イオンを電子移動解離によってフラグメンテーションさせるように構成および適合される電子移動解離デバイス
を含む質量分析計。
【請求項３６】
前記中性、非イオン性または非荷電の試薬ガスまたは試薬蒸気が、アルカリ金属蒸気を含む、請求項３５に記載の質量分析計。
【請求項３７】
前記中性、非イオン性または非荷電の試薬ガスまたは試薬蒸気が、セシウム蒸気を含む、請求項３５または３６に記載の質量分析計。
【請求項３８】
電子移動解離デバイスを準備する工程、および
親イオンまたは分析種イオンを前記電子移動解離デバイス内で１つ以上の中性、非イオン性または非荷電の試薬ガスまたは試薬蒸気と反応させて、前記親イオンまたは分析種イオンを電子移動解離によってフラグメンテーションさせる工程
を含む質量分析の方法。
【請求項３９】
前記中性、非イオン性または非荷電の試薬ガスまたは試薬蒸気が、アルカリ金属蒸気を含む、請求項３８に記載の質量分析の方法。
【請求項４０】
前記中性、非イオン性または非荷電の試薬ガスまたは試薬蒸気が、セシウム蒸気を含む、請求項３８または３９に記載の質量分析の方法。
【請求項４１】
第１のイオンを１つ以上の中性、非イオン性または非荷電の第１の試薬ガスまたは試薬蒸気と反応させて、前記第１のイオンの電荷状態を低減するように構成および適合される第１のデバイスであって、複数の電極を含む第１のイオンガイドを含む第１のデバイス
を含む質量分析計。
【請求項４２】
前記第１の試薬ガスまたは試薬蒸気が、揮発性アミンを含む、請求項４１に記載の質量分析計。
【請求項４３】
前記第１の試薬ガスまたは試薬蒸気が、トリメチルアミンまたはトリエチルアミンを含む、請求項４１または４２に記載の質量分析計。
【請求項４４】
複数の電極を含む第１のイオンガイドを含む第１のデバイスを準備する工程、および
第１のイオンを１つ以上の中性、非イオン性または非荷電の第１の試薬ガスまたは試薬蒸気と反応させて、前記第１のイオンの電荷状態を低減する工程
を含む質量分析の方法。
【請求項４５】
前記第１の試薬ガスまたは試薬蒸気が、トリメチルアミンまたはトリエチルアミンを含む、請求項４４に記載の方法。
【発明の詳細な説明】
【技術分野】
【０００１】
本発明は、質量分析計および質量分析の方法に関する。この質量分析計は、気体状の中性超強塩基性試薬を用いたプロトン移動反応（「ＰＴＲ」）によって電子移動解離（「ＥＴＤ」）プロダクトイオンまたはフラグメントイオンの電荷を低減するかあるいは電荷を剥ぎ取る（charge stripping）ために好ましくは構成される。
【背景技術】
【０００２】
エレクトロスプレーイオン化イオン源は、周知であり、かつＨＰＬＣカラムから溶出した中性ペプチドを気相分析種イオンに変換するために使用され得る。酸性水溶液中で、トリプシンペプチドは、アミノ末端およびＣ−末端アミノ酸の側鎖の両方においてイオン化される。ペプチドイオンが進行して質量分析計に入ると、正電荷のアミノ基が水素結合し、そしてプロトンをペプチドの骨格に沿ってアミド基へ移動させる。
【０００３】
ペプチドイオンを衝突ガスに衝突させることによってペプチドイオンの内部エネルギーを増大させて、ペプチドイオンをフラグメンテーションさせることが公知である。ペプチドイオンの内部エネルギーは、内部エネルギーがその分子の骨格に沿ったアミド結合を開裂するために必要な活性化エネルギーを超えるまで増大される。中性衝突ガスと衝突させることによってイオンをフラグメンテーションするこのプロセスは、一般に衝突誘起解離（「ＣＩＤ」）と呼ばれる。衝突誘起解離から得られたフラグメントイオンは、一般にｂ−タイプおよびｙ−タイプのフラグメントイオンまたはプロダクトイオンと呼ばれる。ここで、ｂ−タイプフラグメントイオンはアミノ末端＋１つ以上のアミノ酸残基を含み、およびｙ−タイプフラグメントイオンは、カルボキシル末端＋１つ以上のアミノ酸残基を含む。
【０００４】
ペプチドをフラグメンテーションする他の方法が公知である。ペプチドイオンをフラグメンテーションする別の方法は、電子捕獲解離（「ＥＣＤ」）として公知のプロセスによってペプチドイオンを熱電子と相互作用させることである。電子捕獲解離は、衝突誘起解離において観測されるフラグメンテーションプロセスとは実質的に異なる方法でペプチドを開裂する。特に、電子捕獲解離は、骨格Ｎ−Ｃα結合またはアミン結合を開裂し、そしてその結果生成されるフラグメントイオンは、一般にｃ−タイプおよびｚ−タイプのフラグメントイオンまたはプロダクトイオンと呼ばれる。電子捕獲解離は、非エルゴ−ド的であると考えられる。すなわち、開裂が発生した後、移動したエネルギーが分子全体に分配される。また、電子捕獲解離の発生は、近傍のアミノ酸の性質への依存がより小さく、かつプロリンのＮ側のみが電子捕獲解離に対して１００％開裂されない。
【０００５】
衝突誘起解離ではなく電子捕獲解離によってペプチドイオンをフラグメンテーションする１つの利点は、衝突誘起解離には翻訳後修飾（「ＰＴＭ」）を開裂する傾向があるので修飾場所を特定することが困難であるという問題があるが、対照的に電子捕獲解離によってペプチドイオンをフラグメンテーションする場合は、例えば、リン酸化およびグリコシル化から生じる翻訳後修飾を保存する傾向があることである。
【０００６】
しかし、電子捕獲解離技術には、正イオンおよび電子の両方を熱運動エネルギーの近くで同時に閉じ込める必要があるという大きな問題がある。電子捕獲解離は、超伝導磁石を使用して大きな磁場を生成するフ−リエ変換イオンサイクロトロン共鳴（「ＦＴ−ＩＣＲ」）質量分析部を使用して実証されている。しかし、そのような質量分析計は、非常に大型で、かつ大半の質量分析ユ−ザにとっては高価すぎる。
【０００７】
電子捕獲解離の代替として、リニアイオントラップにおいて負電荷の試薬イオンを多価分析種カチオンと反応させることによってペプチドイオンをフラグメンテーションさせることが可能であることが実証されている。正電荷の分析種イオンを負電荷の試薬イオンと反応させるプロセスは、電子移動解離（「ＥＴＤ」）と呼ばれている。電子移動解離は、電子が負電荷の試薬イオンから正電荷の分析種イオンへ移動するメカニズムである。電子の移動後、電荷が減少したペプチドイオンまたは分析種イオンは、電子捕獲解離によるフラグメンテーションに関与すると考えられているメカニズムと同じメカニズムによって解離する。すなわち、電子移動解離は、電子捕獲解離と同様の方法でアミン結合を開裂すると考えられている。これにより、ペプチド分析種イオンの電子移動解離によって生成されたプロダクトイオンまたはフラグメントイオンのほとんどは、ｃ−タイプおよびｚ−タイプのフラグメントイオンまたはプロダクトイオンである。
【０００８】
電子移動解離の１つの特に有利な点は、このようなプロセスが翻訳後修飾（「ＰＴＭ」）の特定に特に適していることである。なぜなら、リン酸化またはグリコシル化のような結合の弱いＰＴＭでも、アミノ酸鎖の骨格の電子誘起フラグメンテーションに耐えられるからである。
【０００９】
カチオンおよびアニオンを二次元リニアイオントラップ中に相互に閉じ込めることによって電子移動解離を行うことが知られている。二次元リニアイオントラップは、試薬アニオンと分析種カチオンとの間のイオン−イオン反応を促進するように構成される。カチオンおよびアニオンは、二次元リニア四重極イオントラップの両端に補助的な軸方向の閉じ込めＲＦ擬電位障壁を印加することによって、二次元リニアイオントラップ内に同時にトラップされる。
【００１０】
電子移動解離を行う別の方法が知られており、この方法では、固定されたＤＣ軸方向電位を二次元リニア四重極イオントラップの両端に印加して、所定の極性を有するイオン（例えば、試薬アニオン）をそのイオントラップ内に閉じ込める。次いで、イオントラップ内に閉じ込められたイオンとは反対の極性を有するイオン（例えば、分析種カチオン）がイオントラップ中へ導かれる。分析種カチオンは、すでにイオントラップ内に閉じ込められている試薬アニオンと反応する。
【００１１】
多価（分析種）カチオンが（試薬）アニオンと混合されると、緩く結合した電子が（試薬）アニオンから多価（分析種）カチオンへ移動し得ることが公知である。エネルギーは、多価カチオン中へ解放され、そして多価カチオンは、解離され得る。しかし、（分析種）カチオンのうちのいくつかは、解離しないで、その代わりに電荷状態が低減され得る。カチオンは、２つのプロセスのうちの１つによって電荷が減少され得る。第一に、カチオンは、電子がアニオンからカチオンへ移動する電子移動（「ＥＴ」）によって電荷が減少され得る。第二に、カチオンは、プロトンがカチオンからアニオンへ移動するプロトン移動（「ＰＴ」によって電荷が減少され得る。そのプロセスにかかわらず、電荷が減少したプロダクトイオンの存在度が質量スペクトル内に観測され、これはまた、発生しているイオン−イオン反応（ＥＴまたはＰＴのいずれか）の度合いを示す。
【００１２】
ボトムアップまたはトップダウンのプロテオミックスにおいて、電子移動解離の実験は、解離されたプロダクトイオンの存在度を質量スペクトル内で最大化することによって得られる情報を最大化するために行われ得る。電子移動解離によるフラグメンテーションの度合いは、カチオン（およびアニオン）のコンフォーメーションとともに多くの他の機器要因に依存する。ＬＣの結果から各アニオン−カチオン組み合わせに対する最適なパラメータをアプリオリに知ることは困難であり得る。
【００１３】
公知の電子移動解離構成の問題の１つは、電子移動解離プロセスによって生じるフラグメントイオンまたはプロダクトイオンが多価イオンになり易く、また、比較的高い電荷状態を有し易いということである。このことは、高電荷のフラグメントイオンまたはプロダクトイオンは、質量分析計で分解を行うのが困難となり得るため問題である。電子移動解離によってフラグメンテーションされる親イオンまたは分析種イオンは、例えば、５+，６+，７+，８+，９+、１０+またはより高い電荷状態を有する場合があり、得られるフラグメントイオンまたはプロダクトイオンは、例えば、４+，５+，６+，７+，８+、９+またはより高い電荷状態を有する場合がある。
【発明の概要】
【発明が解決しようとする課題】
【００１４】
質量分析計を用いた分解にとって問題となる、ＥＴＤプロダクトイオンまたはＥＴＤフラグメントイオンが比較的高い電荷状態を有するという問題に対処することが所望される。
【課題を解決するための手段】
【００１５】
本発明の一局面によると、
第１のイオンを１つ以上の中性、非イオン性または非荷電の超強塩基試薬ガスまたは超強塩基試薬蒸気と反応させて、第１のイオンの電荷状態を低減するように構成および適合される第１のデバイスであって、複数の電極を含む第１のイオンガイドを含む第１のデバイスを含む質量分析計が提供される。
【図面の簡単な説明】
【００１６】
【図１】図１は、２つの過渡ＤＣ電圧または過渡ＤＣ電位が好適なＰＴＲデバイスの上流に配置されたＥＴＤデバイスの電極に同時に印加され、分析種カチオンおよび試薬アニオンがともにＥＴＤデバイスの中心領域に運搬されることを示す。
【図２】図２は、ＥＴＤデバイスの電極に印加される進行ＤＣ電圧波形を使用して、正イオンおよび負イオンがＥＴＤデバイス内で同じ方向に同時に並進され得る様子を例示する。
【図３】図３は、好適なＰＴＲデバイスの上流に配置されるＥＴＤデバイスのＳＩＭＩＯＮ（登録商標）シミュレーションの断面図を示す。
【図４】図４は、エレクトロスプレーイオン源を使用して分析種イオンを生成し、かつＥＴＤ試薬イオンが質量分析計の入力真空チャンバ内に位置するグロー放電領域において生成される本発明の一実施形態に係る質量分析計のイオン源段および最初の真空段を示す。
【図５】図５は、本発明の一実施形態に係る質量分析計を示す。
【図６】図６は、本発明の一実施形態に係る質量分析計を示す。
【図７】図７Ａは、高電荷のＰＥＧ２０Ｋのイオンを本発明の好適な一実施形態にしたがってプロトン移動反応によって中性超強塩基ガスと反応させて当該イオンの電荷状態を低減した後に得られた質量スペクトルを示し、図７Ｂは、中性超強塩基ガスを用いた電荷状態の低減を行わなかったＰＥＧ２０Ｋのイオンの対応する質量スペクトルを示す。
【発明を実施するための形態】
【００１７】
上記好適な実施形態の１つの利点は、一旦イオンの電荷状態が低減されると、質量分析計が当該イオンを分解することが可能となるという点である。得られる質量スペクトルのスペクトル容量またはスペクトル密度は著しく改善される。
【００１８】
第１のデバイスは、プロトン移動反応デバイスを好ましくは含む。
【００１９】
一実施形態によると、使用時に、（ｉ）第１のイオンの少なくともいくつかから１つ以上の中性、非イオン性または非荷電の超強塩基試薬ガスまたは超強塩基試薬蒸気にプロトンが移動するか、あるいは（ｉｉ）１つ以上の多価分析種カチオンまたは正電荷イオンを含む第１のイオンのうちの少なくともいくつかから１つ以上の中性、非イオン性または非荷電の超強塩基試薬ガスまたは超強塩基試薬蒸気にプロトンが移動し、この時に、多価分析種カチオンまたは正電荷イオンのうちの少なくともいくつかの電荷状態が低減される、のいずれかである。
【００２０】
１つ以上の中性、非イオン性または非荷電の超強塩基試薬ガスまたは超強塩基蒸気は、好ましくは、（ｉ）１，１，３，３−テトラメチルグアニジン（「ＴＭＧ」）、（ｉｉ）２，３，４，６，７，８，９，１０−オクタヒドロピリミドール［１，２−ａ］アゼピン｛別名：１，８−ジアザビシクロ［５．４．０］ウンデカ−７−エン（「ＤＢＵ」）｝、および（ｉｉｉ）７−メチル−１，５，７−トリアザビシクロ［４．４．０］デカ−５−エン（「ＭＴＢＤ」）｛別名：１，３，４，６，７，８−ヘキサヒドロ−１−メチル−２Ｈ−ピリミド［１，２−ａ］ピリミジン｝からなる群から選択される。
【００２１】
第１のイオンは、１つ以上の（ｉ）多価イオン、（ｉｉ）２価イオン、（ｉｉｉ）３価イオン、（ｉｖ）４価イオン、（ｖ）５個の電荷を有するイオン、（ｖｉ）６個の電荷を有するイオン、（ｖｉｉ）７個の電荷を有するイオン、（ｖｉｉｉ）８個の電荷を有するイオン、（ｉｘ）９個の電荷を有するイオン、（ｘ）１０個の電荷を有するイオン、または（ｘｉ）１０個を超える電荷を有するイオンを含むか、または主に含むのが好ましい。
【００２２】
第１のイオンは、電子移動解離による親イオンまたは分析種イオンのフラグメンテーションから生成されたプロダクトイオンまたはフラグメントイオンを好ましくは含み、プロダクトイオンまたはフラグメントイオンは、大多数のｃ−タイプのプロダクトイオンもしくはフラグメントイオンおよび／またはｚ−タイプのプロダクトイオンもしくはフラグメントイオンを含む。
【００２３】
電子移動解離の過程において、
（ａ）親イオンまたは分析種イオンが、試薬イオンとの相互作用時にフラグメンテーションされるかまたは解離するように誘導されて、プロダクトイオンまたはフラグメントイオンを形成し、かつ／あるいは
（ｂ）電子が、１つ以上の試薬アニオンまたは負電荷イオンから１つ以上の多価分析種カチオンまたは正電荷イオンに移動し、この時に、多価分析種カチオンまたは正電荷イオンの少なくともいくつかが、解離するように誘導されて、プロダクトイオンまたはフラグメントイオンを形成し、かつ／あるいは
（ｃ）親イオンまたは分析種イオンが、中性試薬ガス分子もしくは中性試薬ガス原子または非イオン性試薬ガスとの相互作用時にフラグメンテーションされるかまたは解離するように誘導されて、プロダクトイオンまたはフラグメントイオンを形成し、かつ／あるいは
（ｄ）電子が、１つ以上の中性、非イオン性または非荷電の塩基ガスまたは塩基蒸気から１つ以上の多価分析種カチオンまたは正電荷イオンに移動し、この時に、多価分析種カチオンまたは正電荷イオンの少なくともいくつかが、解離するように誘導されて、プロダクトイオンまたはフラグメントイオンを形成し、かつ／あるいは
（ｅ）電子が、１つ以上の中性、非イオン性または非荷電の超強塩基試薬ガスまたは超強塩基試薬蒸気から１つ以上の多価分析種カチオンまたは正電荷イオンに移動し、この時に、多価分析種カチオンまたは正電荷イオンの少なくともいくつかが、解離するように誘導されて、プロダクトイオンまたはフラグメントイオンを形成し、かつ／あるいは
（ｆ）電子が、１つ以上の中性、非イオン性または非荷電のアルカリ金属ガスまたはアルカリ金属蒸気から１つ以上の多価分析種カチオンまたは正電荷イオンに移動し、この時に、多価分析種カチオンまたは正電荷イオンの少なくともいくつかが、解離するように誘導されて、プロダクトイオンまたはフラグメントイオンを形成し、かつ／あるいは
（ｇ）電子が、１つ以上の中性、非イオン性または非荷電のガス、蒸気または原子から１つ以上の多価分析種カチオンまたは正電荷イオンに移動し、この時に、多価分析種カチオンまたは正電荷イオンの少なくともいくつかが、解離するように誘導されて、プロダクトイオンまたはフラグメントイオンを形成し、１つ以上の中性、非イオン性または非荷電のガス、蒸気または原子は、（ｉ）ナトリウム蒸気またはナトリウム原子、（ｉｉ）リチウム蒸気またはリチウム原子、（ｉｉｉ）カリウム蒸気またはカリウム原子、（ｉｖ）ルビジウム蒸気またはルビジウム原子、（ｖ）セシウム蒸気またはセシウム原子、（ｖｉ）フランシウム蒸気またはフランシウム原子、（ｖｉｉ）Ｃ60蒸気またはＣ60原子、および（ｖｉｉｉ）マグネシウム蒸気またはマグネシウム原子からなる群から選択される、のいずれかである。
【００２４】
一実施形態によると、
（ａ）試薬アニオンまたは負電荷イオンが、ポリ芳香族炭化水素または置換ポリ芳香族炭化水素から得られ、かつ／あるいは
（ｂ）試薬アニオンまたは負電荷イオンが、（ｉ）アントラセン、（ｉｉ）９，１０ジフェニル−アントラセン、（ｉｉｉ）ナフタレン、（ｉｖ）フッ素、（ｖ）フェナントレン、（ｖｉ）ピレン、（ｖｉｉ）フルオランテン、（ｖｉｉｉ）クリセン、（ｉｘ）トリフェニレン、（ｘ）ペリレン、（ｘｉ）アクリジン、（ｘｉｉ）２，２’ジピリジル、（ｘｉｉｉ）２，２’ビキノリン、（ｘｉｖ）９−アントラセンカルボニトリル、（ｘｖ）ジベンゾチオフェン、（ｘｖｉ）１，１０’−フェナントロリン、（ｘｖｉｉ）９’アントラセンカルボニトリル、および（ｘｖｉｉｉ）アントラキノンからなる群から得られ、かつ／あるいは
（ｃ）試薬イオンまたは負電荷イオンが、アゾベンゼンアニオンまたはアゾベンゼンラジカルアニオンを含む、のいずれかである。
【００２５】
多価分析種カチオンまたは正電荷イオンは、ペプチド、ポリペプチド、タンパク質または生体分子を好ましくは含む。
【００２６】
第１のイオンは、衝突誘起解離、電子捕獲解離または表面誘起解離による親イオンまたは分析種イオンのフラグメンテーションから生成されたプロダクトイオンまたはフラグメントイオンを含み得、プロダクトイオンまたはフラグメントイオンは、大多数のｂ−タイプのプロダクトイオンもしくはフラグメントイオンおよび／またはｙ−タイプのプロダクトイオンもしくはフラグメントイオンを含む。
【００２７】
好ましさが劣る一実施形態によると、第１のイオンは、親イオンまたは分析種イオンと中性のアルカリ金属蒸気またはセシウム蒸気との相互作用による親イオンまたは分析種イオンのフラグメンテーションから生成されたプロダクトイオンまたはフラグメントイオンを含み得る。
【００２８】
一実施形態によると、第１のイオンは、負電荷の親イオンまたは分析種イオンに電子を照射して親イオンまたは分析種イオンをフラグメンテーションする電子脱離解離による親イオンまたは分析種イオンのフラグメンテーションから生成されたプロダクトイオンまたはフラグメントイオンを含み得る。
【００２９】
第１のイオンは、好ましくは、多価の親イオンまたは分析種イオンを含み、親イオンまたは分析種イオンの大多数は、質量分析計の真空チャンバ内での電子移動解離、衝突誘起解離、電子捕獲解離または表面誘起解離によるフラグメンテーションを受けていない。
【００３０】
一実施形態によると、質量分析計は、第１のデバイスの上流に配置される電子移動解離デバイスをさらに含み、電子移動解離デバイスは、複数の電極を含む第２のイオンガイドを含む。
【００３１】
使用時に、少なくともいくつかの親イオンまたは分析種イオンは、親イオンまたは分析種イオンが第２のイオンガイドを通って移送される際に電子移動解離デバイスにおいてフラグメンテーションされるように好ましくは配置され、親イオンまたは分析種イオンは、カチオンまたは正電荷イオンを含む。
【００３２】
電子移動解離デバイスは、一動作モードにおいて、分析種イオンまたは親イオンが第２のイオンガイドを通過する際に親イオンまたは分析種イオンのフラグメンテーションを最適化および／または最大化するように構成および適合される制御システムを好ましくはさらに含む。
【００３３】
質量分析計は、第１のデバイスの上流かつ電子移動解離デバイスの下流に配置されるイオン移動度分光計またはイオン移動度セパレータを好ましくはさらに含み、イオン移動度分光計またはイオン移動度セパレータは、複数の電極を含む第３のイオンガイドを含む。
【００３４】
質量分析計は、１つ以上の第１の過渡ＤＣ電圧もしくは過渡ＤＣ電位または１つ以上の第１の過渡ＤＣ電圧波形もしくは過渡ＤＣ電位波形を第１のイオンガイドおよび／または第２のイオンガイドおよび／または第３のイオンガイドを含む複数の電極の少なくともいくつかに印加して、少なくともいくつかのイオンを第１のイオンガイドおよび／または第２のイオンガイドおよび／または第３のイオンガイドの軸方向長さの少なくとも一部に沿っておよび／またはこれを通って駆動または推進するように構成および適合されるＤＣ電圧デバイスを好ましくはさらに含む。
【００３５】
質量分析計は、第１の周波数および第１の振幅を有する第１のＡＣ電圧またはＲＦ電圧を第１のイオンガイドおよび／または第２のイオンガイドおよび／または第３のイオンガイドの複数の電極の少なくともいくつかに印加して、使用時にイオンが第１のイオンガイドおよび／または第２のイオンガイドおよび／または第３のイオンガイド内に半径方向に閉じ込められるように構成および適合されるＲＦ電圧デバイスを好ましくはさらに含み、
（ａ）第１の周波数が、（ｉ）＜１００ｋＨｚ、（ｉｉ）１００〜２００ｋＨｚ、（ｉｉｉ）２００〜３００ｋＨｚ、（ｉｖ）３００〜４００ｋＨｚ、（ｖ）４００〜５００ｋＨｚ、（ｖｉ）０．５〜１．０ＭＨｚ、（ｖｉｉ）１．０〜１．５ＭＨｚ、（ｖｉｉｉ）１．５〜２．０ＭＨｚ、（ｉｘ）２．０〜２．５ＭＨｚ、（ｘ）２．５〜３．０ＭＨｚ、（ｘｉ）３．０〜３．５ＭＨｚ、（ｘｉｉ）３．５〜４．０ＭＨｚ、（ｘｉｉｉ）４．０〜４．５ＭＨｚ、（ｘｉｖ）４．５〜５．０ＭＨｚ、（ｘｖ）５．０〜５．５ＭＨｚ、（ｘｖｉ）５．５〜６．０ＭＨｚ、（ｘｖｉｉ）６．０〜６．５ＭＨｚ、（ｘｖｉｉｉ）６．５〜７．０ＭＨｚ、（ｘｉｘ）７．０〜７．５ＭＨｚ、（ｘｘ）７．５〜８．０ＭＨｚ、（ｘｘｉ）８．０〜８．５ＭＨｚ、（ｘｘｉｉ）８．５〜９．０ＭＨｚ、（ｘｘｉｉｉ）９．０〜９．５ＭＨｚ、（ｘｘｉｖ）９．５〜１０．０ＭＨｚ、および（ｘｘｖ）＞１０．０ＭＨｚからなる群から選択され、かつ／あるいは
（ｂ）第１の振幅が、（ｉ）＜５０Ｖピーク・トゥ・ピーク、（ｉｉ）５０〜１００Ｖピーク・トゥ・ピーク、（ｉｉｉ）１００〜１５０Ｖピーク・トゥ・ピーク、（ｉｖ）１５０〜２００Ｖピーク・トゥ・ピーク、（ｖ）２００〜２５０Ｖピーク・トゥ・ピーク、（ｖｉ）２５０〜３００Ｖピーク・トゥ・ピーク、（ｖｉｉ）３００〜３５０Ｖピーク・トゥ・ピーク、（ｖｉｉｉ）３５０〜４００Ｖピーク・トゥ・ピーク、（ｉｘ）４００〜４５０Ｖピーク・トゥ・ピーク、（ｘ）４５０〜５００Ｖピーク・トゥ・ピーク、および（ｘｉ）＞５００Ｖピーク・トゥ・ピークからなる群から選択され、かつ／あるいは
（ｃ）一動作モードにおいて、隣接または近接する電極には、反対の位相の第１のＡＣ電圧またはＲＦ電圧が供給され、かつ／あるいは
（ｄ）第１のイオンガイドおよび／または第２のイオンガイドおよび／または第３のイオンガイドが、１〜１０、１０〜２０、２０〜３０、３０〜４０、４０〜５０、５０〜６０、６０〜７０、７０〜８０、８０〜９０、９０〜１００または＞１００グループの電極を含み、各グループの電極が、少なくとも１、２、３、４、５、６、７、８、９、１０、１１、１２、１３、１４、１５、１６、１７、１８、１９または２０個の電極を含み、かつ各グループにおける少なくとも１、２、３、４、５、６、７、８、９、１０、１１、１２、１３、１４、１５、１６、１７、１８、１９または２０個の電極には、同じ位相の第１のＡＣ電圧またはＲＦ電圧が供給される、のいずれかである。
【００３６】
第１のイオンガイドおよび／または第２のイオンガイドおよび／または第３のイオンガイドは、使用時にイオンが移送される少なくとも１つの開口を有する複数の電極を好ましくは含み、
（ａ）電極のうちの少なくとも１％、５％、１０％、２０％、３０％、４０％、５０％、６０％、７０％、８０％、９０％、９５％または１００％が、実質的に円形、矩形、正方形または楕円形の開口を有し、かつ／あるいは
（ｂ）電極のうちの少なくとも１％、５％、１０％、２０％、３０％、４０％、５０％、６０％、７０％、８０％、９０％、９５％または１００％が、実質的に同じ第１のサイズを有するか、または実質的に同じ第１の面積を有する開口を有し、かつ／または電極のうちの少なくとも１％、５％、１０％、２０％、３０％、４０％、５０％、６０％、７０％、８０％、９０％、９５％または１００％が、実質的に同じ第２の異なるサイズを有するか、または実質的に同じ第２の異なる面積を有する開口を有し、かつ／あるいは
（ｃ）電極のうちの少なくとも１％、５％、１０％、２０％、３０％、４０％、５０％、６０％、７０％、８０％、９０％、９５％または１００％が、サイズまたは面積がイオンガイドの軸に沿った方向へいくにつれ順次より大きくおよび／またはより小さくなる開口を有し、かつ／あるいは
（ｄ）電極のうちの少なくとも１％、５％、１０％、２０％、３０％、４０％、５０％、６０％、７０％、８０％、９０％、９５％または１００％が、（ｉ）≦１．０ｍｍ、（ｉｉ）≦２．０ｍｍ、（ｉｉｉ）≦３．０ｍｍ、（ｉｖ）≦４．０ｍｍ、（ｖ）≦５．０ｍｍ、（ｖｉ）≦６．０ｍｍ、（ｖｉｉ）≦７．０ｍｍ、（ｖｉｉｉ）≦８．０ｍｍ、（ｉｘ）≦９．０ｍｍ、（ｘ）≦１０．０ｍｍ、および（ｘｉ）＞１０．０ｍｍからなる群から選択される内径または内寸法を有する開口を有し、かつ／あるいは
（ｅ）電極のうちの少なくとも１％、５％、１０％、２０％、３０％、４０％、５０％、６０％、７０％、８０％、９０％、９５％または１００％が、（ｉ）５ｍｍ以下、（ｉｉ）４．５ｍｍ以下、（ｉｉｉ）４ｍｍ以下、（ｉｖ）３．５ｍｍ以下、（ｖ）３ｍｍ以下、（ｖｉ）２．５ｍｍ以下、（ｖｉｉ）２ｍｍ以下、（ｖｉｉｉ）１．５ｍｍ以下、（ｉｘ）１ｍｍ以下、（ｘ）０．８ｍｍ以下、（ｘｉ）０．６ｍｍ以下、（ｘｉｉ）０．４ｍｍ以下、（ｘｉｉｉ）０．２ｍｍ以下、（ｘｉｖ）０．１ｍｍ以下、および（ｘｖ）０．２５ｍｍ以下からなる群から選択される軸方向距離だけ互いに離間し、かつ／あるいは
（ｆ）複数の電極のうちの少なくともいくつかが、開口を含み、かつ開口の内径または内寸法の隣接する電極間の中心−中心軸方向間隔に対する比が、（ｉ）＜１．０、（ｉｉ）１．０〜１．２、（ｉｉｉ）１．２〜１．４、（ｉｖ）１．４〜１．６、（ｖ）１．６〜１．８、（ｖｉ）１．８〜２．０、（ｖｉｉ）２．０〜２．２、（ｖｉｉｉ）２．２〜２．４、（ｉｘ）２．４〜２．６、（ｘ）２．６〜２．８、（ｘｉ）２．８〜３．０、（ｘｉｉ）３．０〜３．２、（ｘｉｉｉ）３．２〜３．４、（ｘｉｖ）３．４〜３．６、（ｘｖ）３．６〜３．８、（ｘｖｉ）３．８〜４．０、（ｘｖｉｉ）４．０〜４．２、（ｘｖｉｉｉ）４．２〜４．４、（ｘｉｘ）４．４〜４．６、（ｘｘ）４．６〜４．８、（ｘｘｉ）４．８〜５．０、および（ｘｘｉｉ）＞５．０からなる群から選択され、かつ／あるいは
（ｇ）複数の電極の開口の内径が、第１のイオンガイドおよび／または第２のイオンガイドおよび／または第３のイオンガイドの長軸に沿って１回以上順次増大または低減し、そして次いで順次低減または増大し、かつ／あるいは
（ｈ）複数の電極が、幾何体積を規定し、幾何体積が、（ｉ）１つ以上の球、（ｉｉ）１つ以上の扁平楕円体、（ｉｉｉ）１つ以上の扁長楕円体、（ｉｖ）１つ以上の楕円体、および（ｖ）１つ以上の不等辺楕円体（scalene ellipsoid）からなる群から選択され、かつ／あるいは
（ｉ）第１のイオンガイドおよび／または第２のイオンガイドおよび／または第３のイオンガイドが、（ｉ）＜２０ｍｍ、（ｉｉ）２０〜４０ｍｍ、（ｉｉｉ）４０〜６０ｍｍ、（ｉｖ）６０〜８０ｍｍ、（ｖ）８０〜１００ｍｍ、（ｖｉ）１００〜１２０ｍｍ、（ｖｉｉ）１２０〜１４０ｍｍ、（ｖｉｉｉ）１４０〜１６０ｍｍ、（ｉｘ）１６０〜１８０ｍｍ、（ｘ）１８０〜２００ｍｍ、および（ｘｉ）＞２００ｍｍからなる群から選択される長さを有し、かつ／あるいは
（ｊ）第１のイオンガイドおよび／または第２のイオンガイドおよび／または第３のイオンガイドが、少なくとも（ｉ）１〜１０個の電極、（ｉｉ）１０〜２０個の電極、（ｉｉｉ）２０〜３０個の電極、（ｉｖ）３０〜４０個の電極、（ｖ）４０〜５０個の電極、（ｖｉ）５０〜６０個の電極、（ｖｉｉ）６０〜７０個の電極、（ｖｉｉｉ）７０〜８０個の電極、（ｉｘ）８０〜９０個の電極、（ｘ）９０〜１００個の電極、（ｘｉ）１００〜１１０個の電極、（ｘｉｉ）１１０〜１２０個の電極、（ｘｉｉｉ）１２０〜１３０個の電極、（ｘｉｖ）１３０〜１４０個の電極、（ｘｖ）１４０〜１５０個の電極、（ｘｖｉ）１５０〜１６０個の電極、（ｘｖｉｉ）１６０〜１７０個の電極、（ｘｖｉｉｉ）１７０〜１８０個の電極、（ｘｉｘ）１８０〜１９０個の電極、（ｘｘ）１９０〜２００個の電極、および（ｘｘｉ）＞２００個の電極を含み、かつ／あるいは
（ｋ）複数の電極のうちの少なくとも１％、５％、１０％、２０％、３０％、４０％、５０％、６０％、７０％、８０％、９０％、９５％または１００％が、（ｉ）５ｍｍ以下、（ｉｉ）４．５ｍｍ以下、（ｉｉｉ）４ｍｍ以下、（ｉｖ）３．５ｍｍ以下、（ｖ）３ｍｍ以下、（ｖｉ）２．５ｍｍ以下、（ｖｉｉ）２ｍｍ以下、（ｖｉｉｉ）１．５ｍｍ以下、（ｉｘ）１ｍｍ以下、（ｘ）０．８ｍｍ以下、（ｘｉ）０．６ｍｍ以下、（ｘｉｉ）０．４ｍｍ以下、（ｘｉｉｉ）０．２ｍｍ以下、（ｘｉｖ）０．１ｍｍ以下、および（ｘｖ）０．２５ｍｍ以下からなる群から選択される厚さまたは軸方向長さを有し、かつ／あるいは
（ｌ）複数の電極のピッチまたは軸方向間隔が、第１のイオンガイドおよび／または第２のイオンガイドおよび／または第３のイオンガイドの長軸に沿って１回以上順次低減または増大する、のいずれかである。
【００３７】
第１のイオンガイドおよび／または第２のイオンガイドおよび／または第３のイオンガイドは、
（ａ）複数のセグメント化ロッド電極、または
（ｂ）１つ以上の第１の電極、１つ以上の第２の電極、および使用時にイオンが進行する平面に配置される１つ以上の層の中間電極であって、１つ以上の層の中間電極は１つ以上の第１の電極と１つ以上の第２の電極との間に配置され、１つ以上の層の中間電極は１つ以上の層の平面電極またはプレート電極を含み、１つ以上の第１の電極は最上部の電極であり、１つ以上の第２の電極は最下部の電極である、１つ以上の第１の電極、１つ以上の第２の電極、および１つ以上の層の中間電極
のいずれかを好ましくは含む。
【００３８】
一実施形態によると、
（ａ）静的なイオン−中性ガス反応領域またはイオン−中性ガス反応体積が第１のイオンガイドにおいて形成または生成されるか、あるいは
（ｂ）動的なまたは時変のイオン−中性ガス反応領域またはイオン−中性ガス反応体積が第１のイオンガイドにおいて形成または生成される。
【００３９】
質量分析計は、
（ａ）第１のイオンガイドおよび／または第２のイオンガイドおよび／または第３のイオンガイドを、一動作モードにおいて、（ｉ）＜１００ｍｂａｒ、（ｉｉ）＜１０ｍｂａｒ、（ｉｉｉ）＜１ｍｂａｒ、（ｉｖ）＜０．１ｍｂａｒ、（ｖ）＜０．０１ｍｂａｒ、（ｖｉ）＜０．００１ｍｂａｒ、（ｖｉｉ）＜０．０００１ｍｂａｒ、および（ｖｉｉｉ）＜０．００００１ｍｂａｒからなる群から選択される圧力に維持し、かつ／あるいは
（ｂ）第１のイオンガイドおよび／または第２のイオンガイドおよび／または第３のイオンガイドを、一動作モードにおいて、（ｉ）＞１００ｍｂａｒ、（ｉｉ）＞１０ｍｂａｒ、（ｉｉｉ）＞１ｍｂａｒ、（ｉｖ）＞０．１ｍｂａｒ、（ｖ）＞０．０１ｍｂａｒ、（ｖｉ）＞０．００１ｍｂａｒ、および（ｖｉｉ）＞０．０００１ｍｂａｒからなる群から選択される圧力に維持し、かつ／あるいは
（ｃ）第１のイオンガイドおよび／または第２のイオンガイドおよび／または第３のイオンガイドを、一動作モードにおいて、（ｉ）０．０００１〜０．００１ｍｂａｒ、（ｉｉ）０．００１〜０．０１ｍｂａｒ、（ｉｉｉ）０．０１〜０．１ｍｂａｒ、（ｉｖ）０．１〜１ｍｂａｒ、（ｖ）１〜１０ｍｂａｒ、（ｖｉ）１０〜１００ｍｂａｒ、および（ｖｉｉ）１００〜１０００ｍｂａｒからなる群から選択される圧力に維持する
のいずれかに構成および適合されるデバイスを好ましくはさらに含む。
【００４０】
一実施形態によると、
（ａ）第１のイオンガイドおよび／または第２のイオンガイドおよび／または第３のイオンガイド内のイオンのうちの少なくとも１％、５％、１０％、２０％、３０％、４０％、５０％、６０％、７０％、８０％、９０％、９５％または１００％についての滞留時間、過渡時間または反応時間は、（ｉ）＜１ｍｓ、（ｉｉ）１〜５ｍｓ、（ｉｉｉ）５〜１０ｍｓ、（ｉｖ）１０〜１５ｍｓ、（ｖ）１５〜２０ｍｓ、（ｖｉ）２０〜２５ｍｓ、（ｖｉｉ）２５〜３０ｍｓ、（ｖｉｉｉ）３０〜３５ｍｓ、（ｉｘ）３５〜４０ｍｓ、（ｘ）４０〜４５ｍｓ、（ｘｉ）４５〜５０ｍｓ、（ｘｉｉ）５０〜５５ｍｓ、（ｘｉｉｉ）５５〜６０ｍｓ、（ｘｉｖ）６０〜６５ｍｓ、（ｘｖ）６５〜７０ｍｓ、（ｘｖｉ）７０〜７５ｍｓ、（ｘｖｉｉ）７５〜８０ｍｓ、（ｘｖｉｉｉ）８０〜８５ｍｓ、（ｘｉｘ）８５〜９０ｍｓ、（ｘｘ）９０〜９５ｍｓ、（ｘｘｉ）９５〜１００ｍｓ、（ｘｘｉｉ）１００〜１０５ｍｓ、（ｘｘｉｉｉ）１０５〜１１０ｍｓ、（ｘｘｉｖ）１１０〜１１５ｍｓ、（ｘｘｖ）１１５〜１２０ｍｓ、（ｘｘｖｉ）１２０〜１２５ｍｓ、（ｘｘｖｉｉ）１２５〜１３０ｍｓ、（ｘｘｖｉｉｉ）１３０〜１３５ｍｓ、（ｘｘｉｘ）１３５〜１４０ｍｓ、（ｘｘｘ）１４０〜１４５ｍｓ、（ｘｘｘｉ）１４５〜１５０ｍｓ、（ｘｘｘｉｉ）１５０〜１５５ｍｓ、（ｘｘｘｉｉｉ）１５５〜１６０ｍｓ、（ｘｘｘｉｖ）１６０〜１６５ｍｓ、（ｘｘｘｖ）１６５〜１７０ｍｓ、（ｘｘｘｖｉ）１７０〜１７５ｍｓ、（ｘｘｘｖｉｉ）１７５〜１８０ｍｓ、（ｘｘｘｖｉｉｉ）１８０〜１８５ｍｓ、（ｘｘｘｉｘ）１８５〜１９０ｍｓ、（ｘｌ）１９０〜１９５ｍｓ、（ｘｌｉ）１９５〜２００ｍｓ、および（ｘｌｉｉ）＞２００ｍｓからなる群から選択され、かつ／あるいは
（ｂ）第２のイオンガイド内で生成または形成されたプロダクトイオンまたはフラグメントイオンのうちの少なくとも１％、５％、１０％、２０％、３０％、４０％、５０％、６０％、７０％、８０％、９０％、９５％または１００％についての滞留時間、過渡時間または反応時間は、（ｉ）＜１ｍｓ、（ｉｉ）１〜５ｍｓ、（ｉｉｉ）５〜１０ｍｓ、（ｉｖ）１０〜１５ｍｓ、（ｖ）１５〜２０ｍｓ、（ｖｉ）２０〜２５ｍｓ、（ｖｉｉ）２５〜３０ｍｓ、（ｖｉｉｉ）３０〜３５ｍｓ、（ｉｘ）３５〜４０ｍｓ、（ｘ）４０〜４５ｍｓ、（ｘｉ）４５〜５０ｍｓ、（ｘｉｉ）５０〜５５ｍｓ、（ｘｉｉｉ）５５〜６０ｍｓ、（ｘｉｖ）６０〜６５ｍｓ、（ｘｖ）６５〜７０ｍｓ、（ｘｖｉ）７０〜７５ｍｓ、（ｘｖｉｉ）７５〜８０ｍｓ、（ｘｖｉｉｉ）８０〜８５ｍｓ、（ｘｉｘ）８５〜９０ｍｓ、（ｘｘ）９０〜９５ｍｓ、（ｘｘｉ）９５〜１００ｍｓ、（ｘｘｉｉ）１００〜１０５ｍｓ、（ｘｘｉｉｉ）１０５〜１１０ｍｓ、（ｘｘｉｖ）１１０〜１１５ｍｓ、（ｘｘｖ）１１５〜１２０ｍｓ、（ｘｘｖｉ）１２０〜１２５ｍｓ、（ｘｘｖｉｉ）１２５〜１３０ｍｓ、（ｘｘｖｉｉｉ）１３０〜１３５ｍｓ、（ｘｘｉｘ）１３５〜１４０ｍｓ、（ｘｘｘ）１４０〜１４５ｍｓ、（ｘｘｘｉ）１４５〜１５０ｍｓ、（ｘｘｘｉｉ）１５０〜１５５ｍｓ、（ｘｘｘｉｉｉ）１５５〜１６０ｍｓ、（ｘｘｘｉｖ）１６０〜１６５ｍｓ、（ｘｘｘｖ）１６５〜１７０ｍｓ、（ｘｘｘｖｉ）１７０〜１７５ｍｓ、（ｘｘｘｖｉｉ）１７５〜１８０ｍｓ、（ｘｘｘｖｉｉｉ）１８０〜１８５ｍｓ、（ｘｘｘｉｘ）１８５〜１９０ｍｓ、（ｘｌ）１９０〜１９５ｍｓ、（ｘｌｉ）１９５〜２００ｍｓ、および（ｘｌｉｉ）＞２００ｍｓからなる群から選択され、かつ／あるいは
（ｃ）第１のイオンガイドおよび／または第２のイオンガイドおよび／または第３のイオンガイドは、（ｉ）＜１ｍｓ、（ｉｉ）１〜１０ｍｓ、（ｉｉｉ）１０〜２０ｍｓ、（ｉｖ）２０〜３０ｍｓ、（ｖ）３０〜４０ｍｓ、（ｖｉ）４０〜５０ｍｓ、（ｖｉｉ）５０〜６０ｍｓ、（ｖｉｉｉ）６０〜７０ｍｓ、（ｉｘ）７０〜８０ｍｓ、（ｘ）８０〜９０ｍｓ、（ｘｉ）９０〜１００ｍｓ、（ｘｉｉ）１００〜２００ｍｓ、（ｘｉｉｉ）２００〜３００ｍｓ、（ｘｉｖ）３００〜４００ｍｓ、（ｘｖ）４００〜５００ｍｓ、（ｘｖｉ）５００〜６００ｍｓ、（ｘｖｉｉ）６００〜７００ｍｓ、（ｘｖｉｉｉ）７００〜８００ｍｓ、（ｘｉｘ）８００〜９００ｍｓ、（ｘｘ）９００〜１０００ｍｓ、（ｘｘｉ）１〜２ｓ、（ｘｘｉｉ）２〜３ｓ、（ｘｘｉｉｉ）３〜４ｓ、（ｘｘｉｖ）４〜５ｓ、および（ｘｘｖ）＞５ｓからなる群から選択されるサイクル時間を有する。
【００４１】
一実施形態によると、
（ａ）一動作モードにおいて、イオンは、第１のイオンガイドおよび／または第２のイオンガイドおよび／または第３のイオンガイド内でトラップされるが、実質的にフラグメンテーションおよび／または反応および／または電荷減少がされないように配置および適合され、かつ／あるいは
（ｂ）一動作モードにおいて、イオンは、第１のイオンガイドおよび／または第２のイオンガイドおよび／または第３のイオンガイド内で衝突により冷却されるか、または実質的に熱化されるように配置および適合され、かつ／あるいは
（ｃ）一動作モードにおいて、イオンは、第１のイオンガイドおよび／または第２のイオンガイドおよび／または第３のイオンガイド内で実質的にフラグメンテーションおよび／または反応および／または電荷減少がされるように配置および適合され、かつ／あるいは
（ｄ）一動作モードにおいて、イオンは、第１のイオンガイドおよび／または第２のイオンガイドおよび／または第３のイオンガイドの入口および／または出口に配置される１つ以上の電極によって第１のイオンガイドおよび／または第２のイオンガイドおよび／または第３のイオンガイド中へおよび／またはそこからパルスとして入射および／または出射されるように配置および適合される。
【００４２】
質量分析計は、
（ａ）第１のデバイスの上流に配置されるイオン源であって、イオン源が、（ｉ）エレクトロスプレーイオン化（「ＥＳＩ」）イオン源、（ｉｉ）大気圧光イオン化（「ＡＰＰＩ」）イオン源、（ｉｉｉ）大気圧化学イオン化（「ＡＰＣＩ」）イオン源、（ｉｖ）マトリックス支援レーザ脱離イオン化（「ＭＡＬＤＩ」）イオン源、（ｖ）レーザ脱離イオン化（「ＬＤＩ」）イオン源、（ｖｉ）大気圧イオン化（「ＡＰＩ」）イオン源、（ｖｉｉ）シリコン上脱離イオン化（「ＤＩＯＳ」）イオン源、（ｖｉｉｉ）電子衝突（「ＥＩ」）イオン源、（ｉｘ）化学イオン化（「ＣＩ」）イオン源、（ｘ）電界イオン化（「ＦＩ」）イオン源、（ｘｉ）電界脱離（「ＦＤ」）イオン源、（ｘｉｉ）誘導結合プラズマ（「ＩＣＰ」）イオン源、（ｘｉｉｉ）高速原子衝撃（「ＦＡＢ」）イオン源、（ｘｉｖ）液体二次イオン質量分析（「ＬＳＩＭＳ」）イオン源、（ｘｖ）脱離エレクトロスプレーイオン化（「ＤＥＳＩ」）イオン源、（ｘｖｉ）ニッケル−６３放射性イオン源、（ｘｖｉｉ）大気圧マトリックス支援レーザ脱離イオン化イオン源、（ｘｖｉｉｉ）熱スプレーイオン源、（ｘｉｘ）大気サンプリンググロー放電イオン化（「ＡＳＧＤＩ」）イオン源、および（ｘｘ）グロー放電（「ＧＤ」）イオン源からなる群から選択されるイオン源、ならびに／あるいは
（ｂ）１つ以上の連続イオン源またはパルスイオン源、ならびに／あるいは
（ｃ）第１のデバイスの上流および／または下流に配置される１つ以上のイオンガイド、ならびに／あるいは
（ｄ）第１のデバイスの上流および／または下流に配置される１つ以上のイオン移動度分離デバイスおよび／または１つ以上の電界非対称イオン移動度分光計デバイス、ならびに／あるいは
（ｅ）第１のデバイスの上流および／または下流に配置される１つ以上のイオントラップまたは１つ以上のイオントラッピング領域、ならびに／あるいは
（ｆ）第１のデバイスの上流および／または下流に配置される１つ以上の衝突セル、フラグメンテーションセルまたは反応セルであって、１つ以上の衝突セル、フラグメンテーションセルまたは反応セルが、（ｉ）衝突誘起解離（「ＣＩＤ」）フラグメンテーションデバイス、（ｉｉ）表面誘起解離（「ＳＩＤ」）フラグメンテーションデバイス、（ｉｉｉ）電子移動解離（「ＥＴＤ」）フラグメンテーションデバイス、（ｉｖ）電子捕獲解離（「ＥＣＤ」）フラグメンテーションデバイス、（ｖ）電子衝突または衝撃解離フラグメンテーションデバイス、（ｖｉ）光誘起解離（「ＰＩＤ」）フラグメンテーションデバイス、（ｖｉｉ）レーザ誘起解離フラグメンテーションデバイス、（ｖｉｉｉ）赤外放射誘起解離デバイス、（ｉｘ）紫外放射誘起解離デバイス、（ｘ）ノズル−スキマ間インターフェースフラグメンテーションデバイス、（ｘｉ）インソースフラグメンテーションデバイス、（ｘｉｉ）インソース衝突誘起解離フラグメンテーションデバイス、（ｘｉｉｉ）熱または温度源フラグメンテーションデバイス、（ｘｉｖ）電界誘起フラグメンテーションデバイス、（ｘｖ）磁場誘起フラグメンテーションデバイス、（ｘｖｉ）酵素消化または酵素分解フラグメンテーションデバイス、（ｘｖｉｉ）イオン−イオン反応フラグメンテーションデバイス、（ｘｖｉｉｉ）イオン−分子反応フラグメンテーションデバイス、（ｘｉｘ）イオン−原子反応フラグメンテーションデバイス、（ｘｘ）イオン−準安定イオン反応フラグメンテーションデバイス、（ｘｘｉ）イオン−準安定分子反応フラグメンテーションデバイス、（ｘｘｉｉ）イオン−準安定原子反応フラグメンテーションデバイス、（ｘｘｉｉｉ）イオンを反応させて付加イオンまたはプロダクトイオンを形成するためのイオン−イオン反応デバイス、（ｘｘｉｖ）イオンを反応させて付加イオンまたはプロダクトイオンを形成するためのイオン−分子反応デバイス、（ｘｘｖ）イオンを反応させて付加イオンまたはプロダクトイオンを形成するためのイオン−原子反応デバイス、（ｘｘｖｉ）イオンを反応させて付加イオンまたはプロダクトイオンを形成するためのイオン−準安定イオン反応デバイス、（ｘｘｖｉｉ）イオンを反応させて付加イオンまたはプロダクトイオンを形成するためのイオン−準安定分子反応デバイス、（ｘｘｖｉｉｉ）イオンを反応させて付加イオンまたはプロダクトイオンを形成するためのイオン−準安定原子反応デバイス、および（ｘｘｉｘ）電子イオン化解離（「ＥＩＤ」）フラグメンテーションデバイスからなる群から選択される１つ以上の衝突セル、フラグメンテーションセルまたは反応セル、ならびに／あるいは
（ｇ）質量分析部であって、（ｉ）四重極質量分析部、（ｉｉ）二次元またはリニア四重極質量分析部、（ｉｉｉ）ポールまたは三次元四重極質量分析部、（ｉｖ）ペニングトラップ質量分析部、（ｖ）イオントラップ質量分析部、（ｖｉ）磁場型質量分析部、（ｖｉｉ）イオンサイクロトロン共鳴（「ＩＣＲ」）質量分析部、（ｖｉｉｉ）フーリエ変換イオンサイクロトロン共鳴（「ＦＴＩＣＲ」）質量分析部、（ｉｘ）静電またはオービトラップ質量分析部、（ｘ）フーリエ変換静電またはオービトラップ質量分析部、（ｘｉ）フーリエ変換質量分析部、（ｘｉｉ）飛行時間質量分析部、（ｘｉｉｉ）直交加速式飛行時間質量分析部、および（ｘｉｖ）直線加速式飛行時間質量分析部からなる群から選択される質量分析部、ならびに／あるいは
（ｈ）第１のデバイスの上流および／または下流に配置される１つ以上のエネルギー分析部または静電エネルギー分析部、ならびに／あるいは
（ｉ）第１のデバイスの上流および／または下流に配置される１つ以上のイオン検出器、ならびに／あるいは
（ｊ）第１のデバイスの上流および／または下流に配置される１つ以上の質量フィルタであって、１つ以上の質量フィルタが、（ｉ）四重極質量フィルタ、（ｉｉ）二次元またはリニア四重極イオントラップ、（ｉｉｉ）ポールまたは三次元四重極イオントラップ、（ｉｖ）ペニングイオントラップ、（ｖ）イオントラップ、（ｖｉ）磁場型質量フィルタ、（ｖｉｉ）飛行時間質量フィルタ、および（ｖｉｉｉ）ウィーンフィルタからなる群から選択される１つ以上の質量フィルタ、ならびに／あるいは
（ｋ）イオンをパルスにして第１のデバイスへ入力するためのデバイスまたはイオンゲート、ならびに／あるいは
（ｌ）実質的に連続なイオンビームをパルスイオンビームに変換するためのデバイス
のいずれかを好ましくはさらに含む。
【００４３】
質量分析計は、
（ａ）分析種イオンおよび／または試薬イオンを生成するための１つ以上の大気圧イオン源、ならびに／あるいは
（ｂ）分析種イオンおよび／または試薬イオンを生成するための１つ以上のエレクトロスプレーイオン源、ならびに／あるいは
（ｃ）分析種イオンおよび／または試薬イオンを生成するための１つ以上の大気圧化学イオン源、ならびに／あるいは
（ｄ）分析種イオンおよび／または試薬イオンを生成するための１つ以上のグロー放電イオン源を好ましくはさらに含む。
【００４４】
一実施形態によると、分析種イオンおよび／または試薬イオンを生成するための１つ以上のグロー放電イオン源が質量分析計の１つ以上の真空チャンバに設けられる。
【００４５】
一実施形態によると、質量分析計は、
Ｃ−トラップと、
外側樽状電極および同心の内側紡錘状電極を含むオービトラップ質量分析部と
をさらに含み、
第１の動作モードにおいて、イオンは、Ｃ−トラップへ移送され、そして次いでオービトラップ質量分析部中へ注入され、かつ
第２の動作モードにおいて、イオンは、Ｃ−トラップへ移送され、そして次いで衝突セルまたは電子移動解離デバイスへ移送され、少なくともいくつかのイオンは、フラグメントイオンへフラグメンテーションされ、そして次いでフラグメントイオンは、Ｃ−トラップへ移送され、その後オービトラップ質量分析部中へ注入される。
【００４６】
質量分析計は、
使用時にイオンが移送される開口を有する複数の電極を含む積層リングイオンガイドであって、電極の間隔が、イオン経路の長さに沿って増大し、かつイオンガイドの上流部分における電極中の開口は、第１の直径を有し、イオンガイドの下流部分における電極中の開口は、第１の直径よりも小さな第２の直径を有し、かつ使用時に反対の位相のＡＣ電圧またはＲＦ電圧が連続した電極に印加される積層リングイオンガイドを好ましくは含む。
【００４７】
本発明の一局面によると、複数の電極を含む第１のイオンガイドを含む第１のデバイスを含む質量分析計の制御システムによって実行可能なコンピュータプログラムであって、コンピュータプログラムが、制御システムに
第１のイオンを第１のイオンガイド内で１つ以上の中性、非イオン性または非荷電の超強塩基試薬ガスまたは超強塩基試薬蒸気と反応させて、第１のイオンの電荷状態を低減させるように構成されるコンピュータプログラムが提供される。
【００４８】
本発明の一局面によると、コンピュータによって実行可能な命令が格納されたコンピュータ読み取り可能な媒体であって、命令が、複数の電極を含む第１のイオンガイドを含む第１のデバイスを含む質量分析計の制御システムによって実行可能に構成され、コンピュータプログラムが、制御システムに
第１のイオンを第１のイオンガイド内で１つ以上の中性、非イオン性または非荷電の超強塩基試薬ガスまたは超強塩基試薬蒸気と反応させて、第１のイオンの電荷状態を低減するように構成されるコンピュータ読み取り可能な媒体が提供される。
【００４９】
コンピュ−タ読み取り可能な媒体は、（ｉ）ＲＯＭ、（ｉｉ）ＥＡＲＯＭ、（ｉｉｉ）ＥＰＲＯＭ、（ｉｖ）ＥＥＰＲＯＭ、（ｖ）フラッシュメモリ、（ｖｉ）光学ディスク、（ｖｉｉ）ＲＯＭ、および（ｖｉｉｉ）ハードディスクドライブからなる群から選択される。
【００５０】
本発明の一局面によると、
複数の電極を含む第１のイオンガイドを含む第１のデバイスを準備する工程、および
第１のイオンを１つ以上の中性、非イオン性または非荷電の超強塩基試薬ガスまたは超強塩基試薬蒸気と反応させて、第１のイオンの電荷状態を低減する工程
を含む質量分析の方法が提供される。
【００５１】
本発明の一局面によると、親イオンまたは分析種イオンを１つ以上の中性、非イオン性または非荷電の試薬ガスまたは試薬蒸気と反応させて、親イオンまたは分析種イオンを電子移動解離によってフラグメンテーションさせるように構成および適合される電子移動解離デバイスを含む質量分析計が提供される。
【００５２】
中性、非イオン性または非荷電の試薬ガスまたは試薬蒸気は、アルカリ金属蒸気を含み得る。
【００５３】
中性、非イオン性または非荷電の試薬ガスまたは試薬蒸気は、セシウム蒸気を含み得る。
【００５４】
本発明の一局面によると、
電子移動解離デバイスを準備する工程、および
親イオンまたは分析種イオンを電子移動解離デバイス内で１つ以上の中性、非イオン性または非荷電の試薬ガスまたは試薬蒸気と反応させて、親イオンまたは分析種イオンを電子移動解離によってフラグメンテーションさせる工程を含む質量分析の方法が提供される。
【００５５】
中性、非イオン性または非荷電の試薬ガスまたは試薬蒸気は、アルカリ金属蒸気を含み得る。
【００５６】
中性、非イオン性または非荷電の試薬ガスまたは試薬蒸気は、セシウム蒸気を含み得る。
【００５７】
本発明の一局面によると、
第１のイオンを１つ以上の中性、非イオン性または非荷電の第１の試薬ガスまたは試薬蒸気と反応させて、第１のイオンの電荷状態を低減するように構成および適合される第１のデバイスであって、複数の電極を含む第１のイオンガイドを含む第１のデバイスを含む質量分析計が提供される。
【００５８】
第１の試薬ガスまたは試薬蒸気は、揮発性アミンを含み得る。一実施形態によると、第１の試薬ガスまたは試薬蒸気は、トリメチルアミン、トリエチルアミンまたは他のアミンを含み得る。
【００５９】
本発明の一局面によると、
複数の電極を含む第１のイオンガイドを含む第１のデバイスを準備する工程、および
第１のイオンを１つ以上の中性、非イオン性または非荷電の第１の試薬ガスまたは試薬蒸気と反応させて、第１のイオンの電荷状態を低減する工程
を含む質量分析の方法が提供される。
【００６０】
第１の試薬ガスまたは試薬蒸気は、トリメチルアミンまたはトリエチルアミンを好ましくは含む。
【００６１】
超強塩基試薬ガスの使用に関する上述の実施形態の様々な態様は、アミンに関する非強塩基の試薬ガスまたは試薬蒸気に関連する上記実施形態にも同様に当てはまる。
【００６２】
上記好適な実施形態によると、電子移動解離（または好ましさが劣るが、別のフラグメンテーションプロセス）によって生じるプロダクトイオンまたはフラグメントイオンを、好ましくは、プロトン移動反応デバイスにおいて非イオン性または非荷電の塩基ガスまたは超強塩基試薬ガスと反応させる。プロダクトイオンまたはフラグメントイオンを、好ましくは、質量分析計の気相衝突セルにおいて超強塩基試薬ガスと反応させる。超強塩基試薬ガスは、好ましくは、プロダクトイオンまたはフラグメントイオンの電荷状態を低減する効果を有する。このことは、プロダクトイオンまたはフラグメントイオンの電荷状態を低減することが、得られるプロダクトイオンまたはフラグメントイオンの質量スペクトルデータの質を大幅に単純にして向上させるという効果を有するという点で特に有利である。特に、質量スペクトルデータのスペクトル容量またはスペクトル密度は、著しく改善される。プロダクトイオンまたはフラグメントイオンの電荷状態を低減することで、好ましくは、質量分析計の質量分解度要件が低くなる。なぜなら、プロダクトイオンの電荷状態ひいてはプロダクトイオンの質量または質量電荷比を求めるために必要となる分解能が低くなるからである。
【００６３】
上記好適な実施形態の別の利点は、プロダクトイオンまたはフラグメントイオンの電荷状態を低減することにより、プロダクトイオンまたはフラグメントイオンが、得られる質量スペクトルにおいてより高い質量電荷比値で分布されるようになるということであり、その結果、質量スケールまたは質量電荷比スケールにおいてより大きい分離度が得られ、これにより、質量分解度およびスペクトル密度ひいてはプロダクトイオンまたはフラグメントイオンの同定が改善される。
【００６４】
また、プロトン移動反応によるプロダクトイオンまたはフラグメントイオンの電荷低減を行うために非イオン性または中性の試薬蒸気を使用することも特に有利である。なぜなら、ＰＴＲ電荷低減プロセスを行うために試薬イオン源が不要であるからである。さらに、プロダクトイオンまたはフラグメントイオンの電荷を低減するために試薬イオンではなく中性試薬ガスを使用することにより、試薬イオンの移動および衝突セルのＲＦ電場内の試薬イオンの閉じ込めに関するあらゆる問題点が解消される。
【００６５】
一実施形態によると、親イオンまたは分析種イオンを、中性超強塩基試薬ガスを含む好適なＰＴＲデバイスの上流に好ましくは配置されるＥＴＤデバイス内で試薬イオンと相互作用させる。得られるＥＴＤプロダクトイオンまたはＥＴＤフラグメントイオンは、ＥＴＤデバイスから好ましくは現れ、かつイオン移動度セパレータまたはイオン移動度分光計を通って移送される際に好ましくは時間的に分離される。ＥＴＤプロダクトイオンまたはＥＴＤフラグメントイオンは、次いで、好適な実施形態に係るＰＴＲデバイスに好ましくは送られ、ＥＴＤプロダクトイオンまたはＥＴＤフラグメントイオンは、好ましくは、中性試薬ガスと相互作用することによりＰＴＲデバイス内で電荷状態が低減される。
【００６６】
上記好適な実施形態に係るＥＴＤデバイスおよび／またはＰＴＲデバイスは、２つの隣接するイオントンネル部分を含み得る。第１のイオントンネル部分における電極は、第１の内径を有し、第２の部分における電極は、第２の異なる内径（一実施形態によると、第１の内径よりも小さいかまたは大きいものであり得る）を有し得る。第１および／または第２のイオントンネル部分は、質量分析計の中心長軸全体に対して、傾くか、またはそうでなければ、質量分析計の中心長軸を外れるように配置され得る。これにより、真空チャンバを通って直線的に移動し続ける中性粒子からイオンを分離することが可能となる。
【００６７】
異なる種のカチオンおよび／または試薬イオンがＥＴＤデバイスの両端からＥＴＤデバイス中に入力され得る。
【００６８】
上記質量分析計は、デュアルモードイオン源またはツインイオン源を含み得る。例えば、エレクトロスプレーイオン源を使用して正の分析種イオンを生成し、大気圧化学イオン化イオン源を使用して負の試薬イオンを生成し得る。負の試薬イオンは、ＥＴＤによって分析種イオンをフラグメンテーションするためにＥＴＤデバイスに移動する。また、エレクトロスプレーイオン源、大気圧化学イオン化イオン源またはグロー放電イオン源などの１つのイオン源を使用して、分析種イオンおよび／または次いでＥＴＤデバイスに移送される試薬イオンを生成し得る別の実施形態も考えられる。
【００６９】
少なくともいくつかの多価分析種カチオンを好ましくはＥＴＤデバイス内で少なくともいくつか試薬イオンと相互作用させる。ここで、少なくともいくつかの電子は、好ましくは試薬アニオンから多価分析種カチオンのうちの少なくともいくつかに移動し、この時に、多価分析種カチオンのうちの少なくともいくつかは、好ましくは解離するよう誘起されて、ＥＴＤデバイス内でプロダクトイオンまたはフラグメントイオンを形成する。得られたＥＴＤプロダクトイオンまたはＥＴＤフラグメントイオンは、比較的高い電荷状態を有し易く、このことは問題となる。なぜなら、質量分析部の分解度が、比較的高い電荷状態を有するＥＴＤプロダクトイオンまたはＥＴＤフラグメントイオンを分解するのに不十分となり得るからである。
【００７０】
上記好適な実施形態は、ＥＴＤプロダクトイオンまたはＥＴＤフラグメントイオンの電荷状態を低減するように好ましくは構成されるイオン−中性ガス反応デバイスまたはＰＴＲデバイスに関する。好ましさが劣る実施形態によると、ＰＴＲデバイスは、ＥＴＤ以外のフラグメンテーションプロセスによって生じるプロダクトイオンまたはフラグメントイオンの電荷状態を低減するように構成され得る。ＰＴＲデバイスは、比較的高い電荷状態を有する親イオンまたは分析種イオンの電荷状態を低減するように構成されてもよい。上記好適な実施形態に係るＰＴＲデバイスは、複数の電極を含み、ここで、１つ以上の進行波または静電場がＰＴＲデバイスを好ましくは形成するＲＦイオンガイドの電極に好ましくは印加され得る。ＲＦイオンガイドは、好ましくは、使用時にイオンが移送される開口を有する複数の電極を含む。１つ以上の進行波または静電場は、上記好適なＰＴＲデバイスを形成するイオンガイドの電極に好ましくは印加される１つ以上の過渡ＤＣ電圧もしくは過渡ＤＣ電位または１つ以上の過渡ＤＣ電圧波形もしくは過渡ＤＣ電位波形を好ましくは含む。
【００７１】
一実施形態によると、質量分析計は、互いに反対の電荷を有するイオンを空間的に操作し、好適なＰＴＲデバイスの上流に好ましくは配置されるＥＴＤデバイス内でのイオン−イオン反応を容易にし、かつ好ましくは最大化、最適化または最小化するように構成され得る。質量分析計は、好ましくは、イオンの電子移動解離（「ＥＴＤ」）フラグメンテーションおよび／またはプロトン移動反応（「ＰＴＲ」）電荷状態低減を行うように構成および適合される。
【００７２】
負電荷の試薬イオン（または、中性試薬ガス）が、好適な実施形態に係るＰＴＲデバイスの上流に好ましくは配置されるイオン−イオン反応（またはイオン−中性ガス）ＥＴＤデバイス中に装填されるか、またはそうでなければ、提供または配置され得る。負電荷の試薬イオンは、例えば、１つのＤＣ進行波または１つ以上の過渡ＤＣ電圧もしくは過渡ＤＣ電位をＥＴＤデバイスを形成する電極に印加することによって、ＥＴＤデバイス中へ移送され得る。
【００７３】
一旦試薬アニオン（または、中性試薬ガス）がＥＴＤデバイス中へ装填されると、次いで多価分析種カチオンが好ましくは１つ以上の後のまたは独立したＤＣ進行波によってＥＴＤデバイスを通ってまたはその中へ駆動または推進され得る。１つ以上のＤＣ進行波は、好ましくはＥＴＤデバイスの電極に印加される。試薬イオンは、負電位をイオンガイドの一端または両端に印加することによってＥＴＤデバイス内に好ましくは滞留される。
【００７４】
ＥＴＤデバイスに印加される１つ以上のＤＣ進行波は、好ましくはイオンをＥＴＤデバイスの軸方向長さの少なくとも一部に沿って並進または推進させるような１つ以上の過渡ＤＣ電圧もしくは過渡ＤＣ電位または１つ以上の過渡ＤＣ電圧波形もしくは過渡ＤＣ電位波形を好ましくは含む。したがって、イオンは、好ましくはＥＴＤデバイスの長さに沿って逐次電極に印加される１つ以上の実電位障壁またはＤＣ電位障壁によって、ＥＴＤデバイスの長さに沿って有効に並進される。これにより、ＤＣ電位障壁間にトラップされた正電荷の分析種イオンは、好ましくはＥＴＤデバイスの長さに沿って並進され、かつ好ましくはＥＴＤデバイスデバイス中または内にすでに存在する負電荷の試薬イオン（または、中性試薬ガス）を通ってかつこれに近接して好ましくは駆動または推進される。
【００７５】
イオン−イオン反応および／またはイオン−中性ガス反応のための最適な状態が、ＤＣ進行波の速さ、速度または振幅を変更することによってＥＴＤデバイスデバイス内に実現され得る。試薬アニオン（または、試薬ガス）および分析種カチオンの運動エネルギーを、厳密に一致させ得る。電子移動解離プロセスから得られるＥＴＤプロダクトイオンまたはＥＴＤフラグメントイオンの滞留時間は、ＥＴＤフラグメントイオンまたはＥＴＤプロダクトイオンが通常のようには中性化されないように慎重に制御され得る。電子移動解離プロセスから得られる正電荷のＥＴＤフラグメントイオンまたはＥＴＤプロダクトイオンは、形成された後もＥＴＤデバイスに過度に長く残留させると、中性化される可能性が高い。
【００７６】
負電位または負電位障壁は、ＥＴＤデバイスの前（例えば、上流）端およびまた後（例えば、下流）端に必要に応じて印加され得る。負電位または負電位障壁は、好ましくは、ＥＴＤデバイス内に負電荷の試薬イオンを閉じ込めるように働き、同時にＥＴＤデバイス内に生成された正電荷のプロダクトイオンまたはフラグメントイオンがＥＴＤデバイスから比較的速く現れるかまたは出射することを可能にするか、またはそうさせる。また、ＥＴＤデバイス内で分析種イオンが中性ガス分子と相互作用し、電子移動解離および／またはプロトン移動反応を受け得る他の実施形態も考えられる。ＥＴＤデバイス内に中性試薬ガスが提供される場合、ＥＴＤデバイスの端部に電位障壁が提供されてもよいし、またはされなくてもよい。
【００７７】
負電位または負電位障壁がＥＴＤデバイスの前（例えば、上流）端のみに印加され得るかあるいは負電位または負電位障壁がＥＴＤデバイスの後（例えば、下流）端のみに印加され得る。１つ以上の負電位または負電位障壁がＥＴＤデバイスの長さに沿って異なる位置に維持され得る他の実施形態が考えられる。
【００７８】
正の分析種イオンが１つ以上の正電位によってＥＴＤデバイス内に滞留され、そして次いで試薬イオンまたは中性試薬ガスがＥＴＤデバイス中へ導入され得ることも考えられる。
【００７９】
２つの静電進行波またはＤＣ進行波がＥＴＤデバイスの電極に実質的に同時に印加され得る。進行波静電場または過渡ＤＣ電圧波形は、イオンを、例えば、ＥＴＤデバイスの中心領域へ、実質的に同時に互いに反対の方向に移動または並進させるように構成され得る。
【００８０】
好ましくは、ＥＴＤデバイスおよび好適な実施形態に係るＰＴＦデバイスは、好ましくはＡＣ電圧またはＲＦ電圧が供給される複数の積層リング電極を含む。電極は、好ましくは使用時にイオンが移送される開口を含む。イオンは、好ましくは、反対の位相のＡＣ電圧またはＲＦ電圧を隣接する電極に印加して、半径方向の擬電位障壁を好ましくは生成することによって、ＥＴＤデバイス内および好適なＰＴＦデバイス内に半径方向に閉じ込められる。半径方向の擬電位障壁は、好ましくは、イオンがＥＴＤデバイスおよび好適なＰＴＦデバイスの中心長軸に沿って半径方向に閉じ込められるようにする。
【００８１】
２つの異なる分析種試料がＥＴＤデバイスの異なる端から導入され得る。さらに、もしくはあるいは、２つの異なる種の試薬イオンがＥＴＤデバイスの異なる端からＥＴＤデバイス中へ導入され得る。
【００８２】
ＤＣ進行波パラメータ（すなわち、電極に印加される１つ以上の過渡ＤＣ電圧または過渡ＤＣ電位のパラメータ）は、上記好適な実施形態によると、ＥＴＤデバイスにおけるカチオンおよびアニオン（または、分析種カチオンおよび中性試薬ガス）間の相対的なイオン速度ならびに好適なＰＴＲデバイスにおけるＥＴＤプロダクトイオンまたはＥＴＤフラグメントイオンと中性試薬ガス分子との間の相対的な速度を制御できるように最適化され得る。ＥＴＤデバイスにおけるカチオンおよびアニオンまたはカチオンおよび中性試薬ガス間の相対的なイオン速度は、電子移動解離の実験において反応速度定数を好ましくは決定する重要なパラメータである。また同様に、好適なＰＴＲデバイスにおけるプロダクトイオンまたはフラグメントイオンと中性試薬ガスとの間の相対的な速度は、ＰＴＲデバイスにおいてプロダクトイオンまたはフラグメントイオンの電荷状態が低減される度合いを決定する。
【００８３】
また、ＥＴＤデバイスおよび／または好適なＰＴＲデバイスのいずれかにおけるイオン−中性衝突の速度が、高速進行波または定在ＤＣ波もしくは静的ＤＣ波のいずれかを使用して増大され得る他の実施形態も考えられる。また、このような衝突を利用して、衝突誘起解離（「ＣＩＤ」）を促進し得る。特に、電子移動解離またはプロトン移動反応から得られたプロダクトイオンまたはフラグメントイオンは、非共有結合を形成し得る。次いで、これらの非共有結合は、衝突誘起解離によって切断され得る。衝突誘起解離は独立した衝突誘起解離セルにおいてまたは好適なＰＴＲデバイスにおいて電子移動解離のプロセスに対して空間的に逐次行われ、かつ／あるいは同じＥＴＤデバイスにおいて電子移動解離プロセスに対して時間的に逐次行われ得る。
【００８４】
ＥＴＤ試薬および分析種イオンは、同じイオン源または２つ以上の独立したイオン源によって生成され得る。
【００８５】
一実施形態によると、プロダクトイオンスペクトルにおいて、電荷が減少したカチオンまたは電荷が減少した分析種イオンの強度の電荷の減少のない親カチオンの強度に対する比をリアルタイムに監視するデータ指向分析（「ＤＤＡ」）が実行され得る。この比を利用して、ＥＴＤデバイス内の電子移動解離の度合いおよび／または好適なＰＴＲデバイスにおけるプロダクトイオンもしくはフラグメントイオンの電荷状態の低減の度合いを調整する機器パラメータを制御し得る。これにより、フラグメントイオン効率は、リアルタイムにかつ液体クロマトグラフィ（ＬＣ）のピーク溶出時間スケールと同等の時間スケールで最大化または制御され得る。
【００８６】
電荷が減少した分析種カチオンの親分析種カチオンに対する存在度の比にもとづいて、フラグメントイオンおよび／または電荷が減少したイオンの存在度を最大化または変更する機器パラメータのリアルタイムフィードバック制御を実行し得る。
【００８７】
ここで、添付の図面を参照し、本発明の種々の実施形態を、あくまで例として、説明する。
【００８８】
図１は、２つの過渡ＤＣ電圧または過渡ＤＣ電位が好適なＰＴＲデバイスの上流に配置されたＥＴＤデバイスの電極に同時に印加され、分析種カチオンおよび試薬アニオンがともにＥＴＤデバイスの中心領域に運搬されることを示す。
【００８９】
図２は、ＥＴＤデバイスの電極に印加される進行ＤＣ電圧波形を使用して、正イオンおよび負イオンがＥＴＤデバイス内で同じ方向に同時に並進され得る様子を例示する。
【００９０】
図３は、好適なＰＴＲデバイスの上流に配置されるＥＴＤデバイスのＳＩＭＩＯＮ（登録商標）シミュレーションの断面図を示す。ここで、２つの進行ＤＣ電圧波形が同時にＥＴＤデバイスの電極に印加され、かつ進行ＤＣ電圧波形の振幅がＥＴＤデバイスの中心に向かって順次低減する。
【００９１】
図４は、エレクトロスプレーイオン源を使用して分析種イオンを生成し、かつＥＴＤ試薬イオンが質量分析計の入力真空チャンバ内に位置するグロー放電領域において生成される本発明の一実施形態に係る質量分析計のイオン源段および最初の真空段を示す。
【００９２】
図５は、本発明の一実施形態に係る質量分析計を示す。ここで、ＥＴＤ試薬アニオンおよび分析種カチオンは、ＥＴＤ衝突セル内で反応するように構成され、そして次いで、得られたＥＴＤプロダクトイオンまたはＥＴＤフラグメントイオンは、イオン移動度分光計内において時間的に分離された後、本発明の好適な一実施形態に係る中性試薬ガスを含むＰＴＲセルに送られる。
【００９３】
図６は、本発明の一実施形態に係る質量分析計を示す。ここで、イオンはトラップセルにおいて電子移動解離によりフラグメンテーションされ、かつ得られたＥＴＤプロダクトイオンまたはＥＴＤフラグメントイオンは、本発明の好適な一実施形態に係る中性試薬ガスを含む下流のＰＴＲセルに移動する。
【００９４】
図７Ａは、高電荷のＰＥＧ２０Ｋのイオンを本発明の好適な一実施形態にしたがってプロトン移動反応によって中性超強塩基ガスと反応させて当該イオンの電荷状態を低減した後に得られた質量スペクトルを示し、図７Ｂは、中性超強塩基ガスを用いた電荷状態の低減を行わなかったＰＥＧ２０Ｋのイオンの対応する質量スペクトルを示す。
【００９５】
本発明は、ＥＴＤプロダクトイオンまたはＥＴＤフラグメントイオンの電荷状態を低減するための中性試薬ガスを含むＰＴＲデバイスに主に関するが、ＥＴＤプロダクトイオンまたはＥＴＤフラグメントイオンがどのようにして最初に生成されるかを説明するために、上記好適なＰＴＲデバイスの上流に好ましくは配置されるＥＴＤデバイスの種々の態様についてまず説明する。
【００９６】
図１は、上記本発明の好適な実施形態に係る中性試薬ガスを含むプロトン移動反応（「ＰＴＲ」）デバイスの上流に好ましくは配置される積層リングイオンガイド電子移動解離（「ＥＴＤ」）デバイス２を共に構成するレンズ素子またはリング電極１の断面図を示す。
【００９７】
ＥＴＤデバイス２は、好ましくは、使用時にイオンが移送される１つ以上の開口を有する複数の電極１を含む。デジタル電圧パルスパターンまたは列７が、好ましくは、使用時に電極１に印加される。デジタル電圧パルス７は、好ましくは、電極１に対して、段階的に逐次印加され、かつ好ましくは矢印６で示されるように逐次印加される。以下により詳しく説明される図３にも示されるように、第１のＤＣ進行波８または過渡ＤＣ電圧もしくは過渡ＤＣ電位の列が、ＥＴＤデバイス２の第１の（上流）端からＥＴＤデバイス２の中央へ向かって時間とともに移動するように構成され得る。同時に、第２のＤＣ進行波９または過渡ＤＣ電圧もしくは過渡ＤＣ電位の列が必要に応じてＥＴＤデバイス２の第２の（下流）端からＥＴＤデバイス２の中央へ向かって時間とともに移動するように構成され得る。これにより、２つのＤＣ進行波８、９または過渡ＤＣ電圧もしくは過渡ＤＣ電位の列は、ＥＴＤデバイス２の両側からＥＴＤデバイス２の中央領域または中心領域へ向かって収束するように構成され得る。
【００９８】
図１は、好ましくは時間の関数として（例えば、電子タイミングクロックが進行するにつれて）ＥＴＤデバイス２の電極１に印加されるデジタル電圧パルス７を示す。デジタル電圧パルス７のＥＴＤデバイス２の電極１への時間の関数としての印加が進行する様子は、好ましくは矢印６によって示される。第１の時間Ｔ１において、Ｔ１によって示される電圧パルスが、好ましくは、電極１に印加される。後の時間Ｔ２において、Ｔ２によって示される電圧パルスが、好ましくは、電極１に印加される。後の時間Ｔ３において、Ｔ３によって示される電圧パルスが、好ましくは、電極１に印加される。最後に、後の時間Ｔ４において、Ｔ４によって示される電圧パルスが、好ましくは、電極１に印加される。電圧パルス７は、好ましくは、図示のように方形波電位プロフィ−ルを有する。
【００９９】
電極１に印加されるデジタルパルス７の強度または振幅は、ＥＴＤデバイス２の中央または中心に向かって低減するように構成され得る。これにより、好ましくはＥＴＤデバイス２の入力領域または出口領域に近接する電極１に印加されるデジタル電圧パルス７の強度または振幅は、好ましくは、ＥＴＤデバイス２の中心領域における電極１に好ましくは印加されるデジタル電圧パルス７の強度または振幅よりも大きい。好ましくは電極１に印加される過渡ＤＣ電圧もしくは過渡ＤＣ電位またはデジタル電圧パルス７の振幅が、ＥＴＤデバイス２の長さに沿って軸方向に離れても低減しない他の実施形態が考えられる。この実施形態によると、デジタル電圧パルス７の振幅は、ＥＴＤデバイス２の長さに沿って軸方向に離れても実質的に一定のままである。
【０１００】
好ましくはＥＴＤデバイス２のレンズ素子またはリング電極１に印加される電圧パルス７は、好ましくは方形波を含む。ＥＴＤデバイス２内の電位は、ＥＴＤデバイス２内の波動関数電位が好ましくは滑らかな関数となるように、好ましくは緩和する。
【０１０１】
一実施形態によると、分析種カチオン（例えば、正電荷の分析種イオン）および／または試薬アニオン（例えば、負電荷の試薬イオン）は、ＥＴＤデバイス２の両端からＥＴＤデバイス２中へ同時に導入され得る。一旦ＥＴＤデバイス２に入ると、正イオン（カチオン）は、好ましくはＥＴＤデバイス２の電極１に印加されるＤＣ進行波または１つ以上の過渡ＤＣ電圧もしくは過渡ＤＣ電位の正（山）の電位によって、反発される。静電進行波がＥＴＤデバイス２の長さに沿って移動するにつれ、正イオンは、好ましくは、ＥＴＤデバイス２に沿って、進行波と同じ方向にかつ実質的に図２に示すように推進される。
【０１０２】
負電荷の試薬イオン（すなわち、試薬アニオン）は、進行ＤＣ電圧または進行ＤＣ電位がＥＴＤデバイス２の長さに沿って移動するにつれ、進行波の正電位へ向かって引きつけられ、かつ同様に進行波の方向へ牽引、駆動または引きつけられる。これにより、正イオンは、好ましくは図２に示すような進行ＤＣ波の負の山（正の谷）において進行する一方、負イオンは、好ましくは、進行ＤＣ波または１つ以上の過渡ＤＣ電圧もしくは過渡ＤＣ電位の正の山（負の谷）において進行する。
【０１０３】
２つの互いに反対方向へ進行するＤＣ波８、９は、ＥＴＤデバイス２の両端からＥＴＤデバイス２の中央または中心に向かって実質的に同時にイオンを並進させるように構成され得る。進行ＤＣ波８、９は、好ましくは、互いに向かって移動するように構成され、かつＥＴＤデバイス２の中心領域に有効に収束または併合すると考えられ得る。カチオンおよびアニオンは、好ましくは、ＥＴＤデバイス２の中央へ向かって同時に搬送される。分析種カチオンが反応デバイスの異なる端から同時に導入され得る、好ましさが劣る実施形態が考えられる。好ましさが劣るこの実施形態によると、分析種イオンは、反応デバイス内に存在するかまたは後に反応デバイスに付加される中性試薬ガスと反応し得る。別の実施形態によると、２つの異なる種の試薬イオンがＥＴＤデバイス２中へＥＴＤデバイス２の異なる端から（同時にまたは後で）導入され得る。
【０１０４】
一実施形態によると、分析種カチオンは、第１の進行ＤＣ波８によってＥＴＤデバイス２の中心へ向かって並進され得、試薬アニオンは、第２の異なる進行ＤＣ波９によってＥＴＤデバイス２の中心へ向かって並進され得る。
【０１０５】
分析種カチオンおよび試薬アニオンの両方が第１のＤＣ進行波８によってＥＴＤデバイス２の中心（または他の領域）へ向かって同時に並進され得る他の実施形態が考えられる。この実施形態によると、他の分析種カチオンおよび／または試薬アニオンが、必要に応じて、任意の第２のＤＣ進行電圧波９によってＥＴＤデバイス２の中心（または他の領域）へ向かって同時に並進され得る。そこで、例えば、一実施形態によると、試薬アニオンおよび分析種カチオンは、他の試薬アニオンおよび分析種カチオンが好ましくは第１の方向とは反対の第２の方向に好ましくは移動する第２のＤＣ進行波９によって同時に並進されるのと同時に、第１のＤＣ進行波８によって第１の方向へ同時に並進され得る。
【０１０６】
イオンがＥＴＤデバイス２の中央領域または中心領域に近づくにつれ、進行波８、９の推進力は、低減するようにプログラムされ得、かつＥＴＤデバイス２の中心領域における進行波の振幅は、実質的にゼロとなるか、またはそうでなければ少なくとも著しく低減されるように構成され得る。これにより、進行波の谷およびピ−クは、好ましくは、ＥＴＤ反応デバイス２の中央（中心）において実質的に消失する（または、そうでなければ著しく低減する）ので、反対の極性（または、好ましさが劣るが同じ極性）のイオンを、次いで好ましくはＥＴＤデバイス２の中心領域内で併合させかつ相互作用させる。任意のイオンが、例えば、バッファガス分子との多数回衝突または高い空間電荷効果によってＥＴＤデバイス２の中央領域または中心領域から離れて軸方向にランダムに迷走すると、これらのイオンは、次いで、好ましくは、イオンをＥＴＤデバイス２の中心へ向かって戻るように並進または駆動する効果を有する次の進行ＤＣ波を受ける。
【０１０７】
正の分析種イオンは、第１の方向へ移動するように構成される第１のＤＣ進行波８によってＥＴＤデバイス２の中心へ向かって並進され得、負の試薬イオンは、第１の方向とは反対で有り得る第２の方向へ移動するように構成される第２のＤＣ進行波９によってＥＴＤデバイス２の中心へ向かって並進されるように構成され得る。
【０１０８】
特に好適な実施形態によると、２つの互いに反対方向のＤＣ進行波８、９をＥＴＤデバイス２の電極１に印加する代わりに、１つのＤＣ進行波がＥＴＤデバイス２の電極１に任意の特定の時刻に印加され得る。この実施形態によると、負電荷の試薬イオン（または、好ましさが劣るが正電荷の分析種イオン）が先にＥＴＤデバイス２中へ装填または導かれ得る。試薬アニオンは、好ましくは、ＤＣ進行波によってＥＴＤデバイス２の入口領域からＥＴＤデバイスに沿ってまたはこれを通って並進される。試薬アニオンは、ＥＴＤデバイス２の反対端または出口端に負電位を印加することによって、ＥＴＤデバイス２内に好ましくは滞留される。試薬アニオン（または、好ましさが劣るが分析種カチオン）がＥＴＤデバイス２中に装填された後、正電荷の分析種イオン（または、好ましさが劣るが負電荷の試薬イオン）が、次いで、好ましくは、電極１に印加された１つのＤＣ進行波または複数の過渡ＤＣ電圧もしくは過渡ＤＣ電位によって、ＥＴＤデバイス２に沿ってまたはこれを通って並進される。
【０１０９】
試薬アニオンおよび分析種カチオンを並進させるＤＣ進行波は、好ましくはＥＴＤデバイス２の電極１に印加される１つ以上の過渡ＤＣ電圧もしくは過渡ＤＣ電位または１つ以上の過渡ＤＣ電圧波形もしくは過渡ＤＣ電位波形を好ましくは含む。ＤＣ進行波のパラメータおよび、特に、過渡ＤＣ電圧または過渡ＤＣ電位がＥＴＤデバイス２の長さに沿って電極１に印加される速さまたは速度を変更または制御して、負電荷の試薬イオンと正電荷の分析種イオンとの間のイオン−イオン反応を最適化、最大化または最小化し得る。これにより、ＥＴＤデバイス２内のＥＴＤプロセスを慎重に制御することができる。
【０１１０】
ＥＴＤデバイス２内での分析種カチオンと試薬アニオンとの間のイオン−イオン相互作用から得られるフラグメントイオンまたはプロダクトイオンは、好ましくはＤＣ進行波によって、かつ好ましくは得られたフラグメントイオンまたはプロダクトイオンが中性化される前に、好ましくはＥＴＤデバイス２から掃き出される。また、未反応の分析種イオンおよび／または未反応の試薬イオンは、所望の場合に、ＥＴＤデバイス２から好ましくはＤＣ進行波によって取り出され得る。
【０１１１】
一実施形態によると、負電位を必要に応じてＥＴＤデバイス２の一端または両端に印加して、負電荷イオンをＥＴＤデバイス２内に滞留させ得る。また、印加される負電位は、好ましくは、ＥＴＤデバイス２内において生成または形成された正電荷のＥＴＤフラグメントイオンまたはＥＴＤプロダクトイオンを促進または駆動して、ＥＴＤデバイス２の一端または両端を介してＥＴＤデバイス２から出射させる効果を有する。
【０１１２】
一実施形態によると、ＥＴＤ正電荷のフラグメントイオンまたはプロダクトイオンは、形成されてから約３０ｍｓ以内にＥＴＤデバイス２を出射するように構成されることにより、正電荷のＥＴＤフラグメントイオンまたはＥＴＤプロダクトイオンがＥＴＤデバイス２内で中性化されることを回避し得る。しかし、ＥＴＤデバイス２内で形成されたＥＴＤフラグメントイオンまたはＥＴＤプロダクトイオンがＥＴＤデバイス２からより短時間で、例えば、０〜１０ｍｓ、１０〜２０ｍｓまたは２０〜３０ｍｓの時間スケール内で出射するように構成され得る他の実施形態が考えられる。あるいは、ＥＴＤデバイス２内で形成されたフラグメントイオンまたはプロダクトイオンは、ＥＴＤデバイス２からより遅く、例えば、３０〜４０ｍｓ、４０〜５０ｍｓ、５０〜６０ｍｓ、６０〜７０ｍｓ、７０〜８０ｍｓ、８０〜９０ｍｓ、９０〜１００ｍｓまたは＞１００ｍｓの時間スケール内で出射するように構成され得る。
【０１１３】
ＥＴＤデバイス２内におけるイオンの動き、およびＥＴＤデバイス２を通るイオンの動きは、ＳＩＭＩＯＮ８（登録商標）を使用してモデル化されている。図３は、ＥＴＤデバイス２を形成する一列のリング電極１の断面図である。ＳＩＭＩＯＮ８（登録商標）を使用して実質的に図３に示すように配置されたＥＴＤデバイス２を通るイオンの動きをモデル化した。また、図３は、ＥＴＤデバイス２を形成する電極１に順次印加されるものとしてモデル化された２つの収束ＤＣ進行波電圧８、９または過渡ＤＣ電圧列８、９を示す。ＤＣ進行波電圧８、９は、ＥＴＤデバイス２の中心へ向かって収束するものとしてモデル化し、かつＥＴＤデバイス２の両端からＥＴＤデバイス２の中心へ向かってイオンを同時に並進させる効果を有した。
【０１１４】
一実施形態によると、ＥＴＤデバイス２は、ステンレス鋼から形成される複数の積層導電性円形リング電極１を含み得る。リング電極は、例えば、ピッチが１．５ｍｍ、厚さが０．５ｍｍ、中心開口径が５ｍｍであってもよい。進行波プロフィールは、ＥＴＤデバイス２の中央または中心に向かう等価な波の速度が３００ｍ／ｓとなり得るよう、５μｓ間隔で進行するように構成され得る。アルゴンバッファガスが、ＥＴＤデバイス２内に０．１ｍｂａｒの圧力で提供され得る。ＥＴＤデバイス２の長さは、９０ｍｍであってもよい。印加される電圧パルスの通常の振幅は、１０Ｖであってもよい。イオンがＥＴＤデバイス２内に半径方向にかつ半径方向の擬電位谷内に閉じ込められるように、互いに反対の位相の１００ＶのＲＦ電圧がＥＴＤデバイス２を構成する隣接する電極１に印加され得る。
【０１１５】
任意のイオン−イオン反応（または、好ましさが劣るがイオン−中性ガス反応）がＥＴＤデバイス２内で発生するとすぐに、任意の得られたＥＴＤプロダクトイオンまたはＥＴＤフラグメントイオンはＥＴＤデバイス２の反応体積から遠ざかるように好ましくは比較的短時間で掃き出されるか、またはそうでなければ、並進されるように好ましくは配置される。好適な一実施形態によると、その結果得られたＥＴＤプロダクトイオンまたはＥＴＤフラグメントイオンは、好ましくは、ＥＴＤデバイス２から出射され、そして次いで好適な実施形態に係るＰＴＲデバイスへ前方移送され得る。ＥＴＤフラグメントイオンまたはＥＴＤプロダクトイオンの電荷状態は、中性超強塩基ガスと相互作用することによって好適なＰＴＲデバイス内で好ましくは低減される。次いで、電荷状態が低減したＥＴＤフラグメントイオンまたはＥＴＤプロダクトイオンは、後の質量分析および／または検出のために、好ましくは、好適なＰＴＲデバイスから飛行時間質量分析部などの質量分析部またはイオン検出器へと前方移送される。
【０１１６】
ＥＴＤデバイス２内で形成されたプロダクトイオンまたはフラグメントイオンは、種々の方法でＥＴＤデバイス２から引き出され得る。２つの互いに反対のＤＣ進行電圧波８、９がＥＴＤデバイス２の電極１に印加される実施形態に関して、ＥＴＤデバイス２の下流領域または出口領域に印加されるＤＣ進行波９の進行方向は、反転され得る。また、ＤＣ進行波の振幅は、ＥＴＤデバイス２の長さに沿って正規化され、ＥＴＤデバイス２は、次いで従来の進行波イオンガイドとして有効に動作し、すなわち、１つの方向へ移動する１つの一定の振幅ＤＣ進行電圧波がＥＴＤデバイス２の長さの実質的に全体にわたって提供され得る。
【０１１７】
同様に、１つのＤＣ進行電圧波がまず試薬アニオンをＥＴＤデバイス２に装填し、そして次いでその後に分析種カチオンが同じＤＣ進行電圧波によってＥＴＤデバイス２中へ装填されるか、またはそこを通って移送される実施形態に関して、次いでその１つのＤＣ進行電圧波はまた、ＥＴＤデバイス２内で生成された正電荷のＥＴＤフラグメントイオンまたはＥＴＤプロダクトイオンを引き出すように働く。ＤＣ進行電圧波の振幅は、一旦ＥＴＤフラグメントイオンまたはＥＴＤプロダクトイオンがＥＴＤデバイス２内で生成されると、ＥＴＤデバイス２の長さに沿って正規化され、したがって、次いで、ＥＴＤデバイス２は、従来の進行波イオンガイドとして有効に動作する。
【０１１８】
イオンは、進行波の場によって、十分に高い圧力（例えば、＞０．１ｍｂａｒ）に維持されたイオンガイドを通って並進されると、そのイオンの移動度の順に進行波イオンガイドの端から現れ得ることが示されている。比較的高いイオン移動度を有するイオンは、好ましくは比較的低いイオン移動度を有するイオンよりも先にイオンガイドから現れる。したがって、ＥＴＤデバイス２の中心領域において生成されたプロダクトイオンまたはフラグメントイオンのイオン移動度分離を活用することによって、感度およびデューティサイクルの向上などのさらなる分析上の利点が得られ得る。
【０１１９】
一実施形態によると、イオン移動度分光計またはイオン移動度分離段がＥＴＤデバイス２の上流および／または下流に設けられ得る。例えば、一実施形態によると、ＥＴＤデバイス２内に形成され、そしてその後にＥＴＤデバイス２から引き出されたＥＴＤプロダクトイオンまたはＥＴＤフラグメントイオンは、次いで好ましくはＥＴＤデバイス２の下流かつ好適な実施形態に係る中性試薬ガスを含むＰＴＲデバイスの上流に配置されたイオン移動度分光計またはイオン移動度セパレータにおいて、そのイオン移動度（または、好ましさが劣るが電場強度とともに変化するイオン移動度の変化率）に応じて分離され得る。
【０１２０】
一実施形態によると、ＥＴＤデバイス２を構成するリング電極１の内部開口の直径は、ＥＴＤデバイス２の長さに沿った電極の位置とともに順次増大するように構成され得る。開口径は、例えば、ＥＴＤデバイス２の入口部分および出口部分にてより小さく、かつＥＴＤデバイス２の中心または中央により近いところで比較的より大きくなるように構成され得る。これは、ＥＴＤデバイス２の中心領域内でイオンが受けるＤＣ電位の振幅を低減し、他方上記の種々の電極１に印加されるＤＣ電圧の振幅が実質的に一定に維持され得るという効果を有する。したがって、進行波イオンガイド電位は、ＥＴＤデバイス２の中央領域または中心領域で最小となる。
【０１２１】
別の実施形態によると、リング開口径および電極１に印加される過渡ＤＣ電圧または過渡ＤＣ電位の振幅はいずれも、ＥＴＤデバイス２の長さに沿って変更され得る。
【０１２２】
リング電極の開口の直径がＥＴＤデバイス２の中心に向かって増大する実施形態では、中心軸の近くのＲＦ場も低減する。これにより、ＥＴＤデバイス２の中心領域におけるイオンのＲＦによる加熱が小さくなるという利点がある。この効果は、電子移動解離タイプの反応を最適化し、かつ衝突誘起反応を最小化するのに特に有利であり得る。
【０１２３】
ＥＴＤデバイス２内の焦点または反応領域の位置は、ＥＴＤデバイス２の長さに沿って時間の関数として軸方向に移動または変更され得る。これは、イオンがＥＴＤデバイス２を通って、中心反応領域内に止まることなく、連続的に流れるか、または通過するように構成され得るという利点がある。これにより、分析種イオンおよび試薬イオンをＥＴＤデバイス２の入口に導入し、そしてＥＴＤプロダクトイオンまたはＥＴＤフラグメントイオンをＥＴＤデバイス２の出口から射出するプロセスを連続的に行うことが可能となる。焦点の並進移動の速度などの種々のパラメータを変更または制御して、ＥＴＤイオン−イオン反応効率を最大化または最小化し得る。焦点の動きは、適切なレンズまたはリング電極１に印加される電圧を切り換えまたは制御することによって段階的に電子的に実現または制御され得る。
【０１２４】
電子移動解離反応から得られたプロダクトイオンまたはフラグメントイオンは、好ましくは、ＥＴＤデバイス２の出口から現れ、かつ、次いで、プロダクトイオンまたはフラグメントイオンの電荷状態が低減される好適な実施形態に係る中性試薬ガスを含むＰＴＲデバイスに移送されるように構成される。次いで、イオンは、例えば、飛行時間質量分析部へ前方移送される。システム全体の感度を上げるために、ＥＴＤデバイス２からおよび／または好適なＰＴＲデバイスからイオンを放出するタイミングは、直交加速式飛行時間質量分析部の押し込み電極と同期化され得る。
【０１２５】
一実施形態によると、ＥＴＤデバイス２中に入力される分析種カチオンおよび試薬アニオンは、独立したイオン源または異なるイオン源から生成され得る。カチオンおよびアニオンの両方を別個のイオン源からＥＴＤデバイス２中へ効率的に導入するために、さらなるイオンガイドがＥＴＤデバイス２の上流（および／または下流）に設けられ得る。このさらなるイオンガイドは、異なる位置の別個のイオン源からの両方の極性を有するイオンを同時にかつ連続的に受け取り、そして移動させ、そして分析種および試薬イオンの両方をＥＴＤデバイス２中へ導くように構成され得る。
【０１２６】
進行ＤＣ電圧波を積層リングＲＦイオンガイドの電極に印加するステップを含む実験によって、進行ＤＣ波電圧パルスの振幅を増大するステップおよび／またはイオン反応体積内の進行ＤＣ波電圧パルスの速さを増大するステップによって、イオン−イオン反応速度を低減、または必要に応じて停止さえし得るが示されている。これは、進行ＤＣ電圧波によって分析種カチオンの試薬アニオンに対する相対速度が局所的に増大し得るという事実に基づく。イオン−イオン反応速度は、カチオンおよびアニオン間の相対速度の３乗に反比例することが示されている。
【０１２７】
また、進行ＤＣ電圧波の振幅および／または速さを増大するステップは、カチオンおよびアニオンのＥＴＤデバイス２における滞在時間をともに低減し、かつしたがって反応効率を低減する効果を有し得る。
【０１２８】
ＥＴＤデバイス２内のイオン−イオン反応は、ＥＴＤ反応デバイス２の電極１に印加される１つ以上のＤＣ進行波の振幅および／または速さを変更することによって制御、最適化、最大化、または最小化され得る。進行ＤＣ波の場の振幅を電子的に制御する代わりに、その場の振幅が内径または軸方向間隔が変化する積層リング電極を利用することによって機械的に制御される他の実施形態が考えられる。リングスタックまたはリング電極１の開口の直径が増大するように構成される場合、同じ振幅電圧がすべての電極１に印加されるとすると、イオンが受ける進行波振幅は低減する。
【０１２９】
１つ以上の進行ＤＣ電圧波の振幅がさらに増大され、そして進行ＤＣ電圧波の速度が次いで急激にゼロに低減され、定常波が有効に生成され得る。反応体積中のイオンは、ＥＴＤ反応デバイス２の軸に沿って繰り返し加速され、そして次いで減速され得る。この方法を使用して、ＥＴＤ反応デバイス２の内部に生成または形成されるプロダクトイオンまたはフラグメントイオンの内部エネルギーを増加させ、プロダクトイオンまたはフラグメントイオンを衝突誘起解離（ＣＩＤ）のプロセスによってさらに分解させ得る。衝突誘起解離のこの方法は、電子移動解離から生じ得る非共有結合されたプロダクトのイオンまたはフラグメントイオンを分離する際にとくに有用である。予め電子移動解離反応させた前駆イオンは、しばしば部分的に分解し（特に、１価および２価前駆イオン）、そして部分的に分解したイオンは、互いに非共有結合したままであり得る。
【０１３０】
対象の非共有結合されたプロダクトのイオンまたはフラグメントイオンは、進行ＤＣ波がイオンを輸送する通常モードにおいて働くことによってＥＴＤ反応デバイス２から掃き出されている際に、互いに分離され得る。これは、進行波の速度を十分に高い値に設定して、イオン−分子衝突を発生させ、これにより非共有結合されたフラグメントのイオンまたはプロダクトイオンの分離を誘発することによって実現され得る。
【０１３１】
分析種イオンおよび試薬イオンは、同じイオン源によって、または質量分析計の共通のイオン生成部もしくはイオン源によって生成され得る。例えば、分析種イオンは、エレクトロスプレーイオン源によって生成され得、ＥＴＤ試薬イオンは、好ましくはエレクトロスプレーイオン源の下流に配置されたグロー放電領域において生成され得る。図４は、分析種イオンがエレクトロスプレーイオン源によって生成される一実施形態を示す。エレクトロスプレーイオン源のキャピラリ１４は、好ましくは＋３ｋＶに維持される。好ましくは、分析種イオンは、好ましくは０Ｖに維持された質量分析計の試料コーン１５へ向かって牽引される。イオンは、好ましくは試料コーン１５を通って、そして好ましくは真空ポンプ１７によってポンプされた真空チャンバ１６中へ移動する。高電圧源に接続されたグロー放電ピン１８は、好ましくは、真空チャンバ１６内の試料コーン１５の近くかつ下流に配置される。一実施形態によると、グロー放電ピン１８は、−７５０Ｖに維持され得る。試薬源１９からの試薬は、好ましくはグロー放電ピン１８の近くに配置された真空チャンバ１６中へ流出されるか、またはそうでなければ供給される。これにより、ＥＴＤ試薬イオンは、好ましくは、真空チャンバ１６内のグロー放電領域２０において生成される。次いで、ＥＴＤ試薬イオンは、好ましくは引き出しコーン２１を通って引き出され、そしてさらなる下流真空チャンバ２２中へ移動する。イオンガイド２３が、好ましくはさらなる真空チャンバ２２中に配置される。次いで、ＥＴＤ試薬イオンは、好ましくは質量分析計のさらなる段２４へ前方移送され、そしてその後ＥＴＤ試薬イオンを分析種イオンと反応させて分析種イオンをＥＴＤによってフラグメンテーションするＥＴＤデバイスに好ましくは移送される。
【０１３２】
デュアルモードイオン源またはデュアルイオン源が設けられ得る。例えば、エレクトロスプレーイオン源を使用して、分析種（または、ＥＴＤ試薬）イオンを生成し得、大気圧化学イオン化イオン源を使用してＥＴＤ試薬（または、分析種）イオンを生成し得る。負電荷のＥＴＤ試薬イオンは、ＥＴＤデバイスの電極に印加される１つ以上の進行ＤＣ電圧または過渡ＤＣ電圧によって、ＥＴＤデバイス中へ渡され得る。負ＤＣ電位をＥＴＤデバイスに印加して、負電荷の試薬イオンをＥＴＤデバイス内に滞留させ得る。次いで、正電荷の分析種イオンは、１つ以上の進行ＤＣ電圧または過渡ＤＣ電圧をＥＴＤデバイスの電極に印加することによって、ＥＴＤデバイス中に入力され得る。正電荷の分析種イオンは、好ましくは、滞留されず、かつＥＴＤデバイスから出射するのを妨げられないようにされる。ＥＴＤデバイスの電極に印加される進行ＤＣ電圧または過渡ＤＣ電圧の種々のパラメータを最適化または制御して、電子移動解離によって分析種イオンのフラグメンテーションの度合いを最適化、最大化または最小化し得る。
【０１３３】
グロー放電イオン源を使用してＥＴＤ試薬イオンおよび／または分析種イオンを生成する場合、イオン源のピン電極１８は、±５００〜７００Ｖの電位に維持され得る。グロー放電イオン源の電位は、正電位（カチオンを生成するため）と負電位（アニオンを生成するため）との間で比較的急速に切り換えられ得る。
【０１３４】
デュアルモードイオン源またはデュアルイオン源が設けられる場合、そのイオン源が、約５０ｍｓごとに、モード間で切り換えられ得る（またはそのイオン源が互いに切り換えられ得る）。イオン源は、＜１ｍｓ、１〜１０ｍｓ、１０〜２０ｍｓ、２０〜３０ｍｓ、３０〜４０ｍｓ、４０〜５０ｍｓ、５０〜６０ｍｓ、６０〜７０ｍｓ、７０〜８０ｍｓ、８０〜９０ｍｓ、９０〜１００ｍｓ、１００〜２００ｍｓ、２００〜３００ｍｓ、３００〜４００ｍｓ、４００〜５００ｍｓ、５００〜６００ｍｓ、６００〜７００ｍｓ、７００〜８００ｍｓ、８００〜９００ｍｓ、９００〜１０００ｍｓ、１〜２ｓ、２〜３ｓ、３〜４ｓ、４〜５ｓ、または＞５ｓの時間スケールで、モード間で切り換えられ得る（またはイオン源は互いに切り換えられ得る）。あるいは、１つ以上のイオン源のＯＮおよびＯＦＦを切り換える代わりに、その１つ以上のイオン源が実質的にＯＮのままにされ得、バッフルまたは回転イオンビームブロックなどのイオン源セレクタデバイスが使用され得る。例えば、２つのイオン源がＯＮのままにされ得るが、イオンビームセレクタは、任意の特定の時刻にイオンがイオン源のうちの一方から質量分析計へ移送されることだけを可能にしてもよい。あるイオン源がＯＮのままにされ、別のイオン源が繰り返しＯＮおよびＯＦＦに切り換えられ得る、さらなる実施形態が考えられる。
【０１３５】
また、デュアルモードイオン源がモード間で切り換えられ得るか、または２つのイオン源が対称または非対称にＯＮ／ＯＦＦを切り換えられ得る別の実施形態が考えられる。例えば、一実施形態によると、親イオンまたは分析種イオンを生成するイオン源は、デューティサイクルの約９０％の間、ＯＮのままにされ得る。デューティサイクルの残りの１０％の間、分析種イオンを生成するイオン源は、ＯＦＦに切り換えられ得、そしてＥＴＤ試薬イオンは、ＥＴＤデバイス内の試薬イオンを補給するために生成され得る。分析種イオンを生成するイオン源がＯＮに切り換えられる（または、分析種イオンが質量分析計中へ移送される）期間のＥＴＤ試薬イオンを生成するイオン源がＯＮに切り換えられる（または、ＥＴＤ試薬イオンが質量分析計中へ移送されるか、または質量分析計内に生成される）期間に対する比が、＜１、１〜２、２〜３、３〜４、４〜５、５〜６、６〜７、７〜８、８〜９、９〜１０、１０〜１５〜１５〜２０、２０〜２５、２５〜３０、３０〜３５、３５〜４０、４０〜４５、４５〜５０または＞５０の範囲に入り得る他の実施形態が考えられる。
【０１３６】
一実施形態によると、電子移動解離フラグメンテーションは、ＥＴＤデバイスの電極に印加される進行ＤＣ電圧の速度および／または振幅を制御することによって制御、最大化、最小化、強化、または実質的に防止され得る。進行ＤＣ電圧が電極に非常に急速に印加される場合、電子移動解離によってフラグメンテーションする分析種イオンは非常に少なくなり得る。
【０１３７】
ガスフロー動的効果および／または圧力差効果を利用して、分析種イオンおよび／または試薬イオンをＥＴＤデバイスの各部を通るように駆動または推進する、他の好ましさが劣る実施形態が考えられる。ガスフロー動的効果は、ＥＴＤデバイスに沿っておよびこれを通ってイオンを駆動または推進する他の方法または手段に加えて利用され得る。
【０１３８】
好ましさが劣る一実施形態によると、親イオンまたは分析種イオンの電荷状態は、親イオンまたは分析種イオンがＥＴＤデバイス２においてＥＴＤ試薬イオンおよび／または中性試薬ガスと相互作用する前に、まずプロトン移動反応によって低減され得る（分析種イオン−試薬イオン相互作用または分析種イオン−中性超強塩基試薬ガス相互作用により）。
【０１３９】
好ましさが劣る一実施形態によると、親イオンまたは分析種イオンを、プロトンをＥＴＤ試薬イオンまたは中性試薬ガスへ移動させることによってフラグメンテーションさせるか、またはそうでなければ、解離させ得る。
【０１４０】
電子移動解離から得られるプロダクトイオンまたはフラグメントイオンは、ともに非共有結合し得る。非共有結合されたプロダクトのイオンまたはフラグメントイオンが、電子移動解離が行われたＥＴＤデバイス、またはＥＴＤデバイスの下流に好ましくは配置された独立の反応デバイスもしくは反応セルのいずれかの中で衝突誘起解離、表面誘起解離または他のフラグメンテーションプロセスによってフラグメンテーションされ得る実施形態が考えられる。
【０１４１】
親イオンまたは分析種イオンをフラグメンテーションまたは解離させた後、キセノン、セシウム、ヘリウムまたは窒素の原子またはイオンなどの準安定原子または準安定イオンと反応または相互作用させ得る好ましさが劣る実施形態が考えられる。
【０１４２】
一実施形態によると、中性ヘリウムガスが０．０１〜０．１ｍｂａｒ、好ましさが劣るが０．００１〜１ｍｂａｒ、の範囲の圧力でＥＴＤデバイス内に提供され得る。ヘリウムガスは、電子移動解離応を支援する際に特に有用であることがわかっている。窒素およびアルゴンガスは、好ましさが劣るが、電子移動解離ではなく衝突誘起解離によって少なくともいくつかの親イオンまたは分析種イオンをフラグメンテーションさせ得る。
【０１４３】
本発明の特に好適な一実施形態を図５に示す。この実施形態は、ＥＴＤ反応セル２５、ＥＴＤ反応セル２５の下流に配置されたイオン移動度デバイスまたはイオン移動度分光計もしくはイオン移動度セパレータ２６、および中性試薬ガスを含む好適なＰＴＲセル２７を含み、好適なＰＴＲセル２７は、イオン移動度デバイスまたはイオン移動度分光計もしくはイオン移動度セパレータ２６の下流に配置される。
【０１４４】
ＥＴＤ反応セル２５は、好ましくは、電子移動解離デバイス２５を含む。ＥＴＤ試薬アニオンおよび分析種カチオンは、好ましくは、電子移動解離デバイス２５内で反応するように構成される。質量、電荷状態およびイオン移動度の異なる複数のＥＴＤプロダクトイオンまたはＥＴＤフラグメントイオンが、好ましくは、電子移動解離プロセスの結果生成され、そしてこれらのＥＴＤプロダクトイオンまたはＥＴＤフラグメントイオンは、好ましくは、ＥＴＤ反応セル２５から現れる。
【０１４５】
ＥＴＤ反応セル２５から好ましくは現れるＥＴＤプロダクトイオンまたはＥＴＤフラグメントイオンは、好ましくは、イオン移動度分光計またはイオン移動度セパレータ２６を通される。一動作モードにおいて、ＥＴＤプロダクトイオンまたはＥＴＤフラグメントイオン（ETD product of fragment ions）は、好ましくは、イオン移動度分光計またはイオン移動度セパレータ２６を通って移送される際に、それらのイオン移動度に応じて時間的に分離される。イオン移動度分光計またはイオン移動度セパレータ２６は、好ましくは、ＥＴＤプロダクトイオンまたはＥＴＤフラグメントイオンの形状、コンフォーメーションおよび電荷状態についての価値のある情報を提供し、かつ好ましくは、また、好適なＰＴＲセル２７の下流に好ましくは配置される飛行時間質量分析部２８によって測定されたデータのスペクトルの複雑性を低減する。別の動作モードにおいて、イオン移動度分光計またはイオン移動度セパレータ２６は、有効にＯＦＦに切り換えられ、イオン移動度分光計またはイオン移動度セパレータ２６がイオンガイドとして動作するようにし得る。ここで、イオンは、フラグメンテーションされることなく、かつ実質的にイオン移動度に応じて時間的に分離されることなく、イオン移動度分光計またはイオン移動度セパレータ２６を通って移送される。
【０１４６】
一動作モードにおいて、好適なＰＴＲセル２７は、イオン移動度分光計またはイオン移動度セパレータ２６の出口とＰＴＲセル２７の入口との間の電位差を比較的高く維持することによって、衝突誘起解離（「ＣＩＤ」）フラグメンテーションセルとして動作され得る。これにより、イオンは、ＰＴＲセル２７中へ勢いよく加速され得、その結果ＰＴＲセル２７内でＣＩＤによってフラグメンテーションされる。電子移動解離から得られるプロダクトイオンまたはフラグメントイオンは、非共有結合を形成して、２つ以上のプロダクトイオンまたはフラグメントイオンが一緒にクラスタを形成し得ることが公知である。したがって、好適なＰＴＲセル２７を使用して、ＥＴＤ反応セル２５内に形成されたプロダクトイオンまたはフラグメントイオンをＣＩＤフラグメンテーションして、プロダクトイオンまたはフラグメントイオン間の任意の非共有結合を効果的に切断し得る。このプロセスは、ｃ−タイプおよびｚ−タイプのＥＴＤフラグメントイオンを生成するためのＣＩＤによる一形態の二次的活性化であると考えられ得る。ＰＴＲセル２７の下流に配置される飛行時間質量分析部２８は、ＰＴＲセル２７から現れるフラグメントイオンまたはプロダクトイオンの質量分析を行うように好ましくは構成される。上記好適な実施形態の特に有利な態様によると、フラグメントイオンまたはプロダクトイオンは、ＰＴＲセル２７内で中性試薬ガスと相互作用することによって電荷状態が低減される。これにより、飛行時間質量分析部２８は、電荷状態が低減したプロダクトイオンまたはフラグメントイオンを分解することができる。
【０１４７】
電子移動および／またはプロトン移動が衝突セル２５、２７の両方（および／またはイオン移動度分光計またはイオン移動度セパレータ２６）において行われ得る他の実施形態が考えられる。好ましさが劣る一実施形態によると、ＣＩＤがＥＴＤ（または上流）反応セル２５において行われ、ＰＴＲ（または下流）セル２７においてＥＴＤおよび／またはＰＴＲが好適であり得る。これらの変形例は、ＣＩＤによるフラグメンテーションの前のイオンの任意のコンフォーメーション変化の研究に有用であり得る。
【０１４８】
本発明の上記好適な実施形態によると、ＥＴＤセル２５内でのＥＴＤによって形成されるＥＴＤプロダクトイオンまたはＥＴＤフラグメントイオンは、プロトン移動反応によりＰＴＲデバイスまたはＰＴＲ移動セル２７内でオクタヒドロピリミドールアゼピン（ＤＢＵ）などの超強塩基の非荷電の中性蒸気と反応する。ＥＴＤプロダクトイオンまたはＥＴＤフラグメントイオンの電荷状態は好ましくは低減され、ＥＴＤプロダクトイオンまたはＥＴＤフラグメントイオンは、次いで、好ましくは、後の質量電荷比分析のために飛行時間質量分析部へと前方移送される。
【０１４９】
図６は、分析種スプレー２９とロックマス（lockmass）基準スプレー３０とを含む本発明の一実施形態に係る質量分析計を示す。この質量分析計は、第１の真空チャンバと、イオンガイド３１を収容する第２の真空チャンバと、四重極質量フィルタ３２と収容する第３の真空チャンバと、ＥＴＤデバイス３３を収容する第４の真空チャンバと、イオン移動度分光計またはイオン移動度セパレータ３４と、中性試薬ガスを含むＰＴＲデバイス３５とをさらに含む。飛行時間質量分析部３６が第４の真空チャンバの下流のさらなる真空チャンバに収容されている。ＥＴＤ反応デバイスまたはトラップセル３３がイオン移動度分光計またはイオン移動度セパレータ３４の上流に設けられており、好適なＰＴＲデバイスまたは移動セル３５がイオン移動度分光計またはイオン移動度セパレータ３４の下流に設けられている。
【０１５０】
一実施形態によると、ラジカルアゾベンゼン（またはフルオランテン）イオンといった１価の電子移動解離試薬アニオンが四重極質量フィルタ３２によって選択され得、これらはまた、ＥＴＤ反応デバイスまたはトラップセル３３内に蓄積され得る。次いで、多価分析種前駆カチオンが四重極質量フィルタ３２によって選択され得、これらはまた、ＥＴＤ反応デバイスまたはトラップセル３３中に好ましくは移送される。多価前駆カチオンまたは多価分析種カチオンは、次いで、ＥＴＤ反応デバイスまたはトラップセル３３内で電子移動解離によってフラグメンテーションされるように好ましくは配置される。得られたプロダクトイオンまたはフラグメントイオンは、次いで、イオン移動度分光計またはイオン移動度セパレータ３４を介して好適なＰＴＲデバイスまたは移動セル３５に好ましくは移動する。
【０１５１】
一実施形態によると、ユニオンコネクタを介してニードル弁に連結されたガラス管（外径６．３５ｍｍ×内径２．８１ｍｍ×長さ１５２．４ｍｍ）内に超強塩基試薬（液体）が準備され得る。図６に示すように、ニードル弁は、ステンレス鋼製配管と１つ以上の切り換え弁とを介して移動セルまたはＰＴＲデバイス３５に好ましくは連通する移動ガス入口バルクヘッドに連結され得る。ガラス管および蒸気流路は、超強塩基試薬（例えばＤＢＵ）の急速な蒸発を確実にし、かつ超強塩基蒸気が液体に再濃縮することを防ぐため、例えば加熱テープを用いて１００〜１５０℃に加熱されるのが好ましい。
【０１５２】
好ましさが劣る一実施形態によると、電子移動解離およびプロトン移動反応による電荷状態の低減は、同じ反応セルにおいて時間的に順次行われ得る。
【０１５３】
好ましさが劣る別の実施形態によると、電子移動解離およびプロトン移動反応による電荷状態の低減は、空間的に順次（例えば、独立した反応セルにおいて）行われるのではなく、同じ反応セルにおいて実質的に同時に行われ得る。
【０１５４】
プロトン移動反応による親イオンまたは分析種イオンの電荷状態の低減が電子移動解離または他のフラグメンテーションプロセスの前に実施され得る好ましさが劣る他の実施形態が考えられる。この実施形態によると、正の高電荷分析種イオンまたは前駆イオンは、例えば反応セル内の中性超強塩基試薬ガスを用いたプロトン移動反応による反応によってその電荷のいくつかを失うようにまず配置され得る。例えば、図６に示すようなトラップセル３３がこの目的で使用され得る。得られた電荷状態が低減した分析種イオンは、次いで、イオン移動度分光計またはイオン移動度セパレータ３４を通過するように好ましくは配置され、次いで、移動セル３５に好ましくはトラップされる。四重極質量フィルタ３２によって選択された１価の負のＥＴＤ試薬イオンは、次いで、トラップセル３３およびイオン移動度分光計またはイオン移動度セパレータ３４を通って移送され得る。１価の負のＥＴＤ試薬イオンは、次いで、移動セル３５に存在する電荷状態が低減した分析種イオンを電子移動解離プロセスによってフラグメンテーションするように配置され得る。この実施形態によると、イオン移動度分光計またはイオン移動度セパレータは、ＯＮに切り替えられ得る（イオンをその移動度に応じて分離するように）か、あるいはＯＦＦに切り替えら得る（イオンをその移動度に応じて分離することなく単にイオンガイドとして機能するように）。１価の負のＥＴＤ試薬イオンがトラップセル３３を通過することなく直接移動セル３５中に入るさらなる実施形態が考えられる。
【０１５５】
別の実施形態によると、１価の負のＥＴＤ試薬イオンはトラップセル３３を通って移送されるが、中性超強塩基試薬ガスは、負のＥＴＤ試薬イオンがトラップセル３３を通って移送される際に除去されるかあるいは濃度が減少し得る。
【０１５６】
好ましくは、前駆イオンはＥＴＤ反応の前に四重極質量フィルタ３２によって選択される。
【０１５７】
反応の第１段階が衝突誘起解離（ＣＩＤ）、電子捕獲解離（ＥＣＤ）または表面誘起解離（ＳＩＤ）といった他のフラグメンテーション方法を含み得る他の実施形態が考えられる。一実施形態によると、フラグメントイオンまたはプロダクトイオンは、ＣＩＤ、ＥＣＤまたはＳＩＤによってトラップセル（例えば、図６に示すようなトラップセル３３）において生成され得る。得られたフラグメントイオンまたはプロダクトイオンは、次いで、移動セル（例えば、図６に示すような移動セル３５）に移送され得る。次いで、フラグメントイオンまたはプロダクトイオンの電荷状態は、フラグメントイオンまたはプロダクトイオンを中性超強塩基試薬ガスと移動セル３５内でプロトン移動反応によって反応させることによって好ましくは低減され得る。
【０１５８】
別の実施形態によると、中性試薬ガスを用いて一次電子移動解離反応を生じさせてもよく、したがって、この実施形態によると、試薬イオンを生成するためアニオン源が不要であるため有利である。アルカリ金属蒸気などの中性試薬ガス、なかでも、セシウム（Ｃｓ）を含む蒸気を使用して、分析種イオンのＥＴＤを実行し得る。この実施形態によると、試薬分子は、結合が非常に緩いか弱い電子を有する奇数電子ラジカル種と会合するようになる。この実施形態によると、セシウム蒸気との相互作用による分析種イオンのＥＴＤフラグメンテーションは、磁場セクター機器といった高エネルギー機器を用いて行われ得る。フラグメンテーションされる分析種イオンは、比較的高い電荷状態を有し得る。
【０１５９】
図７Ａおよび図７Ｂは、本発明の好適な実施形態に係るＰＴＲデバイスにおけるＥＴＤプロダクトイオンまたはＥＴＤフラグメントイオンの電荷状態の低減の様々な有利な側面を示す。好適な実施形態の態様を説明するため、高電荷のポリエチレングリコールイオン（ＰＥＧ２０Ｋ）を２，３，４，６，７，８，９，１０−オクタヒドロピリミドール［１，２−ａ］アゼピンと呼ばれる超強塩基試薬（「ＤＢＵ」として一般に知られる）と質量分析計のＰＴＲセルまたは反応セル内で反応させた。図７Ａは、得られたプロトン移動反応後のＰＥＧ２０Ｋイオンの質量スペクトルを示し、イオンの電荷状態が低減され、イオンの大部分が４＋の電荷状態を有することを示している。これに対し、図７Ｂは、ＰＥＧ２０Ｋイオンに対してＤＢＵを用いた電荷状態の低減を行わなかった場合の対応する質量スペクトルを示す。図７Ｂから明らかであるように、電荷が減少しなかった親イオンは、高電荷状態、したがって低い質量対電荷値を有するイオンの複雑な混合物を含む。質量スペクトルにおいて個々のオリゴマーは識別できず、スペクトルは、電荷状態の重なりによる比較的広いノイズ帯および、高電荷状態による圧縮された質量電荷比範囲を含んでいる。ＰＥＧ試料は、それぞれが種々の電荷状態を有し得るオリゴマーの混合物からなる。質量２０ＫＤａのオリゴマー鎖に２８個までの電荷が配置され得ると考えられる。飛行時間質量分析部の分解能では、このような複雑さによってスペクトル輻輳が発生し、したがって、データから分子量情報を抽出することはできない。
【０１６０】
これに対し、図７Ａに示す電荷が減少したイオンの質量スペクトルのピークは飛行時間質量分析部によって解析することが可能であり、これによってイオンの電荷状態および質量に関する情報が得られる。一方、図７Ｂに示す電荷が減少していないイオンに関する質量スペクトルは解析されず、比較的少ない分析情報しか得られない。したがって、ＰＴＲデバイスにおいてＥＴＤプロダクトイオンまたはＥＴＤフラグメントイオンをＤＢＵなどの中性試薬ガスと相互作用させることによってＥＴＤプロダクトイオンまたはＥＴＤフラグメントイオンの電荷状態を低減することは特に有利であることは明らかである。
【０１６１】
上記好適な実施形態によると、好適なＰＴＲデバイスに供給される中性超強塩基ガスは、好ましくは、高電荷ＥＴＤプロダクトイオンまたは高電荷ＥＴＤフラグメントイオンからプロトンを剥ぎ取る。したがって、中性超強塩基試薬ガスは、好ましくはプロトンスポンジとして機能する。
【０１６２】
一実施形態によると、好適なＰＴＲデバイスに設けられる中性超強塩基試薬ガスは、１，１，３，３−テトラメチルグアニジン（「ＴＭＧ」）、２，３，４，６，７，８，９，１０−オクタヒドロピリミドール［１，２−ａ］アゼピン｛別名：１，８−ジアザビシクロ［５．４．０］ウンデカ−７−エン（「ＤＢＵ」）｝または７−メチル−１，５，７−トリアザビシクロ［４．４．０］デカ−５−エン（「ＭＴＢＤ」）｛別名：１，３，４，６，７，８−ヘキサヒドロ−１−メチル−２Ｈ−ピリミド［１，２−ａ］ピリミジン｝を含み得る。
【０１６３】
上記好適な実施形態は、イオンが移送される開口を有する複数の電極を含むイオンガイドまたはデバイスにおいてＰＴＲを行うことに関するが、ＥＴＤデバイスおよび／または上記好適なＰＴＲデバイスが代わりに複数のロッド電極を含み得る他の実施形態が考えられる。ＤＣ電圧勾配が、ロッドセットの軸方向長さの少なくとも一部に沿って印加され得る。制御システムがＥＴＤデバイスにおけるＥＴＤフラグメンテーションの度合いおよび／またはＰＴＲデバイスにおけるＰＴＲ電荷排出の度合いが極端に高いと判定した場合、ＤＣ電圧勾配は、ＥＴＤデバイスにおける分析種イオンとＥＴＤ試薬イオンとのイオン−イオン反応時間が低減され、かつ／あるいはＰＴＲデバイスにおけるＥＴＤプロダクトイオンまたはＥＴＤフラグメントイオンと中性超強塩基試薬ガスとのイオン−中性ガス反応時間が低減されるように増大され得る。同様に、制御システムがＥＴＤフラグメンテーションおよび／またはＰＴＲ電荷排出の度合いが極端に低いと判定した場合、ＤＣ電圧勾配は、ＥＴＤデバイスにおける分析種イオンと試薬イオンとのイオン−イオン反応時間が増大され、かつ／あるいはＰＴＲデバイスにおけるＥＴＤプロダクトイオンまたはＥＴＤフラグメントイオンと中性超強塩基試薬ガスとのイオン−中性ガス反応時間が増大するように低減され得る。
【０１６４】
好ましさが劣る一実施形態によると、ＥＴＤデバイスにおいて試薬イオンの代わりに中性試薬ガス（例えば、セシウム蒸気）を使用して、ＥＴＤを実行し得る。
【０１６５】
一実施形態によると、制御システムは、半径方向の擬電位井戸内の半径方向のＲＦ閉じ込めの度合いを変更し得る。例えば、ＥＴＤデバイスおよび／または好適なＰＴＲデバイスの電極に印加されるＲＦ電圧が増大すると、これによって生じる擬電位井戸のプロフィールは、より狭くなり、イオン−イオン反応体積またはイオン−中性ガス反応体積が低減する。これにより、例えば、ＥＴＤデバイスにおける分析種イオンと試薬イオンとの相互作用はより大きくなり、ＥＴＤ効果が増大する。制御システムがＥＴＤデバイスにおけるＥＴＤフラグメンテーションの度合いが極端に高いと判定した場合、制御システムは、ＥＴＤデバイスにおける分析種イオンと試薬イオンとの混合が低減するようにＲＦ電圧を低減し得る。同様に、制御システムがＥＴＤフラグメンテーションの度合いが極端に低いと判定した場合、制御システムは、ＥＴＤデバイスにおける分析種イオンと試薬イオンとの混合が増大するようにＲＦ電圧を増大させ得る。
【０１６６】
負の試薬イオンは、負電位をＥＴＤデバイスまたはイオンガイドの一端または両端に印加することによって、ＥＴＤデバイスまたはイオンガイド内にトラップされ得る。電位障壁が極端に低い場合、ＥＴＤデバイスは、ＥＴＤ試薬イオンが比較的漏洩しやすいと考えられ得る。しかし、負電位障壁は、ＥＴＤデバイスに沿っておよびこれを通って正の分析種イオンを加速する効果も有する。したがって、全体としては、負電位障壁が比較的低く設定された場合、ＥＴＤデバイスにおけるイオン−イオン反応時間が好ましくは増大され、かつ反応断面が増大されるので、ＥＴＤフラグメンテーションが増大される。制御システムがＥＴＤフラグメンテーションの度合いが極端に高いと判定した場合、電位障壁は、分析種イオンとＥＴＤ試薬イオンとの混合が低減するように増大され得る。同様に、制御システムがＥＴＤフラグメンテーションの度合いが極端に低いと判定した場合、電位障壁は、分析種イオンとＥＴＤ試薬イオンとの混合が増大するように低減され得る。
【０１６７】
質量分析計が、例えば、液体クロマトグラフィカラムから溶出しているイオンに対して複数の異なる分析を行い得る本発明の実施形態が考えられる。一実施形態によると、ＬＣ溶出ピークの時間スケール内に、分析種イオンは、例えば、親イオンスキャンされ、親イオンまたは前駆イオンの質量電荷比が決定され得る。次いで、親イオンまたは前駆イオンは、四重極または他の質量フィルタによって質量選択され、そして例えばＣＩＤフラグメンテーションされて、ｂ−タイプおよびｙ−タイプのフラグメントイオンを生成、そして次いで質量分析し得る。次いで、親イオンまたは前駆イオンは、その後四重極または他の質量フィルタによって質量選択され、そして次いでＥＴＤフラグメンテーションされて、ｃ−タイプおよびｚ−タイプのフラグメントイオンを生成、そして次いで質量分析し得る。ＥＴＤフラグメントイオンは、質量分析部へと前方移送される前に、中性試薬ガスと相互作用することにより好適なＰＴＲデバイス内で電荷状態が低減されるのが好ましい。さらなる動作モードにおいて、親イオンまたは前駆イオンに対して衝突セルの高／低切り換えが行われ得る。この実施形態によると、親イオンまたは前駆イオンは、２つの異なる動作モードの間で繰り返し切り換えられる。第１の動作モードにおいて、親イオンまたは前駆イオンは、ＣＩＤフラグメンテーションまたはＥＴＤフラグメンテーションされ得る。第２の動作モードにおいて、親イオンまたは前駆イオンは、実質的にＣＩＤフラグメンテーションまたはＥＴＤフラグメンテーションされないのが好ましい。
【０１６８】
一実施形態によると、フラグメンテーションおよび／または電荷減少されたイオンは、水素−重水素（「Ｈ−Ｄ」）交換を行ったペプチド由来のペプチドイオンを含む。水素−重水素交換は、共有結合した水素原子が重水素原子に置き換えられる化学反応である。重水素核は、中性子が１つ余分に付加されているので水素よりも重いという事実を考慮すると、いくつかの重水素を含むタンパク質またはペプチドは、すべてが水素のタンパク質またはペプチドよりも重い。これにより、タンパク質またはペプチドの重水素化を進めると、その分子質量は、着実に増大し、かつこの分子質量の増大は、質量分析によって検出され得る。したがって、上記好適な方法が重水素を含むタンパク質またはペプチドの分析に使用され得ることが考えられる。重水素を含むことを利用して、溶液中のタンパク質の構造力学（例えば、水素−交換質量分析によって）ならびにポリペプチドイオンのガス位相構造およびフラグメンテーションメカニズムの両方を研究し得る。ペプチドの電子移動解離の特に有利な効果は、ＥＴＤフラグメンテーション（ＣＩＤフラグメンテーションと異なり）には、偶数電子前駆イオンを振動によって励起させる際の水素の分子内移動である水素スクランブルという問題が起きないことである。本発明の一実施形態によると、上記好適な装置および方法を使用して、重水素を含むペプチドイオンのＥＴＤフラグメンテーションおよび／または後のＰＴＲ電荷排出を実施し得る。一実施形態によると、重水素を含むペプチドイオンのＥＴＤフラグメンテーションおよび／または後のＰＴＲ電荷排出の度合いが制御、最適化、最大化または最小化され得る。同様に、本発明の一実施形態によると、ＥＴＤによるイオンのフラグメンテーションおよび／または後のＰＴＲによる電荷排出の前の重水素を含むペプチドイオンにおける水素スクランブルの度合いは、イオンのイオンガイドを通じた移送に影響のある１つ以上のパラメータ（例えば、進行波の速度および／または振幅）を変更、変化、増加または減少することによって、制御、最適化、最大化または最小化され得る。
【０１６９】
上述の好適な実施形態は超強塩基試薬ガスまたは超強塩基試薬蒸気の使用に関するが、本発明はまた、非超強塩基試薬ガスまたは非超強塩基試薬の使用および特にトリメチルアミンやトリエチルアミンといった揮発性アミンの使用にも適用される。したがって、上述の実施形態において超強塩基試薬ガスの代わりに揮発性アミン試薬ガスが使用される本発明の実施形態も考えられる。
【０１７０】
本発明を好適な実施形態を参照して記載したが、添付の特許請求の範囲に記載の本発明の範囲から逸脱することなく、形態および詳細における種々の変更が可能であることが当業者に理解される。
【図１】
2011522385.tif 000003
【図２】
2011522385.tif 000004
【図３】
2011522385.tif 000005
【図４】
2011522385.tif 000006
【図５】
2011522385.tif 000007
【図６】
2011522385.tif 000008
【図７】
2011522385.tif 000009
【手続補正書】
【提出日】平成22年5月13日(2010.5.13)
【手続補正１】
【補正対象書類名】特許請求の範囲
【補正対象項目名】全文
【補正方法】変更
【補正の内容】
【特許請求の範囲】
【請求項１】
第１のイオンを１つ以上の中性、非イオン性または非荷電の超強塩基試薬ガスまたは超強塩基試薬蒸気と反応させて、前記第１のイオンの電荷状態を低減するように構成および適合され、プロトン移動反応デバイスを含む第１のデバイスを含む質量分析計であって、
前記第１のデバイスは、使用時にイオンが移送される少なくとも１つの開口を有する複数の電極を含む第１のイオンガイドを含み、前記１つ以上の中性、非イオン性または非荷電の超強塩基試薬ガスまたは超強塩基蒸気が、（ｉ）１，１，３，３−テトラメチルグアニジン（「ＴＭＧ」）、（ｉｉ）２，３，４，６，７，８，９，１０−オクタヒドロピリミドール［１，２−ａ］アゼピン｛別名：１，８−ジアザビシクロ［５．４．０］ウンデカ−７−エン（「ＤＢＵ」）｝、および（ｉｉｉ）７−メチル−１，５，７−トリアザビシクロ［４．４．０］デカ−５−エン（「ＭＴＢＤ」）｛別名：１，３，４，６，７，８−ヘキサヒドロ−１−メチル−２Ｈ−ピリミド［１，２−ａ］ピリミジン｝からなる群から選択されること、および
前記質量分析計が、
前記第１のデバイスの上流に配置される、複数の電極を含む第２のイオンガイドを含む電子移動解離デバイスであって、前記第２のイオンガイドが、使用時にイオンが移送される少なくとも１つの開口を有する複数の電極を含む電子移動解離デバイスと、
１つ以上の第１の過渡ＤＣ電圧もしくは過渡ＤＣ電位または１つ以上の第１の過渡ＤＣ電圧波形もしくは過渡ＤＣ電位波形を、前記第１のイオンガイドおよび／または前記第２のイオンガイドを含む前記複数の電極の少なくともいくつかに印加して、少なくともいくつかのイオンを前記第１のイオンガイドおよび前記第２のイオンガイドの軸方向長さの少なくとも一部に沿っておよび／またはこれを通って駆動または推進するように構成および適合されるＤＣ電圧デバイスとをさらに含むこと
を特徴とする質量分析計。
【請求項２】
使用時に、（ｉ）前記第１のイオンの少なくともいくつかから、前記１つ以上の中性、非イオン性または非荷電の超強塩基試薬ガスまたは超強塩基試薬蒸気にプロトンが移動するか、あるいは（ｉｉ）１つ以上の多価分析種カチオンまたは正電荷イオンを含む前記第１のイオンのうちの少なくともいくつかから、前記１つ以上の中性、非イオン性または非荷電の超強塩基試薬ガスまたは超強塩基試薬蒸気にプロトンが移動し、この時に、前記多価分析種カチオンまたは正電荷イオンのうちの少なくともいくつかの電荷状態が低減される、
のいずれかである、請求項１に記載の質量分析計。
【請求項３】
使用時に、少なくともいくつかの親イオンまたは分析種イオンが、前記親イオンまたは分析種イオンが前記第２のイオンガイドを通って移送される際に前記電子移動解離デバイスにおいてフラグメンテーションされるように配置され、前記親イオンまたは分析種イオンが、カチオンまたは正電荷イオンを含む、請求項１または２に記載の質量分析計。
【請求項４】
前記電子移動解離デバイスが、一動作モードにおいて、前記分析種イオンまたは親イオンが前記第２のイオンガイドを通過する際に前記親イオンまたは分析種イオンのフラグメンテーションを最適化および／または最大化するように構成および適合される制御システムをさらに含む、請求項３に記載の質量分析計。
【請求項５】
前記第１のデバイスの上流かつ前記電子移動解離デバイスの下流に配置されるイオン移動度分光計またはイオン移動度セパレータをさらに含み、前記イオン移動度分光計またはイオン移動度セパレータが、複数の電極を含む第３のイオンガイドを含む、先行する請求項のいずれかに記載の質量分析計。
【請求項６】
（ａ）前記電極のうちの少なくとも１％、５％、１０％、２０％、３０％、４０％、５０％、６０％、７０％、８０％、９０％、９５％または１００％が、実質的に円形、矩形、正方形または楕円形の開口を有し、かつ／あるいは
（ｂ）前記電極のうちの少なくとも１％、５％、１０％、２０％、３０％、４０％、５０％、６０％、７０％、８０％、９０％、９５％または１００％が、実質的に同じ第１のサイズを有するか、または実質的に同じ第１の面積を有する開口を有し、かつ／または前記電極のうちの少なくとも１％、５％、１０％、２０％、３０％、４０％、５０％、６０％、７０％、８０％、９０％、９５％または１００％が、実質的に同じ第２の異なるサイズを有するか、または実質的に同じ第２の異なる面積を有する開口を有し、かつ／あるいは
（ｃ）前記電極のうちの少なくとも１％、５％、１０％、２０％、３０％、４０％、５０％、６０％、７０％、８０％、９０％、９５％または１００％が、サイズまたは面積が前記イオンガイドの軸に沿った方向へいくにつれ順次より大きくおよび／またはより小さくなる開口を有し、かつ／あるいは
（ｄ）前記電極のうちの少なくとも１％、５％、１０％、２０％、３０％、４０％、５０％、６０％、７０％、８０％、９０％、９５％または１００％が、（ｉ）≦１．０ｍｍ、（ｉｉ）≦２．０ｍｍ、（ｉｉｉ）≦３．０ｍｍ、（ｉｖ）≦４．０ｍｍ、（ｖ）≦５．０ｍｍ、（ｖｉ）≦６．０ｍｍ、（ｖｉｉ）≦７．０ｍｍ、（ｖｉｉｉ）≦８．０ｍｍ、（ｉｘ）≦９．０ｍｍ、（ｘ）≦１０．０ｍｍ、および（ｘｉ）＞１０．０ｍｍからなる群から選択される内径または内寸法を有する開口を有し、かつ／あるいは
（ｅ）前記電極のうちの少なくとも１％、５％、１０％、２０％、３０％、４０％、５０％、６０％、７０％、８０％、９０％、９５％または１００％が、（ｉ）５ｍｍ以下、（ｉｉ）４．５ｍｍ以下、（ｉｉｉ）４ｍｍ以下、（ｉｖ）３．５ｍｍ以下、（ｖ）３ｍｍ以下、（ｖｉ）２．５ｍｍ以下、（ｖｉｉ）２ｍｍ以下、（ｖｉｉｉ）１．５ｍｍ以下、（ｉｘ）１ｍｍ以下、（ｘ）０．８ｍｍ以下、（ｘｉ）０．６ｍｍ以下、（ｘｉｉ）０．４ｍｍ以下、（ｘｉｉｉ）０．２ｍｍ以下、（ｘｉｖ）０．１ｍｍ以下、および（ｘｖ）０．２５ｍｍ以下からなる群から選択される軸方向距離だけ互いに離間し、かつ／あるいは
（ｆ）前記複数の電極のうちの少なくともいくつかが、開口を含み、かつ前記開口の内径または内寸法の隣接する電極間の中心−中心軸方向間隔に対する比が、（ｉ）＜１．０、（ｉｉ）１．０〜１．２、（ｉｉｉ）１．２〜１．４、（ｉｖ）１．４〜１．６、（ｖ）１．６〜１．８、（ｖｉ）１．８〜２．０、（ｖｉｉ）２．０〜２．２、（ｖｉｉｉ）２．２〜２．４、（ｉｘ）２．４〜２．６、（ｘ）２．６〜２．８、（ｘｉ）２．８〜３．０、（ｘｉｉ）３．０〜３．２、（ｘｉｉｉ）３．２〜３．４、（ｘｉｖ）３．４〜３．６、（ｘｖ）３．６〜３．８、（ｘｖｉ）３．８〜４．０、（ｘｖｉｉ）４．０〜４．２、（ｘｖｉｉｉ）４．２〜４．４、（ｘｉｘ）４．４〜４．６、（ｘｘ）４．６〜４．８、（ｘｘｉ）４．８〜５．０、および（ｘｘｉｉ）＞５．０からなる群から選択され、かつ／あるいは
（ｇ）前記複数の電極の開口の内径が、前記第１のイオンガイドおよび／または前記第２のイオンガイドおよび／または前記第３のイオンガイドの長軸に沿って１回以上順次増大または低減し、そして次いで順次低減または増大し、かつ／あるいは
（ｈ）前記複数の電極が、幾何体積を規定し、前記幾何体積は、（ｉ）１つ以上の球、（ｉｉ）１つ以上の扁平楕円体、（ｉｉｉ）１つ以上の扁長楕円体、（ｉｖ）１つ以上の楕円体、および（ｖ）１つ以上の不等辺楕円体からなる群から選択され、かつ／あるいは
（ｉ）前記第１のイオンガイドおよび／または前記第２のイオンガイドおよび／または前記第３のイオンガイドが、（ｉ）＜２０ｍｍ、（ｉｉ）２０〜４０ｍｍ、（ｉｉｉ）４０〜６０ｍｍ、（ｉｖ）６０〜８０ｍｍ、（ｖ）８０〜１００ｍｍ、（ｖｉ）１００〜１２０ｍｍ、（ｖｉｉ）１２０〜１４０ｍｍ、（ｖｉｉｉ）１４０〜１６０ｍｍ、（ｉｘ）１６０〜１８０ｍｍ、（ｘ）１８０〜２００ｍｍ、および（ｘｉ）＞２００ｍｍからなる群から選択される長さを有し、かつ／あるいは
（ｊ）前記第１のイオンガイドおよび／または前記第２のイオンガイドおよび／または前記第３のイオンガイドが、少なくとも（ｉ）１〜１０個の電極、（ｉｉ）１０〜２０個の電極、（ｉｉｉ）２０〜３０個の電極、（ｉｖ）３０〜４０個の電極、（ｖ）４０〜５０個の電極、（ｖｉ）５０〜６０個の電極、（ｖｉｉ）６０〜７０個の電極、（ｖｉｉｉ）７０〜８０個の電極、（ｉｘ）８０〜９０個の電極、（ｘ）９０〜１００個の電極、（ｘｉ）１００〜１１０個の電極、（ｘｉｉ）１１０〜１２０個の電極、（ｘｉｉｉ）１２０〜１３０個の電極、（ｘｉｖ）１３０〜１４０個の電極、（ｘｖ）１４０〜１５０個の電極、（ｘｖｉ）１５０〜１６０個の電極、（ｘｖｉｉ）１６０〜１７０個の電極、（ｘｖｉｉｉ）１７０〜１８０個の電極、（ｘｉｘ）１８０〜１９０個の電極、（ｘｘ）１９０〜２００個の電極、および（ｘｘｉ）＞２００個の電極を含み、かつ／あるいは
（ｋ）前記複数の電極のうちの少なくとも１％、５％、１０％、２０％、３０％、４０％、５０％、６０％、７０％、８０％、９０％、９５％または１００％が、（ｉ）５ｍｍ以下、（ｉｉ）４．５ｍｍ以下、（ｉｉｉ）４ｍｍ以下、（ｉｖ）３．５ｍｍ以下、（ｖ）３ｍｍ以下、（ｖｉ）２．５ｍｍ以下、（ｖｉｉ）２ｍｍ以下、（ｖｉｉｉ）１．５ｍｍ以下、（ｉｘ）１ｍｍ以下、（ｘ）０．８ｍｍ以下、（ｘｉ）０．６ｍｍ以下、（ｘｉｉ）０．４ｍｍ以下、（ｘｉｉｉ）０．２ｍｍ以下、（ｘｉｖ）０．１ｍｍ以下、および（ｘｖ）０．２５ｍｍ以下からなる群から選択される厚さまたは軸方向長さを有し、かつ／あるいは
（ｌ）前記複数の電極のピッチまたは軸方向間隔が、前記第１のイオンガイドおよび／または前記第２のイオンガイドおよび／または前記第３のイオンガイドの長軸に沿って１回以上順次低減または増大する、
のいずれかである、先行する請求項のいずれかに記載の質量分析計。
【請求項７】
第１の周波数および第１の振幅を有する第１のＡＣ電圧またはＲＦ電圧を、前記第１のイオンガイドおよび／または前記第２のイオンガイドの前記複数の電極の少なくともいくつかに印加して、使用時にイオンが前記第１のイオンガイドおよび／または前記第２のイオンガイド内に半径方向に閉じ込められるように構成および適合されるＲＦ電圧デバイスをさらに含み、
（ａ）前記第１の周波数が、（ｉ）＜１００ｋＨｚ、（ｉｉ）１００〜２００ｋＨｚ、（ｉｉｉ）２００〜３００ｋＨｚ、（ｉｖ）３００〜４００ｋＨｚ、（ｖ）４００〜５００ｋＨｚ、（ｖｉ）０．５〜１．０ＭＨｚ、（ｖｉｉ）１．０〜１．５ＭＨｚ、（ｖｉｉｉ）１．５〜２．０ＭＨｚ、（ｉｘ）２．０〜２．５ＭＨｚ、（ｘ）２．５〜３．０ＭＨｚ、（ｘｉ）３．０〜３．５ＭＨｚ、（ｘｉｉ）３．５〜４．０ＭＨｚ、（ｘｉｉｉ）４．０〜４．５ＭＨｚ、（ｘｉｖ）４．５〜５．０ＭＨｚ、（ｘｖ）５．０〜５．５ＭＨｚ、（ｘｖｉ）５．５〜６．０ＭＨｚ、（ｘｖｉｉ）６．０〜６．５ＭＨｚ、（ｘｖｉｉｉ）６．５〜７．０ＭＨｚ、（ｘｉｘ）７．０〜７．５ＭＨｚ、（ｘｘ）７．５〜８．０ＭＨｚ、（ｘｘｉ）８．０〜８．５ＭＨｚ、（ｘｘｉｉ）８．５〜９．０ＭＨｚ、（ｘｘｉｉｉ）９．０〜９．５ＭＨｚ、（ｘｘｉｖ）９．５〜１０．０ＭＨｚ、および（ｘｘｖ）＞１０．０ＭＨｚからなる群から選択され、かつ／あるいは
（ｂ）前記第１の振幅が、（ｉ）＜５０Ｖピーク・トゥ・ピーク、（ｉｉ）５０〜１００Ｖピーク・トゥ・ピーク、（ｉｉｉ）１００〜１５０Ｖピーク・トゥ・ピーク、（ｉｖ）１５０〜２００Ｖピーク・トゥ・ピーク、（ｖ）２００〜２５０Ｖピーク・トゥ・ピーク、（ｖｉ）２５０〜３００Ｖピーク・トゥ・ピーク、（ｖｉｉ）３００〜３５０Ｖピーク・トゥ・ピーク、（ｖｉｉｉ）３５０〜４００Ｖピーク・トゥ・ピーク、（ｉｘ）４００〜４５０Ｖピーク・トゥ・ピーク、（ｘ）４５０〜５００Ｖピーク・トゥ・ピーク、および（ｘｉ）＞５００Ｖピーク・トゥ・ピークからなる群から選択され、かつ／あるいは
（ｃ）一動作モードにおいて、隣接または近接する電極には、反対の位相の前記第１のＡＣ電圧またはＲＦ電圧が供給され、かつ／あるいは
（ｄ）前記第１のイオンガイドおよび／または前記第２のイオンガイドが、１〜１０、１０〜２０、２０〜３０、３０〜４０、４０〜５０、５０〜６０、６０〜７０、７０〜８０、８０〜９０、９０〜１００または＞１００グループの電極を含み、各グループの電極が、少なくとも１、２、３、４、５、６、７、８、９、１０、１１、１２、１３、１４、１５、１６、１７、１８、１９または２０個の電極を含み、かつ各グループにおける少なくとも１、２、３、４、５、６、７、８、９、１０、１１、１２、１３、１４、１５、１６、１７、１８、１９または２０個の電極には、同じ位相の前記第１のＡＣ電圧またはＲＦ電圧が供給される、
のいずれかである、先行する請求項のいずれかに記載の質量分析計。
【請求項８】
（a）静的なイオン−中性ガス反応領域またはイオン−中性ガス反応体積が前記第１のイオンガイドにおいて形成または生成されるか、あるいは
（ｂ）動的なまたは時変のイオン−中性ガス反応領域またはイオン−中性ガス反応体積が前記第１のイオンガイドにおいて形成または生成される、先行する請求項のいずれかに記載の質量分析計。
【請求項９】
（ａ）前記第１のイオンガイドおよび／または前記第２のイオンガイドを、一動作モードにおいて、（ｉ）＜１００ｍｂａｒ、（ｉｉ）＜１０ｍｂａｒ、（ｉｉｉ）＜１ｍｂａｒ、（ｉｖ）＜０．１ｍｂａｒ、（ｖ）＜０．０１ｍｂａｒ、（ｖｉ）＜０．００１ｍｂａｒ、（ｖｉｉ）＜０．０００１ｍｂａｒ、および（ｖｉｉｉ）＜０．００００１ｍｂａｒからなる群から選択される圧力に維持し、かつ／あるいは
（ｂ）前記第１のイオンガイドおよび／または前記第２のイオンガイドを、一動作モードにおいて、（ｉ）＞１００ｍｂａｒ、（ｉｉ）＞１０ｍｂａｒ、（ｉｉｉ）＞１ｍｂａｒ、（ｉｖ）＞０．１ｍｂａｒ、（ｖ）＞０．０１ｍｂａｒ、（ｖｉ）＞０．００１ｍｂａｒ、および（ｖｉｉ）＞０．０００１ｍｂａｒからなる群から選択される圧力に維持し、かつ／あるいは
（ｃ）前記第１のイオンガイドおよび／または前記第２のイオンガイドを、一動作モードにおいて、（ｉ）０．０００１〜０．００１ｍｂａｒ、（ｉｉ）０．００１〜０．０１ｍｂａｒ、（ｉｉｉ）０．０１〜０．１ｍｂａｒ、（ｉｖ）０．１〜１ｍｂａｒ、（ｖ）１〜１０ｍｂａｒ、（ｖｉ）１０〜１００ｍｂａｒ、および（ｖｉｉ）１００〜１０００ｍｂａｒからなる群から選択される圧力に維持する
のいずれかに構成および適合されるデバイスをさらに含む、先行する請求項のいずれかに記載の質量分析計。
【請求項１０】
（ａ）一動作モードにおいて、イオンは、前記第１のイオンガイドおよび／または前記第２のイオンガイド内でトラップされるが、実質的にフラグメンテーションおよび／または反応および／または電荷減少がされないように配置および適合され、かつ／あるいは
（ｂ）一動作モードにおいて、イオンは、前記第１のイオンガイドおよび／または前記第２のイオンガイド内で衝突により冷却されるか、または実質的に熱化されるように配置および適合され、かつ／あるいは
（ｃ）一動作モードにおいて、イオンは、前記第１のイオンガイドおよび／または前記第２のイオンガイド内で実質的にフラグメンテーションおよび／または反応および／または電荷減少がされるように配置および適合され、かつ／あるいは
（ｄ）一動作モードにおいて、イオンは、前記第１のイオンガイドおよび／または前記第２のイオンガイドの入口および／または出口に配置される１つ以上の電極によって前記第１のイオンガイドおよび／または前記第２のイオンガイド中へおよび／またはそこからパルスとして入射および／または出射されるように配置および適合される、先行する請求項のいずれかに記載の質量分析計。
【請求項１１】
（ａ）前記第１のデバイスの上流に配置されるイオン源であって、前記イオン源が、（ｉ）エレクトロスプレーイオン化（「ＥＳＩ」）イオン源、（ｉｉ）大気圧光イオン化（「ＡＰＰＩ」）イオン源、（ｉｉｉ）大気圧化学イオン化（「ＡＰＣＩ」）イオン源、（ｉｖ）マトリックス支援レーザ脱離イオン化（「ＭＡＬＤＩ」）イオン源、（ｖ）レーザ脱離イオン化（「ＬＤＩ」）イオン源、（ｖｉ）大気圧イオン化（「ＡＰＩ」）イオン源、（ｖｉｉ）シリコン上脱離イオン化（「ＤＩＯＳ」）イオン源、（ｖｉｉｉ）電子衝突（「ＥＩ」）イオン源、（ｉｘ）化学イオン化（「ＣＩ」）イオン源、（ｘ）電界イオン化（「ＦＩ」）イオン源、（ｘｉ）電界脱離（「ＦＤ」）イオン源、（ｘｉｉ）誘導結合プラズマ（「ＩＣＰ」）イオン源、（ｘｉｉｉ）高速原子衝撃（「ＦＡＢ」）イオン源、（ｘｉｖ）液体二次イオン質量分析（「ＬＳＩＭＳ」）イオン源、（ｘｖ）脱離エレクトロスプレーイオン化（「ＤＥＳＩ」）イオン源、（ｘｖｉ）ニッケル−６３放射性イオン源、（ｘｖｉｉ）大気圧マトリックス支援レーザ脱離イオン化イオン源、（ｘｖｉｉｉ）熱スプレーイオン源、（ｘｉｘ）大気サンプリンググロー放電イオン化（「ＡＳＧＤＩ」）イオン源、および（ｘｘ）グロー放電（「ＧＤ」）イオン源からなる群から選択されるイオン源、ならびに／あるいは
（ｂ）１つ以上の連続イオン源またはパルスイオン源、ならびに／あるいは
（ｃ）前記第１のデバイスの上流および／または下流に配置される１つ以上のイオンガイド、ならびに／あるいは
（ｄ）前記第１のデバイスの上流および／または下流に配置される１つ以上のイオン移動度分離デバイスおよび／または１つ以上の電界非対称イオン移動度分光計デバイス、ならびに／あるいは
（ｅ）前記第１のデバイスの上流および／または下流に配置される１つ以上のイオントラップまたは１つ以上のイオントラッピング領域、ならびに／あるいは
（ｆ）前記第１のデバイスの上流および／または下流に配置される１つ以上の衝突セル、フラグメンテーションセルまたは反応セルであって、前記１つ以上の衝突セル、フラグメンテーションセルまたは反応セルが、（ｉ）衝突誘起解離（「ＣＩＤ」）フラグメンテーションデバイス、（ｉｉ）表面誘起解離（「ＳＩＤ」）フラグメンテーションデバイス、（ｉｉｉ）電子移動解離（「ＥＴＤ」）フラグメンテーションデバイス、（ｉｖ）電子捕獲解離（「ＥＣＤ」）フラグメンテーションデバイス、（ｖ）電子衝突または衝撃解離フラグメンテーションデバイス、（ｖｉ）光誘起解離（「ＰＩＤ」）フラグメンテーションデバイス、（ｖｉｉ）レーザ誘起解離フラグメンテーションデバイス、（ｖｉｉｉ）赤外放射誘起解離デバイス、（ｉｘ）紫外放射誘起解離デバイス、（ｘ）ノズル−スキマ間インターフェースフラグメンテーションデバイス、（ｘｉ）インソースフラグメンテーションデバイス、（ｘｉｉ）インソース衝突誘起解離フラグメンテーションデバイス、（ｘｉｉｉ）熱または温度源フラグメンテーションデバイス、（ｘｉｖ）電界誘起フラグメンテーションデバイス、（ｘｖ）磁場誘起フラグメンテーションデバイス、（ｘｖｉ）酵素消化または酵素分解フラグメンテーションデバイス、（ｘｖｉｉ）イオン−イオン反応フラグメンテーションデバイス、（ｘｖｉｉｉ）イオン−分子反応フラグメンテーションデバイス、（ｘｉｘ）イオン−原子反応フラグメンテーションデバイス、（ｘｘ）イオン−準安定イオン反応フラグメンテーションデバイス、（ｘｘｉ）イオン−準安定分子反応フラグメンテーションデバイス、（ｘｘｉｉ）イオン−準安定原子反応フラグメンテーションデバイス、（ｘｘｉｉｉ）イオンを反応させて付加イオンまたはプロダクトイオンを形成するためのイオン−イオン反応デバイス、（ｘｘｉｖ）イオンを反応させて付加イオンまたはプロダクトイオンを形成するためのイオン−分子反応デバイス、（ｘｘｖ）イオンを反応させて付加イオンまたはプロダクトイオンを形成するためのイオン−原子反応デバイス、（ｘｘｖｉ）イオンを反応させて付加イオンまたはプロダクトイオンを形成するためのイオン−準安定イオン反応デバイス、（ｘｘｖｉｉ）イオンを反応させて付加イオンまたはプロダクトイオンを形成するためのイオン−準安定分子反応デバイス、（ｘｘｖｉｉｉ）イオンを反応させて付加イオンまたはプロダクトイオンを形成するためのイオン−準安定原子反応デバイス、および（ｘｘｉｘ）電子イオン化解離（「ＥＩＤ」）フラグメンテーションデバイスからなる群から選択される１つ以上の衝突セル、フラグメンテーションセルまたは反応セル、ならびに／あるいは
（ｇ）質量分析部であって、（ｉ）四重極質量分析部、（ｉｉ）二次元またはリニア四重極質量分析部、（ｉｉｉ）ポールまたは三次元四重極質量分析部、（ｉｖ）ペニングトラップ質量分析部、（ｖ）イオントラップ質量分析部、（ｖｉ）磁場型質量分析部、（ｖｉｉ）イオンサイクロトロン共鳴（「ＩＣＲ」）質量分析部、（ｖｉｉｉ）フーリエ変換イオンサイクロトロン共鳴（「ＦＴＩＣＲ」）質量分析部、（ｉｘ）静電質量分析部、（ｘ）フーリエ変換静電質量分析部、（ｘｉ）フーリエ変換質量分析部、（ｘｉｉ）飛行時間質量分析部、（ｘｉｉｉ）直交加速式飛行時間質量分析部、および（ｘｉｖ）直線加速式飛行時間質量分析部からなる群から選択される質量分析部、ならびに／あるいは
（ｈ）前記第１のデバイスの上流および／または下流に配置される１つ以上のエネルギー分析部または静電エネルギー分析部、ならびに／あるいは
（ｉ）前記第１のデバイスの上流および／または下流に配置される１つ以上のイオン検出器、ならびに／あるいは
（ｊ）前記第１のデバイスの上流および／または下流に配置される１つ以上の質量フィルタであって、前記１つ以上の質量フィルタが、（ｉ）四重極質量フィルタ、（ｉｉ）二次元またはリニア四重極イオントラップ、（ｉｉｉ）ポールまたは三次元四重極イオントラップ、（ｉｖ）ペニングイオントラップ、（ｖ）イオントラップ、（ｖｉ）磁場型質量フィルタ、（ｖｉｉ）飛行時間質量フィルタ、および（ｖｉｉｉ）ウィーンフィルタからなる群から選択される１つ以上の質量フィルタ、ならびに／あるいは
（ｋ）イオンをパルスにして前記第１のデバイスへ入力するためのデバイスまたはイオンゲート、ならびに／あるいは
（ｌ）実質的に連続なイオンビームをパルスイオンビームに変換するためのデバイス
のいずれかをさらに含む、先行する請求項のいずれかに記載の質量分析計。
【請求項１２】
（ａ）分析種イオンおよび／または試薬イオンを生成するための１つ以上の大気圧イオン源、ならびに／あるいは
（ｂ）分析種イオンおよび／または試薬イオンを生成するための１つ以上のエレクトロスプレーイオン源、ならびに／あるいは
（ｃ）分析種イオンおよび／または試薬イオンを生成するための１つ以上の大気圧化学イオン源、ならびに／あるいは
（ｄ）分析種イオンおよび／または試薬イオンを生成するための１つ以上のグロー放電イオン源をさらに含む、先行する請求項のいずれかに記載の質量分析計。
【請求項１３】
前記質量分析計が、
Ｃ−トラップと、
外側樽状電極および同心の内側紡錘状電極を含む質量分析部と
をさらに含み、
第１の動作モードにおいて、イオンが、前記Ｃ−トラップへ移送され、そして次いで前記質量分析部中へ注入され、かつ
第２の動作モードにおいて、イオンが、前記Ｃ−トラップへ移送され、そして次いで衝突セルまたは電子移動解離デバイスへ移送され、少なくともいくつかのイオンが、フラグメントイオンへフラグメンテーションされ、そして次いで前記フラグメントイオンが、前記Ｃ−トラップへ移送され、その後前記質量分析部中へ注入される、先行する請求項のいずれかに記載の質量分析計。
【請求項１４】
前記電極の間隔が、イオン経路の長さに沿って増大し、かつ前記イオンガイドの上流部分における前記電極中の開口は、第１の直径を有し、前記イオンガイドの下流部分における前記電極中の開口は、前記第１の直径よりも小さな第２の直径を有し、かつ使用時に反対の位相のＡＣ電圧またはＲＦ電圧が連続した電極に印加される積層リングイオンガイドを含む、先行する請求項のいずれかに記載の質量分析計。
【請求項１５】
第１のイオンガイドを含む第１のデバイスを準備する工程および第１のイオンを１つ以上の中性、非イオン性または非荷電の超強塩基試薬ガスまたは超強塩基試薬蒸気と反応させて、前記第１のイオンの電荷状態を低減する工程を含む質量分析の方法であって、
前記第１のデバイスは、イオンが移送される少なくとも１つの開口を有する複数の電極を含み、
前記１つ以上の中性、非イオン性または非荷電の超強塩基試薬ガスまたは超強塩基蒸気が、（ｉ）１，１，３，３−テトラメチルグアニジン（「ＴＭＧ」）、（ｉｉ）２，３，４，６，７，８，９，１０−オクタヒドロピリミドール［１，２−ａ］アゼピン｛別名：１，８−ジアザビシクロ［５．４．０］ウンデカ−７−エン（「ＤＢＵ」）｝、および（ｉｉｉ）７−メチル−１，５，７−トリアザビシクロ［４．４．０］デカ−５−エン（「ＭＴＢＤ」）｛別名：１，３，４，６，７，８−ヘキサヒドロ−１−メチル−２Ｈ−ピリミド［１，２−ａ］ピリミジン｝からなる群から選択されること、ならびに
前記方法が、
イオンが移送される少なくとも１つの開口を有する複数の電極を含む第２のイオンガイドを含む電子移動解離デバイスを、前記第１のデバイスの上流に準備する工程、および
１つ以上の第１の過渡ＤＣ電圧もしくは過渡ＤＣ電位または１つ以上の第１の過渡ＤＣ電圧波形もしくは過渡ＤＣ電位波形を前記第１のイオンガイドおよび前記第２のイオンガイドを含む前記複数の電極の少なくともいくつかに印加して、少なくともいくつかのイオンを前記第１のイオンガイドおよび／または前記第２のイオンガイドの軸方向長さの少なくとも一部に沿っておよびこれを通って駆動または推進する工程をさらに含むこと
を特徴とする質量分析の方法。
【国際調査報告】
2011522385.tif 000010
2011522385.tif 000011
2011522385.tif 000012